(57)【特許請求の範囲】
【請求項１】
無線通信システムにおける端末（ＵＥ）により実行されるサイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）の送信方法であって、前記方法は、
ＳＬＳＳ及びＰＳＢＣＨのための送信電力を決定することと、
前記決定された送信電力で前記ＳＬＳＳ及びＰＳＢＣＨを送信することと
を含み、
前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）との両方ともにより同時にトリガ（ｔｒｉｇｇｅｒ）される場合、
前記ＳＬＳＳ及びＰＳＢＣＨのための送信電力は、前記Ｄ２Ｄ通信のための電力情報（Ｐ−Ｍａｘ）に基づいて決定される、方法。
【請求項２】
前記ＳＬＳＳ及びＰＳＢＣＨのための送信電力は、
前記Ｄ２Ｄ発見のためにトリガされた場合と前記Ｄ２Ｄ通信のためにトリガされた場合に互いに異なる値に決定される、請求項１に記載の方法。
【請求項３】
前記Ｄ２Ｄ通信のための電力情報（Ｐ−Ｍａｘ）と前記Ｄ２Ｄ発見のための電力情報（ｄｉｓｃＭａｘＴｘＰｏｗｅｒ）は、互いに異なるシステム情報ブロック（ｓｙｓｔｅｍ  ｉｎｆｏｒｍａｔｉｏｎ  ｂｌｏｃｋ：ＳＩＢ）を介して受信される、請求項１に記載の方法。
【請求項４】
前記ＳＬＳＳ及びＰＳＢＣＨのための送信電力は、
サービングセルｃでの最大出力電力（ＰＣＭＡＸ、ｃ）に基づいて決定されることを特徴とする請求項１に記載の方法。
【請求項５】
前記サービングセルｃでの最大出力電力（ＰＣＭＡＸ、ｃ）は、ネットワークにより設定される最大電力値（ＰＥＭＡＸ、Ｃ）に基づいて決定され、
前記ネットワークにより設定される電力値（ＰＥＭＡＸ、Ｃ）は、前記Ｄ２Ｄ通信（ｃｏｍｍｕｎｉｃａｔｉｏｎ）のための電力情報（Ｐ−Ｍａｘ）により決定される、請求項４に記載の方法。
【請求項６】
端末であって、
無線信号を送信及び受信するＲＦ（Ｒａｄｉｏ  Ｆｒｅｑｕｅｎｃｙ）部；及び、
前記ＲＦ部と結合して動作するプロセッサ；を含み、前記プロセッサは、
サイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）のための送信電力を決定することと、
前記決定された送信電力で前記ＳＬＳＳ及びＰＳＢＣＨを送信することと
を行うように構成され、
前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）との両方ともにより同時にトリガ（ｔｒｉｇｇｅｒ）される場合、
前記ＳＬＳＳ及びＰＳＢＣＨのための送信電力は、前記Ｄ２Ｄ通信のための電力情報（Ｐ−Ｍａｘ）に基づいて決定される、端末。
【発明の詳細な説明】
【技術分野】
【０００１】
本発明は、無線通信に関し、より詳しくは、無線通信システムにおいて、端末がＤ２Ｄ（ｄｅｖｉｃｅ−ｔｏ−ｄｅｖｉｃｅ）発見信号を送信する方法及び前記方法を利用する端末に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では、３世代以後の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業を進行している。ＩＭＴ−Ａｄｖａｎｃｅｄは、停止及び低速移動状態で１Ｇｂｐｓ、高速移動状態で１００Ｍｂｐｓのデータ送信率でＩＰ（Ｉｎｔｅｒｎｅｔ  Ｐｒｏｔｏｃｏｌ）ベースのマルチメディアサービスのサポートを目標とする。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を満たすシステム標準として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）送信方式ベースのＬＴＥ（Ｌｏｎｇ  Ｔｅｒｍ  Ｅｖｏｌｕｔｉｏｎ）を改善したＬＴＥ−Ａｄｖａｎｃｅｄ（ＬＴＥ−Ａ）を用意している。ＬＴＥ−Ａは、ＩＭＴ−Ａｄｖａｎｃｅｄのための有力な候補のうち一つである。
【０００４】
一方、最近装置間の直接通信をするＤ２Ｄ（Ｄｅｖｉｃｅ−ｔｏ−Ｄｅｖｉｃｅ）技術に対する関心が高まっている。特に、Ｄ２Ｄは、公共安全ネットワーク（ｐｕｂｌｉｃ  ｓａｆｅｔｙ  ｎｅｔｗｏｒｋ）のための通信技術として注目を浴びている。商業的な通信ネットワークは、急速にＬＴＥに変化しているが、既存通信規格との衝突問題と費用側面で現在の公共安全ネットワークは、主に２Ｇ技術に基づいている。このような技術間隙と改善されたサービスに対する要求は、公共安全ネットワークを改善しようとする努力につながっている。
【０００５】
公共安全ネットワークは、商業的な通信ネットワークに比べて高いサービス要求条件（信頼度及び保安性）を有し、特に、セルラ通信のカバレッジが届かない、または利用可能でない場合にも、装置間の直接信号送受信、即ち、Ｄ２Ｄ動作も要求している。
【０００６】
Ｄ２Ｄ動作は、近接した機器間の信号送受信という点で多様な長所を有することができる。例えば、Ｄ２Ｄ端末は、高い送信率及び低い遅延を有してデータ通信をすることができる。また、Ｄ２Ｄ動作は、基地局に集まるトラフィックを分散させることができ、Ｄ２Ｄ端末が中継器役割をする場合、基地局のカバレッジを拡張させる役割もできる。
【０００７】
一方、Ｄ２Ｄ動作にはＤ２Ｄ発見（ｄｉｓｃｏｖｅｒｙ）とＤ２Ｄ通信（ｃｏｍｍｕｎｉｃａｔｉｏｎ）がある。Ｄ２Ｄ発見は、近接サービスが可能な端末が隣接した他の近接サービス可能端末を発見するのに使われる手順を意味する。Ｄ２Ｄ通信は、隣接した端末間で直接データをやり取りする手順を意味する。Ｄ２Ｄ発見のための信号送信時にどのような方法でその送信電力を決定するかが問題になる。
【０００８】
また、Ｄ２Ｄ発見とＤ２Ｄ通信のためには同期化信号とブロードキャストチャネルの送信が必要である。Ｄ２Ｄ通信のための同期化信号は、既存広域ネットワーク（ｗｉｄｅ  ａｒｅａ  ｎｅｔｗｏｒｋ：ＷＡＮ）における基地局と端末との間に使われる同期化信号と区分するために、サイドリンク同期化信号（ｓｉｄｅｌｉｎｋ  ｓｙｎｃｈｒｏｎｉｚａｔｉｏｎ  ｓｉｇｎａｌ：ＳＬＳＳまたはＳＳＳ）といい、同じ理由で、Ｄ２Ｄ通信のためのブロードキャストチャネルを物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）という。
【０００９】
ＳＬＳＳ／ＰＳＢＣＨは、Ｄ２Ｄ発見のために送信される場合、Ｄ２Ｄ発見のためにトリガリング（ｔｒｉｇｇｅｒｉｎｇ）されたと表現し、Ｄ２Ｄ通信のために送信される場合、Ｄ２Ｄ通信のためにトリガリングされたと表現することができる。ＳＬＳＳ／ＰＳＢＣＨがＤ２Ｄ発見とＤ２Ｄ通信の両方とものために同じ時点にトリガリングされる場合、ＳＬＳＳ／ＰＳＢＣＨのための送信電力をどのように決定すべきかが問題になることができる。
【発明の概要】
【発明が解決しようとする課題】
【００１０】
本発明が解決しようとする技術的な課題は、無線通信システムにおける端末により実行されるＤ２Ｄ発見信号送信方法及び前記方法を利用する端末を提供することである。また、無線通信システムにおける端末により実行されるサイドリンク同期化信号及び物理サイドリンクブロードキャストチャネル送信方法及び前記方法を利用する端末を提供することである。
【課題を解決するための手段】
【００１１】
一側面において、無線通信システムにおける端末により実行されるＤ２Ｄ（ｄｅｖｉｃｅ−ｔｏ−ｄｅｖｉｃｅ）発見（ｄｉｓｃｏｖｅｒｙ）信号送信方法を提供する。前記方法は、Ｄ２Ｄ発見信号送信のための電力情報（ｄｉｓｃＭａｘＴｘＰｏｗｅｒ）を受信し、及び前記電力情報（ｄｉｓｃＭａｘＴｘＰｏｗｅｒ）に基づいてＤ２Ｄ発見信号送信のための送信電力（ＰＰＳＤＣＨ）を決定することを特徴とする。
【００１２】
前記電力情報（ｄｉｓｃＭａｘＴｘＰｏｗｅｒ）に基づいて決定された送信電力（ＰＰＳＤＣＨ）で前記Ｄ２Ｄ発見信号を送信する。
【００１３】
前記電力情報（ｄｉｓｃＭａｘＴｘＰｏｗｅｒ）は、Ｄ２Ｄ通信（ｃｏｍｍｕｎｉｃａｔｉｏｎ）のための電力情報（Ｐ−Ｍａｘ）を受信するシステム情報ブロック（ｓｙｓｔｅｍ  ｉｎｆｏｒｍａｔｉｏｎ  ｂｌｏｃｋ）でない他のシステム情報ブロックを介して受信される。
【００１４】
前記端末は、レンジクラス（ｒａｎｇｅ  ｃｌａｓｓ）が設定され、前記レンジクラスは、短距離（ｓｈｏｒｔ）、中間距離（ｍｅｄｉｕｍ）、長い距離（ｌｏｎｇ）のうちいずれか一つを指示する。
【００１５】
前記電力情報（ｄｉｓｃＭａｘＴｘＰｏｗｅｒ）は、前記端末に設定されたレンジクラスによってＤ２Ｄ発見信号を送信する時に超過してはならない最大送信電力（ｍａｘｉｍｕｍ  ｔｒａｎｓｍｉｔ  ｐｏｗｅｒ）を指示する。
【００１６】
前記Ｄ２Ｄ発見信号送信のための送信電力（ＰＰＳＤＣＨ）は、サービングセルｃでの最大出力電力（ＰＣＭＡＸ、ｃ）に基づいて決定される。
【００１７】
前記サービングセルｃでの最大出力電力（ＰＣＭＡＸ、ｃ）は、ネットワークにより設定される電力値（ＰＥＭＡＸ、Ｃ）に基づいて決定され、前記ネットワークにより設定される電力値（ＰＥＭＡＸ、Ｃ）は、前記Ｄ２Ｄ発見信号送信のための電力情報（ｄｉｓｃＭａｘＴｘＰｏｗｅｒ）により決定される。
【００１８】
他の側面において、無線通信システムにおける端末により実行されるサイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）送信方法を提供する。前記方法は、ＳＬＳＳ及びＰＳＢＣＨのための送信電力を決定し、及び前記決定された送信電力で前記ＳＬＳＳ及びＰＳＢＣＨを送信し、前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）の両方ともにより同時にトリガ（ｔｒｉｇｇｅｒ）される場合、前記ＳＬＳＳ及びＰＳＢＣＨのための送信電力は、前記Ｄ２Ｄ通信のための電力情報（Ｐ−Ｍａｘ）に基づいて決定されることを特徴とする。
【００１９】
前記ＳＬＳＳ及びＰＳＢＣＨのための送信電力は、前記Ｄ２Ｄ発見のためにトリガされた場合と前記Ｄ２Ｄ通信のためにトリガされた場合に互いに異なる値に決定される。
【００２０】
前記Ｄ２Ｄ通信のための電力情報（Ｐ−Ｍａｘ）と前記Ｄ２Ｄ発見のための電力情報（ｄｉｓｃＭａｘＴｘＰｏｗｅｒ）は、互いに異なるシステム情報ブロック（ｓｙｓｔｅｍ  ｉｎｆｏｒｍａｔｉｏｎ  ｂｌｏｃｋ：ＳＩＢ）を介して受信される。
【００２１】
前記ＳＬＳＳ及びＰＳＢＣＨのための送信電力は、サービングセルｃでの最大出力電力（ＰＣＭＡＸ、ｃ）に基づいて決定される。
【００２２】
前記サービングセルｃでの最大出力電力（ＰＣＭＡＸ、ｃ）は、ネットワークにより設定される電力値（ＰＥＭＡＸ、Ｃ）に基づいて決定され、前記ネットワークにより設定される電力値（ＰＥＭＡＸ、Ｃ）は、前記Ｄ２Ｄ通信（ｃｏｍｍｕｎｉｃａｔｉｏｎ）のための電力情報（Ｐ−Ｍａｘ）により決定される。
【００２３】
他の側面で提供される端末は、無線信号を送信及び受信するＲＦ（Ｒａｄｉｏ  Ｆｒｅｑｕｅｎｃｙ）部及び前記ＲＦ部と結合して動作するプロセッサを含み、前記プロセッサは、Ｄ２Ｄ発見信号送信のための電力情報（ｄｉｓｃＭａｘＴｘＰｏｗｅｒ）を受信し、前記電力情報（ｄｉｓｃＭａｘＴｘＰｏｗｅｒ）に基づいてＤ２Ｄ発見信号送信のための送信電力を決定することを特徴とする。
【００２４】
他の側面で提供される端末は、無線信号を送信及び受信するＲＦ（Ｒａｄｉｏ  Ｆｒｅｑｕｅｎｃｙ）部及び前記ＲＦ部と結合して動作するプロセッサを含み、前記プロセッサは、サイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）のための送信電力を決定し、前記決定された送信電力で前記ＳＬＳＳ及びＰＳＢＣＨを送信し、前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）の両方ともにより同時にトリガ（ｔｒｉｇｇｅｒ）される場合、前記ＳＬＳＳ及びＰＳＢＣＨのための送信電力は、前記Ｄ２Ｄ通信のための電力情報（Ｐ−Ｍａｘ）に基づいて決定されることを特徴とする。
本発明は、例えば、以下を提供する。
（項目１）
無線通信システムにおける端末により実行されるＤ２Ｄ（ｄｅｖｉｃｅ−ｔｏ−ｄｅｖｉｃｅ）発見（ｄｉｓｃｏｖｅｒｙ）信号送信方法において、
Ｄ２Ｄ発見信号送信のための電力情報（ｄｉｓｃＭａｘＴｘＰｏｗｅｒ）を受信し、及び
前記電力情報（ｄｉｓｃＭａｘＴｘＰｏｗｅｒ）に基づいてＤ２Ｄ発見信号送信のための送信電力（ＰＰＳＤＣＨ）を決定することを特徴とする方法。
（項目２）
前記電力情報（ｄｉｓｃＭａｘＴｘＰｏｗｅｒ）に基づいて決定された送信電力（ＰＰＳＤＣＨ）で前記Ｄ２Ｄ発見信号を送信することを特徴とする項目１に記載の方法。
（項目３）
前記電力情報（ｄｉｓｃＭａｘＴｘＰｏｗｅｒ）は、
Ｄ２Ｄ通信（ｃｏｍｍｕｎｉｃａｔｉｏｎ）のための電力情報（Ｐ−Ｍａｘ）を受信するシステム情報ブロック（ｓｙｓｔｅｍ  ｉｎｆｏｒｍａｔｉｏｎ  ｂｌｏｃｋ）でない他のシステム情報ブロックを介して受信されることを特徴とする項目１に記載の方法。
（項目４）
前記端末は、レンジクラス（ｒａｎｇｅ  ｃｌａｓｓ）が設定され、前記レンジクラスは、短距離（ｓｈｏｒｔ）、中間距離（ｍｅｄｉｕｍ）、長い距離（ｌｏｎｇ）のうちいずれか一つを指示することを特徴とする項目１に記載の方法。
（項目５）
前記電力情報（ｄｉｓｃＭａｘＴｘＰｏｗｅｒ）は、前記端末に設定されたレンジクラスによってＤ２Ｄ発見信号を送信する時に超過してはならない最大送信電力（ｍａｘｉｍｕｍ  ｔｒａｎｓｍｉｔ  ｐｏｗｅｒ）を指示することを特徴とする項目４に記載の方法。
（項目６）
前記Ｄ２Ｄ発見信号送信のための送信電力（ＰＰＳＤＣＨ）は、
サービングセルｃでの最大出力電力（ＰＣＭＡＸ、ｃ）に基づいて決定されることを特徴とする項目１に記載の方法。
（項目７）
前記サービングセルｃでの最大出力電力（ＰＣＭＡＸ、ｃ）は、ネットワークにより設定される電力値（ＰＥＭＡＸ、Ｃ）に基づいて決定され、
前記ネットワークにより設定される電力値（ＰＥＭＡＸ、Ｃ）は、前記Ｄ２Ｄ発見信号送信のための電力情報（ｄｉｓｃＭａｘＴｘＰｏｗｅｒ）により決定されることを特徴とする項目６に記載の方法。
（項目８）
無線通信システムにおける端末により実行されるサイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）送信方法において、
ＳＬＳＳ及びＰＳＢＣＨのための送信電力を決定し、及び
前記決定された送信電力で前記ＳＬＳＳ及びＰＳＢＣＨを送信し、
前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）の両方ともにより同時にトリガ（ｔｒｉｇｇｅｒ）される場合、
前記ＳＬＳＳ及びＰＳＢＣＨのための送信電力は、前記Ｄ２Ｄ通信のための電力情報（Ｐ−Ｍａｘ）に基づいて決定されることを特徴とする方法。
（項目９）
前記ＳＬＳＳ及びＰＳＢＣＨのための送信電力は、
前記Ｄ２Ｄ発見のためにトリガされた場合と前記Ｄ２Ｄ通信のためにトリガされた場合に互いに異なる値に決定されることを特徴とする項目８に記載の方法。
（項目１０）
前記Ｄ２Ｄ通信のための電力情報（Ｐ−Ｍａｘ）と前記Ｄ２Ｄ発見のための電力情報（ｄｉｓｃＭａｘＴｘＰｏｗｅｒ）は、互いに異なるシステム情報ブロック（ｓｙｓｔｅｍ  ｉｎｆｏｒｍａｔｉｏｎ  ｂｌｏｃｋ：ＳＩＢ）を介して受信されることを特徴とする項目８に記載の方法。
（項目１１）
前記ＳＬＳＳ及びＰＳＢＣＨのための送信電力は、
サービングセルｃでの最大出力電力（ＰＣＭＡＸ、ｃ）に基づいて決定されることを特徴とする項目８に記載の方法。
（項目１２）
前記サービングセルｃでの最大出力電力（ＰＣＭＡＸ、ｃ）は、ネットワークにより設定される電力値（ＰＥＭＡＸ、Ｃ）に基づいて決定され、
前記ネットワークにより設定される電力値（ＰＥＭＡＸ、Ｃ）は、前記Ｄ２Ｄ通信（ｃｏｍｍｕｎｉｃａｔｉｏｎ）のための電力情報（Ｐ−Ｍａｘ）により決定されることを特徴とする項目１１に記載の方法。
（項目１３）
端末は、
無線信号を送信及び受信するＲＦ（Ｒａｄｉｏ  Ｆｒｅｑｕｅｎｃｙ）部；及び、
前記ＲＦ部と結合して動作するプロセッサ；を含み、前記プロセッサは、
Ｄ２Ｄ発見信号送信のための電力情報（ｄｉｓｃＭａｘＴｘＰｏｗｅｒ）を受信し、
前記電力情報（ｄｉｓｃＭａｘＴｘＰｏｗｅｒ）に基づいてＤ２Ｄ発見信号送信のための送信電力を決定することを特徴とする端末。
（項目１４）
端末は、
無線信号を送信及び受信するＲＦ（Ｒａｄｉｏ  Ｆｒｅｑｕｅｎｃｙ）部；及び、
前記ＲＦ部と結合して動作するプロセッサ；を含み、前記プロセッサは、
サイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）のための送信電力を決定し、
前記決定された送信電力で前記ＳＬＳＳ及びＰＳＢＣＨを送信し、
前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）の両方ともにより同時にトリガ（ｔｒｉｇｇｅｒ）される場合、
前記ＳＬＳＳ及びＰＳＢＣＨのための送信電力は、前記Ｄ２Ｄ通信のための電力情報（Ｐ−Ｍａｘ）に基づいて決定されることを特徴とする端末。
【発明の効果】
【００２５】
本発明によると、端末は、Ｄ２Ｄ発見信号を送信する時、自分に設定されたレンジクラス（ｒａｎｇｅ  ｃｌａｓｓ）によって異なるように決定されることができる最大送信電力値を指示する電力情報に基づいてＤ２Ｄ発見信号を送信することができる。したがって、不要な電力浪費と干渉発生を減らすことができる。また、Ｄ２Ｄ動作のための同期化信号とブロードキャストチャネルの送信時にどのようなＤ２Ｄ動作、例えば、Ｄ２Ｄ発見のためにトリガリングされたか、またはＤ２Ｄ通信のためにトリガリングされたかによって同期化信号とブロードキャストチャネルの送信電力値が変わることができる。前記同期化信号とブロードキャストチャネルがＤ２Ｄ発見とＤ２Ｄ通信の両方ともによりトリガリングされた場合、何によって送信電力を決定しなければならないかが不明であり、本発明ではこれに対して明確に規定している。したがって、不明確性を除去することができる。
【図面の簡単な説明】
【００２６】
【図１】図１は、無線通信システムを示す。
【００２７】
【図２】図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【００２８】
【図３】図３は、制御平面（ｃｏｎｔｒｏｌ  ｐｌａｎｅ）に対する無線プロトコル構造を示すブロック図である。
【００２９】
【図４】図４は、ＰｒｏＳｅのための基準構造を示す。
【００３０】
【図５】図５は、ＰｒｏＳｅ直接通信を実行する端末とセルカバレッジの配置例を示す。
【００３１】
【図６】図６は、Ｄ２Ｄ発見過程の一実施例である。
【００３２】
【図７】図７は、Ｄ２Ｄ発見過程の他の実施例である。
【００３３】
【図８】図８は、中継機能を提供する端末の例を示す。
【００３４】
【図９】図９は、前述した‘場合（１）’及び‘場合（２）’を例示する。
【００３５】
【図１０】図１０は、本発明の一実施例に係る端末の発見信号送信方法を示す。
【００３６】
【図１１】図１１は、前述した‘例示＃２−１’による端末のＤ２Ｄ信号に対する送信電力決定方法を示す。
【００３７】
【図１２】図１２は、同じサブフレームでＤ２Ｄ発見とＤ２Ｄ通信の両方とものために（または、Ｄ２Ｄ発見（送信）とＤ２Ｄ通信（送信）により同時に）ＳＳＳ／ＰＳＢＣＨがトリガリングされた場合、送信電力決定方法を例示する。
【００３８】
【図１３】図１３は、場合（２）の一例である。
【００３９】
【図１４】図１４は、‘場合（２）’に対する他の変形例である。
【００４０】
【図１５】図１５は、本発明の一実施例に係る電力制御方法を示す。
【００４１】
【図１６】図１６は、便宜上、図９の副図面（ｂ）を再び示す。
【００４２】
【図１７】図１７は、Ｄ２Ｄ信号の送信とＷＡＮアップリンク信号を送信するタイミングを示す例である。
【００４３】
【図１８】図１８は、搬送波ｃのサブフレームｋと搬送波ｘのサブフレームｉが重なる場合を示す。
【００４４】
【図１９】図１９は、サイドリンクサブフレームが複数のアップリンクサブフレームと重なる場合を例示する。
【００４５】
【図２０】図２０は、本発明の一実施例に係るアップリンク送信電力決定方法を示す。
【００４６】
【図２１】図２１は、本発明の実施例が具現される端末を示すブロック図である。
【発明を実施するための形態】
【００４７】
図１は、無線通信システムを示す。
【００４８】
無線通信システムは、例えば、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムということができる。
【００４９】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００５０】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００５１】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００５２】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００５３】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ  ｓｔａｃｋ）であり、制御平面は、制御信号送信のためのプロトコルスタックである。
【００５４】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴にトランスポートされるかによって分類される。
【００５５】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００５６】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００５７】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００５８】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００５９】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００６０】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００６１】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００６２】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルとしては、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００６３】
トランスポートチャネル上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００６４】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００６５】
ＲＲＣ状態とは、端末のＲＲＣ階層がＥ−ＵＴＲＡＮのＲＲＣ階層と論理的接続（ｌｏｇｉｃａｌ  ｃｏｎｎｅｃｔｉｏｎ）されているかどうかを意味し、接続している場合はＲＲＣ接続状態（ＲＲＣ＿ＣＯＮＮＥＣＴＥＤ）といい、接続されていない場合はＲＲＣアイドル状態（ＲＲＣ＿ＩＤＬＥ）という。ＲＲＣ接続状態の端末は、ＲＲＣ接続が存在するため、Ｅ−ＵＴＲＡＮは、該当端末の存在をセル単位で把握することができ、したがって、端末を効果的に制御することができる。それに対し、ＲＲＣアイドル状態の端末は、Ｅ−ＵＴＲＡＮが把握することができず、セルより大きい地域単位であるトラッキング領域（Ｔｒａｃｋｉｎｇ  Ａｒｅａ）単位でＣＮ（ｃｏｒｅ  ｎｅｔｗｏｒｋ）が管理する。即ち、ＲＲＣアイドル状態の端末は、大きい地域単位に存在可否のみが把握され、音声やデータのような通常の移動通信サービスを受けるためにはＲＲＣ接続状態に移動しなければならない。
【００６６】
ユーザが端末の電源を最初にオンにした時、端末は、まず、適切なセルを探索した後、該当セルでＲＲＣアイドル状態にとどまる。ＲＲＣアイドル状態の端末は、ＲＲＣ接続を確立する必要がある時になって初めてＲＲＣ接続過程（ＲＲＣ  ｃｏｎｎｅｃｔｉｏｎ  ｐｒｏｃｅｄｕｒｅ）を介してＥ−ＵＴＲＡＮとＲＲＣ接続を確立し、ＲＲＣ接続状態に移動する。ＲＲＣアイドル状態の端末がＲＲＣ接続を確立する必要がある場合は多様であり、例えば、ユーザの通話試みなどの理由で上りデータ送信が必要な場合、またはＥ−ＵＴＲＡＮからページング（ｐａｇｉｎｇ）メッセージを受信した場合、これに対する応答メッセージ送信などを挙げることができる。
【００６７】
ＲＲＣ階層の上位に位置するＮＡＳ（Ｎｏｎ−Ａｃｃｅｓｓ  Ｓｔｒａｔｕｍ）階層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００６８】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために初期連結（Ｉｎｉｔｉａｌ  Ａｔｔａｃｈ）手順を介して該当ネットワークに登録する過程を実行する。前記連結（Ａｔｔａｃｈ）手順が成功的に遂行されると、端末及びＭＭＥは、ＥＭＭ−ＲＥＧＩＳＴＥＲＥＤ状態になる。
【００６９】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態になる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態になる。端末がＥＣＭ−ＩＤＬＥ状態にある時、Ｅ−ＵＴＲＡＮは、端末のコンテキスト（ｃｏｎｔｅｘｔ）情報を有していない。したがって、ＥＣＭ−ＩＤＬＥ状態の端末は、ネットワークの命令を受ける必要なく、セル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と異なる場合、端末は、トラッキング領域更新（Ｔｒａｃｋｉｎｇ  Ａｒｅａ  Ｕｐｄａｔｅ）手順を介してネットワークに端末の該当位置を知らせる。
【００７０】
以下、Ｄ２Ｄ動作に対して説明する。３ＧＰＰ  ＬＴＥ−ＡではＤ２Ｄ動作と関連したサービスを近接性ベースのサービス（Ｐｒｏｘｉｍｉｔｙ  ｂａｓｅｄ  Ｓｅｒｖｉｃｅｓ：ＰｒｏＳｅ）という。以下、ＰｒｏＳｅは、Ｄ２Ｄ動作と同等な概念であり、ＰｒｏＳｅは、Ｄ２Ｄ動作と混用されることができる。以下、ＰｒｏＳｅに対して記述する。
【００７１】
ＰｒｏＳｅには、ＰｒｏＳｅ直接通信（ｃｏｍｍｕｎｉｃａｔｉｏｎ）とＰｒｏＳｅ直接発見（ｄｉｒｅｃｔ  ｄｉｓｃｏｖｅｒｙ）がある。ＰｒｏＳｅ直接通信は、近接した２以上の端末間で実行される通信を意味する。前記端末は、ユーザ平面のプロトコルを利用して通信を実行することができる。ＰｒｏＳｅ可能端末（ＰｒｏＳｅ−ｅｎａｂｌｅｄ  ＵＥ）は、ＰｒｏＳｅの要求条件と関連している手順をサポートする端末を意味する。別の言及がない場合、ＰｒｏＳｅ可能端末は、公用安全端末（ｐｕｂｌｉｃ  ｓａｆｅｔｙ  ＵＥ）と非公用安全端末（ｎｏｎ−ｐｕｂｌｉｃ  ｓａｆｅｔｙ  ＵＥ）を両方とも含む。公用安全端末は、公用安全に特化された機能とＰｒｏＳｅ過程を両方ともサポートする端末であり、非公用安全端末は、ＰｒｏＳｅ過程はサポートするが、公用安全に特化された機能はサポートしない端末である。
【００７２】
ＰｒｏＳｅ直接発見（ＰｒｏＳｅ  ｄｉｒｅｃｔ  ｄｉｓｃｏｖｅｒｙ）は、ＰｒｏＳｅ可能端末が、隣接した他のＰｒｏＳｅ可能端末を発見するための過程であり、このとき、前記２個のＰｒｏＳｅ可能端末の能力のみを使用する。ＥＰＣ次元のＰｒｏＳｅ発見（ＥＰＣ−ｌｅｖｅｌ  ＰｒｏＳｅ  ｄｉｓｃｏｖｅｒｙ）は、ＥＰＣが２個のＰｒｏＳｅ可能端末の近接可否を判断し、前記２個のＰｒｏＳｅ可能端末にそれらの近接を知らせる過程を意味する。
【００７３】
以下、便宜上、ＰｒｏＳｅ直接通信はＤ２Ｄ通信といい、ＰｒｏＳｅ直接発見はＤ２Ｄ発見という。
【００７４】
図4は、ＰｒｏＳｅのための基準構造を示す。
【００７５】
図4を参照すると、ＰｒｏＳｅのための基準構造は、Ｅ−ＵＴＲＡＮ、ＥＰＣ、ＰｒｏＳｅ応用プログラムを含む複数の端末、ＰｒｏＳｅ応用サーバ（ＰｒｏＳｅ  ＡＰＰ  ｓｅｒｖｅｒ）、及びＰｒｏＳｅ機能（ＰｒｏＳｅ  ｆｕｎｃｔｉｏｎ）を含む。
【００７６】
ＥＰＣは、Ｅ−ＵＴＲＡＮコアネットワーク構造を代表する。ＥＰＣは、ＭＭＥ、Ｓ−ＧＷ、Ｐ−ＧＷ、政策及び課金規則（ｐｏｌｉｃｙ  ａｎｄ  ｃｈａｒｇｉｎｇ  ｒｕｌｅｓ  ｆｕｎｃｔｉｏｎ：ＰＣＲＦ）、ホーム加入者サーバ（ｈｏｍｅ  ｓｕｂｓｃｒｉｂｅｒ  ｓｅｒｖｅｒ：ＨＳＳ）などを含むことができる。
【００７７】
ＰｒｏＳｅ応用サーバは、応用機能を作成するためのＰｒｏＳｅ能力のユーザである。ＰｒｏＳｅ応用サーバは、端末内の応用プログラムと通信することができる。端末内の応用プログラムは、応用機能を作成するためのＰｒｏＳｅ能力を使用することができる。
【００７８】
ＰｒｏＳｅ機能は、下記のうち少なくとも一つを含むことができるが、必ずこれに制限されるものではない。
【００７９】
−第３者応用プログラムに向かう基準点を介したインターワーキング（Ｉｎｔｅｒｗｏｒｋｉｎｇ  ｖｉａ  ａ  ｒｅｆｅｒｅｎｃｅ  ｐｏｉｎｔ  ｔｏｗａｒｄｓ  ｔｈｅ  ３ｒｄ  ｐａｒｔｙ  ａｐｐｌｉｃａｔｉｏｎｓ）
【００８０】
−発見及び直接通信のための認証及び端末に対する設定（Ａｕｔｈｏｒｉｚａｔｉｏｎ  ａｎｄ  ｃｏｎｆｉｇｕｒａｔｉｏｎ  ｏｆ  ｔｈｅ  ＵＥ  ｆｏｒ  ｄｉｓｃｏｖｅｒｙ  ａｎｄ  ｄｉｒｅｃｔ  ｃｏｍｍｕｎｉｃａｔｉｏｎ）
【００８１】
−ＥＰＣ次元のＰｒｏＳｅ発見の機能（Ｅｎａｂｌｅ  ｔｈｅ  ｆｕｎｃｔｉｏｎａｌｉｔｙ  ｏｆ  ｔｈｅ  ＥＰＣ  ｌｅｖｅｌ  ＰｒｏＳｅ  ｄｉｓｃｏｖｅｒｙ）
【００８２】
−ＰｒｏＳｅと関連した新しい加入者データ及びデータ格納調整、ＰｒｏＳｅ  ＩＤの調整（ＰｒｏＳｅ  ｒｅｌａｔｅｄ  ｎｅｗ  ｓｕｂｓｃｒｉｂｅｒ  ｄａｔａ  ａｎｄ  ｈａｎｄｌｉｎｇ  ｏｆ  ｄａｔａ  ｓｔｏｒａｇｅ、ａｎｄ  ａｌｓｏ  ｈａｎｄｌｉｎｇ  ｏｆ  ＰｒｏＳｅ  ｉｄｅｎｔｉｔｉｅｓ）
【００８３】
−セキュリティ関連機能（Ｓｅｃｕｒｉｔｙ  ｒｅｌａｔｅｄ  ｆｕｎｃｔｉｏｎａｌｉｔｙ）
【００８４】
−政策関連機能のためにＥＰＣに向かう制御提供（Ｐｒｏｖｉｄｅ  ｃｏｎｔｒｏｌ  ｔｏｗａｒｄｓ  ｔｈｅ  ＥＰＣ  ｆｏｒ  ｐｏｌｉｃｙ  ｒｅｌａｔｅｄ  ｆｕｎｃｔｉｏｎａｌｉｔｙ）
【００８５】
−課金のための機能提供（Ｐｒｏｖｉｄｅ  ｆｕｎｃｔｉｏｎａｌｉｔｙ  ｆｏｒ  ｃｈａｒｇｉｎｇ（ｖｉａ  ｏｒ  ｏｕｔｓｉｄｅ  ｏｆ  ＥＰＣ、例えば、ｏｆｆｌｉｎｅ  ｃｈａｒｇｉｎｇ））
【００８６】
以下、ＰｒｏＳｅのための基準構造において、基準点と基準インターフェースを説明する。
【００８７】
−ＰＣ１：端末内のＰｒｏＳｅ応用プログラムとＰｒｏＳｅ応用サーバ内のＰｒｏＳｅ応用プログラムとの間の基準点である。これは応用次元でシグナリング要求条件を定義するために使われる。
【００８８】
−ＰＣ２：ＰｒｏＳｅ応用サーバとＰｒｏＳｅ機能との間の基準点である。これはＰｒｏＳｅ応用サーバとＰｒｏＳｅ機能との間の相互作用を定義するために使われる。ＰｒｏＳｅ機能のＰｒｏＳｅデータベースの応用データアップデートが前記相互作用の一例になることができる。
【００８９】
−ＰＣ３：端末とＰｒｏＳｅ機能との間の基準点である。端末とＰｒｏＳｅ機能との間の相互作用を定義するために使われる。ＰｒｏＳｅ発見及び通信のための設定が前記相互作用の一例になることができる。
【００９０】
−ＰＣ４：ＥＰＣとＰｒｏＳｅ機能との間の基準点である。ＥＰＣとＰｒｏＳｅ機能との間の相互作用を定義するために使われる。前記相互作用は、端末間に１：１通信のための経路を設定する時、またはリアルタイムセッション管理や移動性管理のためのＰｒｏＳｅサービスを認証する時を例示することができる。
【００９１】
−ＰＣ５：端末間に発見及び通信、中継、１：１通信のために制御／ユーザ平面を使用するための基準点である。
【００９２】
−ＰＣ６：互いに異なるＰＬＭＮに属するユーザ間にＰｒｏＳｅ発見のような機能を使用するための基準点である。
【００９３】
−ＳＧｉ：応用データ及び応用次元制御情報交換のために使われることができる。
【００９４】
Ｄ２Ｄ動作は、端末がネットワークのカバレッジ内でサービスを受ける場合やネットワークのカバレッジから外れた場合の両方ともでサポートされることができる。
【００９５】
図５は、Ｄ２Ｄ動作を実行する端末とセルカバレッジの配置例を示す。
【００９６】
図５（ａ）を参照すると、端末Ａ及び端末Ｂは、両方ともセルカバレッジの外側に位置できる。図５（ｂ）を参照すると、端末Ａは、セルカバレッジ内に位置し、端末Ｂは、セルカバレッジの外側に位置できる。図５（ｃ）を参照すると、端末Ａ及びＢは、両方とも単一セルカバレッジ内に位置できる。図５（ｄ）を参照すると、端末Ａは、第１のセルのカバレッジ内に位置し、端末Ｂは、第２のセルのカバレッジ内に位置できる。
【００９７】
Ｄ２Ｄ動作は、図５のように多様な位置にある端末間に実行されることができる。
【００９８】
＜Ｄ２Ｄ通信（ＰｒｏＳｅ直接通信）のための無線リソース割当＞
【００９９】
Ｄ２Ｄ通信のためのリソース割当には、下記の二つのモード（ｍｏｄｅ）のうち少なくとも一つを利用することができる。
【０１００】
１．モード１
【０１０１】
モード１は、ＰｒｏＳｅ直接通信のためのリソースを基地局からスケジューリングを受けるモードである。モード１により端末がデータを送信するためにはＲＲＣ＿ＣＯＮＮＥＣＴＥＤ状態でなければならない。端末は、送信リソースを基地局に要求し、基地局は、スケジューリング割当及びデータ送信のためのリソースをスケジューリングする。端末は、基地局にスケジューリング要求を送信し、ＰｒｏＳｅ  ＢＳＲ（Ｂｕｆｆｅｒ  Ｓｔａｔｕｓ  Ｒｅｐｏｒｔ）を送信することができる。基地局は、ＰｒｏＳｅ  ＢＳＲに基づいて、前記端末がＰｒｏＳｅ直接通信をするデータを有しており、この送信のためのリソースが必要であると判断する
【０１０２】
２．モード２
【０１０３】
モード２は、端末が直接リソースを選択するモードである。端末は、リソースプール（ｒｅｓｏｕｒｃｅ  ｐｏｏｌ）で直接ＰｒｏＳｅ直接通信のためのリソースを選択する。リソースプールは、ネットワークにより設定され、または予め決まることができる。
【０１０４】
一方、端末がサービングセルを有している場合、即ち、端末が基地局とＲＲＣ＿ＣＯＮＮＥＣＴＥＤ状態にある場合、またはＲＲＣ＿ＩＤＬＥ状態で特定セルに位置した場合、前記端末は、基地局のカバレッジ内にあると見なされる。
【０１０５】
端末がカバレッジ外にある場合、前記モード２のみ適用されることができる。もし、端末がカバレッジ内にある場合、基地局の設定によってモード１またはモード２を使用することができる。
【０１０６】
他の例外的な条件がない場合、基地局が設定した時にのみ、端末は、モード１からモード２に、またはモード２からモード１にモードを変更することができる。
【０１０７】
＜Ｄ２Ｄ発見（ＰｒｏＳｅ直接発見：ＰｒｏＳｅ  ｄｉｒｅｃｔ  ｄｉｓｃｏｖｅｒｙ）＞
【０１０８】
Ｄ２Ｄ発見は、ＰｒｏＳｅ可能端末が近接した他のＰｒｏＳｅ可能端末を発見するのに使われる手順を意味し、ＰｒｏＳｅ直接発見とも呼ぶ。以下、ＰｒｏＳｅ直接発見に使われる情報を発見情報（ｄｉｓｃｏｖｅｒｙ  ｉｎｆｏｒｍａｔｉｏｎ）という。
【０１０９】
Ｄ２Ｄ発見のためにはＰＣ５インターフェースが使われることができる。ＰＣ５インターフェースは、ＭＡＣ階層、ＰＨＹ階層及び上位階層であるＰｒｏＳｅ  Ｐｒｏｔｏｃｏｌ階層で構成される。上位階層（ＰｒｏＳｅ  Ｐｒｏｔｏｃｏｌ）で発見情報（ｄｉｓｃｏｖｅｒｙ  ｉｎｆｏｒｍａｔｉｏｎ）のお知らせ（ａｎｎｏｕｎｃｅｍｅｎｔ：以下、アナウンスメント）及びモニタリング（ｍｏｎｉｔｏｒｉｎｇ）に対する許可を取り扱い、発見情報の内容は、ＡＳ（ａｃｃｅｓｓ  ｓｔｒａｔｕｍ）に対して透明（ｔｒａｎｓｐａｒｅｎｔ）である。ＰｒｏＳｅ  Ｐｒｏｔｏｃｏｌは、アナウンスメントのために有効な発見情報のみがＡＳに伝達されるようにする。ＭＡＣ階層は、上位階層（ＰｒｏＳｅ  Ｐｒｏｔｏｃｏｌ）から発見情報を受信する。ＩＰ階層は、発見情報送信のために使われない。ＭＡＣ階層は、上位階層から受けた発見情報をアナウンスするために使われるリソースを決定する。ＭＡＣ階層は、発見情報を伝送するＭＡＣ  ＰＤＵ（ｐｒｏｔｏｃｏｌ  ｄａｔａ  ｕｎｉｔ）を作って物理階層に送る。ＭＡＣヘッダは、追加されない。
【０１１０】
発見情報アナウンスメントのために二つのタイプ（ｔｙｐｅ）のリソース割当がある。
【０１１１】
１．タイプ１
【０１１２】
発見情報のアナウンスメントのためのリソースが端末特定的でなく割り当てられる方法であって、基地局が端末に発見情報アナウンスメントのためのリソースプール設定を提供する。この設定は、システム情報ブロック（ｓｙｓｔｅｍ  ｉｎｆｏｒｍａｔｉｏｎ  ｂｌｏｃｋ：ＳＩＢ）に含まれてブロードキャスト方式でシグナリングされることができる。または、前記設定は、端末特定的なＲＲＣメッセージに含まれて提供されることができる。または、前記設定は、ＲＲＣメッセージ外の他の階層のブロードキャストシグナリングまたは端末特定的なシグナリングになることもできる。
【０１１３】
端末は、指示されたリソースプールから自体的にリソースを選択し、選択したリソースを利用して発見情報をアナウンスする。端末は、各発見周期（ｄｉｓｃｏｖｅｒｙ  ｐｅｒｉｏｄ）中に任意に選択したリソースを介して発見情報をアナウンスすることができる。
【０１１４】
２．タイプ２
【０１１５】
発見情報のアナウンスメントのためのリソースが、端末特定的に割り当てられる方法である。ＲＲＣ＿ＣＯＮＮＥＣＴＥＤ状態にある端末は、ＲＲＣ信号を介して基地局に発見信号アナウンスメントのためのリソースを要求することができる。基地局は、ＲＲＣ信号で発見信号アナウンスメントのためのリソースを割り当てることができる。端末に設定されたリソースプール内で発見信号モニタリングのためのリソースが割り当てられることができる。
【０１１６】
ＲＲＣ＿ＩＤＬＥ状態にある端末に対して、基地局は、１）発見信号アナウンスメントのためのタイプ１のリソースプールをＳＩＢで知らせることができる。ＰｒｏＳｅ直接発見が許容された端末は、ＲＲＣ＿ＩＤＬＥ状態で発見情報アナウンスメントのためにタイプ１のリソースプールを利用する。または、基地局は、２）ＳＩＢを介して前記基地局が、ＰｒｏＳｅ直接発見はサポートすることを知らせるが、発見情報アナウンスメントのためのリソースは提供しない。この場合、端末は、発見情報アナウンスメントのためにはＲＲＣ＿ＣＯＮＮＥＣＴＥＤ状態に進入しなければならない。
【０１１７】
ＲＲＣ＿ＣＯＮＮＥＣＴＥＤ状態にある端末に対して、基地局は、ＲＲＣ信号を介して前記端末が発見情報アナウンスメントのためにタイプ１のリソースプールを使用するか、またはタイプ２のリソースを使用するかを設定することができる。
【０１１８】
図６は、Ｄ２Ｄ発見過程の一実施例である。
【０１１９】
図６を参照すると、端末Ａと端末Ｂは、ＰｒｏＳｅが可能な応用プログラム（ＰｒｏＳｅ−ｅｎａｂｌｅｄ  ａｐｐｌｉｃａｔｉｏｎ）が運用されており、前記応用プログラムで相互間に‘友人’である関係、即ち、相互間にＤ２Ｄ通信を許容することができる関係に設定されていると仮定する。以下、端末Ｂは、端末Ａの‘友人’と表現できる。前記応用プログラムは、例えば、ソーシャルネットワーキングプログラムである。‘３ＧＰＰ  Ｌａｙｅｒｓ’は、３ＧＰＰにより規定された、ＰｒｏＳｅ発見サービスを利用するための応用プログラムの機能に対応される。
【０１２０】
端末Ａと端末Ｂとの間のＰｒｏＳｅ直接発見は、下記の過程を経ることができる。
【０１２１】
１．まず、端末Ａは、応用サーバと正規応用レイヤ通信（ｒｅｇｕｌａｒ  ａｐｐｌｉｃａｔｉｏｎ−Ｌａｙｅｒ  ｃｏｍｍｕｎｉｃａｔｉｏｎ）を実行する。この通信は、応用プログラムインターフェース（Ａｐｐｌｉｃａｔｉｏｎ  ｐｒｏｇｒａｍｍｉｎｇ  ｉｎｔｅｒｆａｃｅ：ＡＰＩ）に基づいて行われる。
【０１２２】
２．端末ＡのＰｒｏＳｅ可能応用プログラムは、‘友人’である関係にある応用レイヤＩＤのリストを受信する。前記応用レイヤＩＤは、一般的にネットワーク接続ＩＤ形態である。例えば、端末Ａの応用レイヤＩＤは、“ａｄａｍ＠ｅｘａｍｐｌｅ．ｃｏｍ”のような形態である。
【０１２３】
３．端末Ａは、端末Ａのユーザのための個人表現コード（ｐｒｉｖａｔｅ  ｅｘｐｒｅｓｓｉｏｎｓ  ｃｏｄｅｓ）、前記ユーザの友人のための個人表現コードを要求する。
【０１２４】
４．３ＧＰ  Ｐｌａｙｅｒｓは、ＰｒｏＳｅサーバに表現コード要求を送信する。
【０１２５】
５．ＰｒｏＳｅサーバは、運営者または第３者応用サーバから提供される応用レイヤＩＤを個人表現コードにマッピングする。例えば、“ａｄａｍ＠ｅｘａｍｐｌｅ．ｃｏｍ”のような応用レイヤＩＤは、“ＧＴＥＲ５４３＄＃２ＦＳＪ６７ＤＦＳＦ”のような個人表現コードにマッピングされることができる。このマッピングは、ネットワークの応用サーバから受けたパラメータ（例えば、マッピングアルゴリズム、キー値等）に基づいて実行されることができる。
【０１２６】
６．ＰｒｏＳｅサーバは、導出された表現コードを３ＧＰＰ  ｌａｙｅｒｓに応答する。３ＧＰＰ  ｌａｙｅｒｓは、要求された応用レイヤＩＤに対する表現コードが成功的に受信されたことをＰｒｏＳｅ可能応用プログラムに知らせる。そして、応用レイヤＩＤと表現コードとの間のマッピングテーブルを生成する。
【０１２７】
７．ＰｒｏＳｅ可能応用プログラムは、３ＧＰＰ  ｌａｙｅｒｓに発見手順を開始するように要求する。即ち、提供された‘友人’のうち一つが端末Ａの近くにあり、直接通信が可能な時に発見を試みるようにする。３ＧＰＰ  ｌａｙｅｒｓは、端末Ａの個人表現コード（即ち、前記例において、“ａｄａｍ＠ｅｘａｍｐｌｅ．ｃｏｍ”の個人表現コードである“ＧＴＥＲ５４３＄＃２ＦＳＪ６７ＤＦＳＦ”）を知らせる（ａｎｎｏｕｎｃｅ）。以下、これを‘アナウンス’という。該当応用プログラムの応用レイヤＩＤと個人表現コードとの間のマッピングは、このようなマッピング関係を予め受信した‘友人’のみが知ることができ、そのマッピングを実行することができる。
【０１２８】
８．端末Ｂは、端末Ａと同じＰｒｏＳｅ可能応用プログラムを運用中であり、前述した３乃至６ステップを実行したと仮定する。端末Ｂにある３ＧＰＰ  ｌａｙｅｒｓは、ＰｒｏＳｅ発見を実行することができる。
【０１２９】
９．端末Ｂが端末Ａから前述したアナウンスを受信すると、端末Ｂは、前記アナウンスに含まれている個人表現コードが自分が知っているかどうか及び応用レイヤＩＤとマッピングされるかどうかを判断する。８ステップで説明したように、端末Ｂも３乃至６ステップを実行したため、端末Ａに対する個人表現コード、個人表現コードと応用レイヤＩＤとのマッピング、該当応用プログラムが何かを知っている。したがって、端末Ｂは、端末Ａのアナウンスから端末Ａを発見することができる。端末Ｂ内で、３ＧＰＰ  ｌａｙｅｒｓは、ＰｒｏＳｅ可能応用プログラムに“ａｄａｍ＠ｅｘａｍｐｌｅ．ｃｏｍ”を発見したことを知らせる。
【０１３０】
図６では、端末Ａ及びＢとＰｒｏＳｅサーバ、応用サーバなどを全て考慮して発見手順を説明した。端末Ａと端末Ｂとの間の動作側面に限定してみると、端末Ａは、アナウンスと呼ばれる信号を送信（この過程をアナウンスメントという）し、端末Ｂは、前記アナウンスを受信して端末Ａを発見する。即ち、各端末で行われる動作のうち他の端末と直接的に関連した動作は、ただ一つのステップであるという側面で、図６の発見過程は、単一ステップ発見手順とも呼ぶ。
【０１３１】
図７は、Ｄ２Ｄ発見過程の他の実施例である。
【０１３２】
図７において、端末１乃至４は、特定ＧＣＳＥ（ｇｒｏｕｐ  ｃｏｍｍｕｎｉｃａｔｉｏｎ  ｓｙｓｔｅｍ  ｅｎａｂｌｅｒｓ）グループに含まれた端末と仮定する。端末１は、発見者（ｄｉｓｃｏｖｅｒｅｒ）であり、端末２、３、４は、発見される者（ｄｉｓｃｏｖｅｒｅｅ）と仮定する。端末５は、発見過程と関係ない端末である。
【０１３３】
端末１及び端末２−４は、発見過程で下記の動作を実行することができる。
【０１３４】
まず、端末１は、前記ＧＣＳＥグループに含まれている任意の端末が周囲にあるかどうかを発見するために、ターゲット発見要求メッセージ（ｔａｒｇｅｔｅｄ  ｄｉｓｃｏｖｅｒｙ  ｒｅｑｕｅｓｔ  ｍｅｓｓａｇｅ、以下、発見要求メッセージまたはＭ１と略称できる）をブロードキャストする。ターゲット発見要求メッセージには、前記特定ＧＣＳＥグループの固有な応用プログラムグループＩＤまたはレイヤ−２グループＩＤを含むことができる。また、ターゲット発見要求メッセージには、端末１の固有なＩＤ、即ち、応用プログラム個人ＩＤを含むことができる。ターゲット発見要求メッセージは、端末２、３、４及び５により受信されることができる。
【０１３５】
端末５は、何らの応答メッセージを送信しない。それに対し、前記ＧＣＳＥグループに含まれている端末２、３、４は、前記ターゲット発見要求メッセージに対する応答としてターゲット発見応答メッセージ（Ｔａｒｇｅｔｅｄ  ｄｉｓｃｏｖｅｒｙ  ｒｅｓｐｏｎｓｅ  ｍｅｓｓａｇｅ、以下、発見応答メッセージまたはＭ２と略称できる）を送信する。ターゲット発見応答メッセージには、このメッセージを送信する端末の固有な応用プログラム個人ＩＤが含まれることができる。
【０１３６】
図７で説明したＰｒｏＳｅ発見過程で端末間の動作をみると、発見者（端末１）は、ターゲット発見要求メッセージを送信し、これに対する応答であるターゲット発見応答メッセージを受信する。また、発見される者（例えば、端末２）もターゲット発見要求メッセージを受信すると、これに対する応答としてターゲット発見応答メッセージを送信する。したがって、各端末は、２ステップの動作を実行する。このような側面で図７のＰｒｏＳｅ発見過程は、２ステップ発見手順ということができる。
【０１３７】
前記図７で説明した発見手順に加えて、もし、端末１（発見者）がターゲット発見応答メッセージに対する応答として発見確認メッセージ（ｄｉｓｃｏｖｅｒｙ  ｃｏｎｆｉｒｍ  ｍｅｓｓａｇｅ、以下、Ｍ３と略称）を送信する場合、これは３ステップ発見手順ということができる。
【０１３８】
一方、Ｄ２Ｄ動作をサポートする端末は、他のネットワークノード（例えば、他の端末や基地局）に中継機能（ｒｅｌａｙ  ｆｕｎｃｔｉｏｎａｌｉｔｙ）を提供することができる。
【０１３９】
図８は、中継機能を提供する端末の例を示す。
【０１４０】
図８を参照すると、端末２  １５３が基地局１５１と端末１  １５２との間で中継器役割をする。即ち、端末２  １５３は、ネットワークのカバレッジ１５４外側に位置している端末１  １５２と前記基地局１５１との間で中継をしているネットワークノードということができる。端末１及び２  １５２、１５３間にはＤ２Ｄ動作が実行されることができ、端末２  １５３と基地局１５１との間には既存のセルラ通信（または、ＷＡＮ（ｗｉｄｅ  ａｒｅａ  ｎｅｔｗｏｒｋ）通信）が実行されることができる。図８において、端末１  １５２は、ネットワークカバレッジの外側に位置しているため、端末２  １５３が中継機能を提供しない場合、ネットワーク１５１と通信を実行することができない。
【０１４１】
以下、本発明に対して説明する。
【０１４２】
本発明では、Ｄ２Ｄ動作を実行する端末（このような端末を以下で“Ｄ２Ｄ端末”とも呼ぶ）がＤ２Ｄ信号を送信する時の送信電力（ＴＲＡＮＳＭＩＳＳＩＯＮ  ＰＯＷＥＲ）を効率的に決定する方法を提案する。ここで、Ｄ２Ｄ動作にはＤ２Ｄ発見とＤ２Ｄ通信がある。これに対しては前述した。Ｄ２Ｄ通信は、端末が他の端末と直接無線チャネルを利用してデータをやり取りする通信を実行することを意味し、Ｄ２Ｄ発見とは区分されて使われることができる。以下で、Ｄ２Ｄ発見は、単純に発見ということもできる。端末は、一般的にユーザが使用する端末を意味するが、基地局のようなネットワーク装備が端末間の通信方式によって信号を送／受信する場合には前記ネットワーク装備も一種の端末と見なされることができる。
【０１４３】
まず、本明細書で使われる略字を説明する。
【０１４４】
（１）ＰＳＢＣＨ（Ｐｈｙｓｉｃａｌ  Ｓｉｄｅｌｉｎｋ  Ｂｒｏａｄｃａｓｔ  ＣＨａｎｎｅｌ）：物理サイドリンクブロードキャストチャネル。
【０１４５】
（２）ＰＳＣＣＨ（Ｐｈｙｓｉｃａｌ  Ｓｉｄｅｌｉｎｋ  Ｃｏｎｔｒｏｌ  ＣＨａｎｎｅｌ）：物理サイドリンク制御チャネル。
【０１４６】
（３）ＰＳＤＣＨ（Ｐｈｙｓｉｃａｌ  Ｓｉｄｅｌｉｎｋ  Ｄｉｓｃｏｖｅｒｙ  ＣＨａｎｎｅｌ）：物理サイドリンク発見チャネル。
【０１４７】
（４）ＰＳＳＣＨ（Ｐｈｙｓｉｃａｌ  Ｓｉｄｅｌｉｎｋ  Ｓｈａｒｅｄ  ＣＨａｎｎｅｌ）：物理サイドリンク共有チャネル。
【０１４８】
（５）ＳＳＳ（Ｓｉｄｅｌｉｎｋ  Ｓｙｎｃｈｒｏｎｉｚａｔｉｏｎ  Ｓｉｇｎａｌ）：サイドリンク同期化信号。ＳＳＳは、ＳＬＳＳと表現することもできる。ＳＳＳにはＰＳＳＳとＳＳＳＳがある。Ａ．ＰＳＳＳ（Ｐｒｉｍａｒｙ  Ｓｉｄｅｌｉｎｋ  Ｓｙｎｃｈｒｏｎｉｚａｔｉｏｎ  Ｓｉｇｎａｌ）：プライマリサイドリンク同期化信号、Ｂ．ＳＳＳＳ（Ｓｅｃｏｎｄａｒｙ  Ｓｉｄｅｌｉｎｋ  Ｓｙｎｃｈｒｏｎｉｚａｔｉｏｎ  Ｓｉｇｎａｌ）：セカンダリサイドリンク同期化信号。
【０１４９】
以下、説明の便宜のために３ＧＰＰ  ＬＴＥ／ＬＴＥ−Ａシステムに基づいて提案方式を説明する。しかし、提案方式が適用されるシステムの範囲は、３ＧＰＰ  ＬＴＥ／ＬＴＥ−Ａシステム外に他のシステムに拡張することも可能である。
【０１５０】
端末がＤ２Ｄ動作を実行するサブフレームでのＰＳＳＣＨ／ＰＳＣＣＨ／ＰＳＤＣＨ／ＰＳＳＳ／ＳＳＳＳと関連した送信電力は、下記のように計算することができる。
【０１５１】
１）ＰＳＳＣＨ電力制御
【０１５２】
サイドリンク送信モード１及びＰＳＣＣＨ周期ｉにおいて、もし、ＰＳＣＣＨ周期ｉに対するサイドリンクグラントのＴＰＣフィールドが０に設定される場合、ＰＰＳＳＣＨ＝ＰＣＭＡＸ、ＰＳＳＣＨとして与えられる。もし、ＰＳＣＣＨ周期ｉに対するサイドリンクグラントのＴＰＣフィールドが１に設定される場合、ＰＰＳＳＣＨは、下記のように与えられる。
【０１５３】
【数１】
0006392462.tif 000002
【０１５４】
前記数式において、ＰＣＭＡＸ、ＰＳＳＣＨは、ＰＳＳＣＨが送信されるサイドリンクサブフレームに対応するアップリンクサブフレームに対して端末により決定されるＰＣＭＡＸ、ｃ値である。ＭＰＳＳＣＨは、リソースブロックの個数で表現されるＰＳＳＣＨリソース割当の帯域である。ＰＬは、経路損失値を示す。ＰＯ＿ＰＳＳＣＨ、１及びαＰＳＳＣＨ、１は、上位階層パラメータにより提供される値である。
【０１５５】
サイドリンク送信モード２に対して、ＰＰＳＳＣＨは、下記のように与えられる。
【０１５６】
【数２】
0006392462.tif 000003
【０１５７】
前記数式において、ＰＣＭＡＸ、ＰＳＳＣＨは、ＰＳＳＣＨが送信されるサイドリンクサブフレームに対応するアップリンクサブフレームに対して端末により決定されるＰＣＭＡＸ、ｃ値である。ＭＰＳＳＣＨは、リソースブロックの個数で表現されるＰＳＳＣＨリソース割当の帯域である。ＰＬは、経路損失値を示す。ＰＯ＿ＰＳＳＣＨ、２及びαＰＳＳＣＨ、２は、上位階層パラメータにより提供される値である。
【０１５８】
２）ＰＳＣＣＨ電力制御
【０１５９】
サイドリンク送信モード１及びＰＳＣＣＨ周期ｉにおいて、もし、ＰＳＣＣＨ周期ｉに対するサイドリンクグラントのＴＰＣフィールドが０に設定される場合、ＰＰＳＣＣＨ＝ＰＣＭＡＸ、ＰＳＣＣＨとして与えられる。もし、ＰＳＣＣＨ周期ｉに対するサイドリンクグラントのＴＰＣフィールドが１に設定される場合、ＰＰＳＣＣＨは、下記のように与えられる。
【０１６０】
【数３】
0006392462.tif 000004
【０１６１】
前記数式において、ＰＣＭＡＸ、ＰＳＣＣＨは、ＰＳＣＣＨが送信されるサイドリンクサブフレームに対応するアップリンクサブフレームに対して端末により決定されるＰＣＭＡＸ、ｃ値である。ＭＰＳＣＣＨは１であり、ＰＬは経路損失値を示す。ＰＯ＿ＰＳＣＣＨ、１及びαＰＳＣＣＨ、１は、上位階層パラメータにより提供される値である。
【０１６２】
サイドリンク送信モード２に対して、ＰＰＳＣＣＨは、下記のように与えられる。
【０１６３】
【数４】
0006392462.tif 000005
【０１６４】
前記数式において、ＰＣＭＡＸ、ＰＳＣＣＨは、上位階層により設定された（または、ＰＳＣＣＨが送信されるサイドリンクサブフレームに対応するアップリンクサブフレームに対して端末により決定される）ＰＣＭＡＸ、ｃ値である。ＭＰＳＣＣＨは１であり、ＰＬは経路損失値を示す。ＰＯ＿ＰＳＣＣＨ、２及びαＰＳＣＣＨ、２は、上位階層パラメータにより提供される値である。
【０１６５】
３）ＰＳＤＣＨ電力制御
【０１６６】
サイドリンク発見（ｄｉｓｃｏｖｅｒｙ）に対して、ＰＰＳＤＣＨは、下記のように与えられる。
【０１６７】
【数５】
0006392462.tif 000006
【０１６８】
前記数式において、ＰＣＭＡＸ、ＰＳＤＣＨは、ＰＳＤＣＨが送信されるサイドリンクサブフレームに対応するアップリンクサブフレームに対して端末により決定されるＰＣＭＡＸ、ｃ値である。ＭＰＳＤＣＨは２であり、ＰＬは経路損失値を示す。ＰＯ＿ＰＳＤＣＨ、１及びαＰＳＤＣＨ、１は、上位階層パラメータにより提供される値である。
【０１６９】
４）サイドリンク同期化信号（ＳＳＳ）電力制御
【０１７０】
サイドリンクでプライマリ同期化信号（ＰＳＳＳ）及びセカンダリ同期化信号（ＳＳＳＳ）を送信するのに使われる送信電力をＰＰＳＳＳとすると、端末にサイドリンク送信モード１が設定され、ＰＳＣＣＨ周期ｉでサイドリンク同期化信号を送信し、ＰＳＣＣＨ周期ｉに対するサイドリンクグラントでのＴＰＣフィールドが０に設定される場合、ＰＰＳＳＳ＝ＰＣＭＡＸ、ＰＳＳＳとして与えられる。そうでない場合、ＰＰＳＳＳは、下記のように与えられる。
【０１７１】
【数６】
0006392462.tif 000007
【０１７２】
前記数式において、ＰＣＭＡＸ、ＰＳＳＳは、サイドリンク同期化信号（ＳＳＳ）が送信されるサイドリンクサブフレームに対応するアップリンクサブフレームに対して端末により決定されるＰＣＭＡＸ、ｃ値である。ＰＯ＿ＰＳＳＳ及びαＰＳＳＳは、上位階層パラメータにより提供される値であり、対応するサイドリンク同期化信号リソース設定に関連される。
【０１７３】
一方、広域ネットワーク（ＷＡＮ）のアップリンクサブフレーム（即ち、ＬＴＥ／ＬＴＥ−Ａのような広域ネットワークでのアップリンク送信に使われるアップリンクサブフレーム）でのアップリンク信号送信電力決定に利用されるＰＣＭＡＸ、ＰＣＭＡＸ、ｃ値は、下記のように定義され、または計算されることができる。
【０１７４】
端末は、サービングセルｃに対して設定された最大出力電力（ｃｏｎｆｉｇｕｒｅｄ  ｍａｘｉｍｕｍ  ｏｕｔｐｕｔ  ｐｏｗｅｒ）であるＰＣＭＡＸ、ｃを一定範囲内で自体的に設定することが許容される。ＰＣＭＡＸ、ｃは、以下の数式のように特定範囲内で設定されることができる。
【０１７５】
【数７】
0006392462.tif 000008
【０１７６】
前記数式において、ＰＣＭＡＸ＿Ｌ、ｃ及びＰＣＭＡＸ＿Ｈ、ｃは、下記のように与えられる。
【０１７７】
【数８】
0006392462.tif 000009
【０１７８】
前記数式において、ＰＥＭＡＸ、ｃは、サービングセルｃに対する情報要素（Ｉｎｆｏｒｍａｔｉｏｎ  Ｅｌｅｍｅｎｔ）であるＩＥ  Ｐ−Ｍａｘにより提供される値である。前記ＩＥ  Ｐ−Ｍａｘは、ＲＲＣメッセージに含まれることができる。ＰＰｏｗｅｒＣｌａｓｓは、許容誤差（ｔｏｌｅｒａｎｃｅ）を考慮しない最大端末電力（Ｍａｘｉｍｕｍ  ＵＥ  ｐｏｗｅｒ）である。ＭＰＲｃは、サービングセルｃに対する最大電力減少（Ｍａｘｉｍｕｍ  Ｐｏｗｅｒ  Ｒｅｄｕｃｔｉｏｎ）値を示し、Ａ−ＭＰＲｃは、サービングセルｃに対する追加的な最大電力減少（Ａｄｄｉｔｉｏｎａｌ  Ｍａｘｉｍｕｍ  Ｐｏｗｅｒ  Ｒｅｄｕｃｔｉｏｎ）値を示す。ΔＴＩＢ、ｃは、サービングセルｃに対する追加的な許容誤差を示す。ΔＴＣ、ｃは、１．５ｄＢまたは０ｄＢである。Ｐ−ＭＰＲｃは、許容された最大出力電力減少（ａｌｌｏｗｅｄ  ｍａｘｉｍｕｍ  ｏｕｔｐｕｔ  ｐｏｗｅｒ  ｒｅｄｕｃｔｉｏｎ）である。ＭＩＮ｛Ａ、Ｂ｝は、Ａ、Ｂのうち小さいものを示す。
【０１７９】
各サブフレームに対して、サービングセルｃに対するＰＣＭＡＸ＿Ｌ、ｃは、スロット別に計算され、サブフレーム内の２個のスロットの各々で計算されたＰＣＭＡＸ＿Ｌ、ｃのうち最小値（ｍｉｎｉｍｕｍ）がそのサブフレーム全体に適用される。端末は、どのような時間区間でもＰＰｏｗｅｒＣｌａｓｓを超過しない。
【０１８０】
一方、測定された‘設定された最大出力電力’をＰＵＭＡＸ、ｃとすると、ＰＵＭＡＸ、ｃは、以下のような範囲内にあるようになる。
【０１８１】
【数９】
0006392462.tif 000010
【０１８２】
前記数式において、ＭＡＸ｛Ａ、Ｂ｝は、Ａ、Ｂのうち大きいものを示し、Ｔ（ＰＣＭＡＸ、ｃ）は、以下の表により定義されることができる。
【０１８３】
【表１】
0006392462.tif 000011
【０１８４】
変調（ｍｏｄｕｌａｔｉｏｎ）、チャネル帯域（ｃｈａｎｎｅｌ  ｂａｎｄｗｉｄｔｈ）によって最大出力電力（ｍａｘｉｍｕｍ  ｏｕｔｐｕｔ  ｐｏｗｅｒ）に対する許容された最大電力減少（Ｍａｘｉｍｕｍ  Ｐｏｗｅｒ  Ｒｅｄｕｃｔｉｏｎ：ＭＰＲ）が以下の表のように決まることができる。
【０１８５】
【表２】
0006392462.tif 000012
【０１８６】
ネットワークは、端末に追加的なＡＣＬＲ（Ａｄｊａｃｅｎｔ  Ｃｈａｎｎｅｌ  Ｌｅａｋａｇｅ  ｐｏｗｅｒ  Ｒａｔｉｏ）及びスペクトラム放射（ｓｐｅｃｔｒｕｍ  ｅｍｉｓｓｉｏｎ）要件（ｒｅｑｕｉｒｅｍｅｎｔ）をシグナリングし、特定配置シナリオで追加的に満たすべき要件を知らせることができる。ＡＣＬＲは、割り当てられたチャネル周波数の中心でフィルタリングされた平均電力と隣接したチャネル周波数の中心でフィルタリングされた平均電力との比を示す。このような追加的な要件を満たすために、追加的な最大電力減少（Ａｄｄｉｔｉｏｎａｌ  Ｍａｘｉｍｕｍ  Ｐｏｗｅｒ  Ｒｅｄｕｃｔｉｏｎ：Ａ−ＭＰＲ）が許容されることができる。
【０１８７】
アップリンクに複数の搬送波をアグリゲーションして使用するアップリンクキャリアアグリゲーションにおいて、前記複数の搬送波中に含まれたサービングセルｃに対する最大出力電力（Ｍａｘｉｍｕｍ  Ｏｕｔｐｕｔ  ｐｏｗｅｒ）であるＰＣＭＡＸ、ｃ及び前記複数の搬送波の全てに対する最大出力電力であるＰＣＭＡＸを設定することが端末に許容される。
【０１８８】
帯域間（ｉｎｔｅｒ−ｂａｎｄ）のアップリンクキャリアアグリゲーションにおけるＰＣＭＡＸは、以下の数式のように一定範囲内で決まることができる。
【０１８９】
【数１０】
0006392462.tif 000013
【０１９０】
前記数式において、ＰＣＭＡＸ＿Ｌ及びＰＣＭＡＸ＿Ｈは、以下の数式のように決定されることができる。
【０１９１】
【数１１】
0006392462.tif 000014
【０１９２】
前記数式において、ｐＥＭＡＸ、ｃは、サービングセルｃに対してＩＥ  Ｐ−Ｍａｘにより与えられたＰＥＭＡＸ、ｃの線形値（ｌｉｎｅａｒ  ｖａｌｕｅ）である。
【０１９３】
ＰＰｏｗｅｒＣｌａｓｓは、許容誤差（ｔｏｌｅｒａｎｃｅ）を考慮しない最大端末電力（Ｍａｘｉｍｕｍ  ＵＥ  ｐｏｗｅｒ）であり、ｐＰｏｗｅｒＣｌａｓｓは、ＰＰｏｗｅｒＣｌａｓｓの線形値である。ｍｐｒｃ、ａ−ｍｐｒｃは、ＭＰＲｃ及びＡ−ＭＰＲｃの線形値である。ｐｍｐｒｃは、Ｐ−ＭＰＲｃの線形値である。ΔｔＣ、ｃは、ΔＴＣ、ｃの線形値であり、１．４１または０である。ΔｔＩＢ、ｃは、ΔＴＩＢ、ｃの線形値である。
【０１９４】
一方、帯域内（ｉｎｔｒａ−ｂａｎｄ）アップリンクキャリアアグリゲーションにおけるＰＣＭＡＸ＿Ｌ及びＰＣＭＡＸ＿Ｈは、以下の数式のように決まることができる。
【０１９５】
【数１２】
0006392462.tif 000015
【０１９６】
前記数式において、ｐＥＭＡＸ、ｃは、サービングセルｃに対してＩＥ  Ｐ−Ｍａｘにより与えられたＰＥＭＡＸ、ｃの線形値（ｌｉｎｅａｒ  ｖａｌｕｅ）である。ＰＰｏｗｅｒＣｌａｓｓは、許容誤差（ｔｏｌｅｒａｎｃｅ）を考慮しない最大端末電力（Ｍａｘｉｍｕｍ  ＵＥ  ｐｏｗｅｒ）である。ＭＰＲは、最大電力減少（Ｍａｘｉｍｕｍ  Ｐｏｗｅｒ  Ｒｅｄｕｃｔｉｏｎ）値を示し、Ａ−ＭＰＲは、追加的な最大電力減少（Ａｄｄｉｔｉｏｎａｌ  Ｍａｘｉｍｕｍ  Ｐｏｗｅｒ  Ｒｅｄｕｃｔｉｏｎ）値を示す。ΔＴＩＢ、ｃは、サービングセルｃに対する追加的な許容誤差を示す。ΔＴＣは、ΔＴＣ、Ｃのうち最も高い値であり、ΔＴＣ、ｃは、１．５ｄＢまたは０ｄＢである。Ｐ−ＭＰＲは、端末のための電力管理項（ｔｅｒｍ）である。
【０１９７】
各サブフレームに対して、ＰＣＭＡＸ＿Ｌはスロット別に計算され、サブフレーム内の２個のスロットの各々で計算されたＰＣＭＡＸ＿Ｌのうち最小値（ｍｉｎｉｍｕｍ）がそのサブフレーム全体に適用される。端末は、どのような時間区間でもＰＰｏｗｅｒＣｌａｓｓを超過しない。
【０１９８】
端末に複数のＴＡＧ（Ｔｉｍｉｎｇ  Ａｄｖａｎｃｅ  Ｇｒｏｕｐ）が設定され、サブフレームｉで一つのＴＡＧに属する任意のサービングセルのために端末が送信をする場合に、サブフレームｉ＋１で他のＴＡＧに属する他のサービングセルのための送信の１番目のシンボルの一部が重なる場合、端末は、サブフレームｉ、ｉ＋１に対するＰＣＭＡＸ＿Ｌの最小値を前記重なる部分に適用することができる。端末は、どのような時間区間でもＰＰｏｗｅｒＣｌａｓｓを超過しない。
【０１９９】
帯域内（ｉｎｔｒａ−ｂａｎｄ）連続的なキャリアアグリゲーションに対して、ＭＰＲは、下記のように与えられることができる。
【０２００】
【表３】
0006392462.tif 000016
【０２０１】
端末が２個の互いに異なるセルに接続されている状態を示す二重接続（ｄｕａｌ  ｃｏｎｎｅｃｔｉｖｉｔｙ）状態で送信電力を決定する例に対して説明する。
【０２０２】
セルグループｉ（ｉ＝１、２）のサービングセルｃに対する最大出力電力（ｍａｘｉｍｕｍ  ｏｕｔｐｕｔ  ｐｏｗｅｒ）をＰＣＭＡＸ、ｃ、ｉと仮定する。この場合、ＰＣＭＡＸ、ｃ、ｉは、以下の数式のような範囲内で設定されることができる。
【０２０３】
【数１３】
0006392462.tif 000017
【０２０４】
一方、端末の総最大出力電力（ＰＣＭＡＸ）は、下記のように決定される。
【０２０５】
【数１４】
0006392462.tif 000018
【０２０６】
端末に二重接続（ｄｕａｌ  ｃｏｎｎｅｃｔｉｖｉｔｙ）が設定されると、一つのセルグループに対するサブフレームと他のセルグループに対するサブフレームが重なることができる。
【０２０７】
セルグループのアップリンクサービングセル間で同時に送信が発生すると、ＰＣＭＡＸ＿ＬとＰＣＭＡＸ＿Ｈは、帯域間（ｉｎｔｅｒ−ｂａｎｄ）キャリアアグリゲーションと類似するように決定される。
【０２０８】
端末に二重接続が設定され、第１のセルグループの第１のサービングセルに対するサブフレームｐでの送信と第２のセルグループの第２のサービングセルに対するサブフレームｑ＋１での送信とが一部重なるようになると（サブフレームｑ＋１の１番目のシンボルの一部で重なることができる）、端末は、サブフレームの対（ｐ、ｑ）、（ｐ＋１、ｑ＋１）間で、最も小さいＰＣＭＡＸ＿Ｌを前記重なる部分に適用することができる。端末は、どのような時間区間でもＰＰｏｗｅｒＣｌａｓｓを超過しない。
【０２０９】
以下、Ｄ２Ｄ信号を送信するサブフレーム（以下、Ｄ２Ｄ  ＳＦということができる）で、Ｄ２Ｄ信号送信に関連した送信電力を決定／割り当てるのに使われることができる方法に対して説明する。下記方法は、一つのＤ２Ｄ  ＳＦ内でＤ２Ｄ信号送信電力は一定にならなければならず、互いに異なる搬送波上の同じ時点または一部重なる時点で送信される広域ネットワークアップリンク信号送信電力決定に影響を及ぼさないと解釈されることができる。即ち、電力割当観点で広域ネットワーク（ＷＡＮ）アップリンク信号がＤ２Ｄ信号より優先順位が高いと解釈されることができる。
【０２１０】
特定時点で送信されるＤ２Ｄ信号は、下記の規則に基づいて送信電力を決定することができる。以下、説明の便宜のために、下記の場合を仮定する。
【０２１１】
‘場合（１）’（ＣＡＳＥ（１））は、セル＃Ａ上のＤ２Ｄ信号送信サブフレーム（これを“Ｄ２Ｄ  ＴＸ  ＳＦ”ということができる）関連時間同期が、セル＃Ｂ上の広域ネットワーク（ＷＡＮ）アップリンク信号を送信するサブフレーム（これを“ＷＡＮ  ＵＬ  ＴＸ  ＳＦ”ということができる）関連時間同期と一致する場合を示す。
【０２１２】
‘場合（２）’（ＣＡＳＥ（２））は、セル＃Ａ上のＤ２Ｄ信号送信サブフレーム関連時間同期が、セル＃Ｂ上の広域ネットワークアップリンク信号を送信するサブフレーム関連時間同期と一致しない場合を示す。一致しない程度は、事前に定義されたまたはシグナリングされた閾値内である。また、一例として、‘場合（２）’は、セル＃Ａとセル＃Ｂが異なるＴＡＧ（ＴＩＭＩＮＧ  ＡＤＶＡＮＣＥ  ＧＲＯＵＰ）に属することによって、セル＃ＡのＤ２Ｄ信号送信サブフレームであるサブフレーム＃Ｑと、セル＃ＢのＷＡＮアップリンク信号送信サブフレームであるサブフレーム＃（Ｐ＋１）とが一部重なる場合と解釈されることができる。
【０２１３】
図９は、前述した‘場合（１）’及び‘場合（２）’を例示する。
【０２１４】
図９の副図面（ａ）を参照すると、セル＃Ａのサブフレーム＃Ｑ（ＳＦ＃Ｑ）とセル＃Ｂのサブフレーム＃Ｐ（ＳＦ＃Ｐ）が時間的に整列されている。即ち、セル＃Ａのサブフレーム＃Ｑ（ＳＦ＃Ｑ）とセル＃Ｂのサブフレーム＃Ｐ（ＳＦ＃Ｐ）の時間同期が一致する。
【０２１５】
図９の副図面（ｂ）を参照すると、セル＃Ａのサブフレーム＃Ｑ（ＳＦ＃Ｑ）とセル＃Ｂのサブフレーム＃Ｐ（ＳＦ＃Ｐ）が時間的に整列されていない。図９の副図面（ａ）とは違って、セル＃Ａのサブフレーム＃Ｑ（ＳＦ＃Ｑ）とセル＃Ｂのサブフレーム＃Ｐ＋１（ＳＦ＃Ｐ＋１）が一部重なっている。
【０２１６】
本発明の提案方式は、他の場合、例えば、セル＃Ａ上のＤ２Ｄ信号送信サブフレームであるサブフレーム＃Ｑ（または、Ｄ２Ｄセル／搬送波）が、セル＃Ｂ上のＷＡＮ信号送信サブフレームであるサブフレーム＃Ｐ（または、ＷＡＮアップリンクセル（搬送波））より時間領域上で先行（ＬＥＡＤ）する場合、そして／またはセル＃Ｂ上のＷＡＮアップリンク送信サブフレームであるサブフレーム＃Ｐ（または、ＷＡＮアップリンクセル／搬送波）が、セル＃Ａ上のＤ２Ｄ信号送信サブフレームであるサブフレーム＃Ｑ（または、Ｄ２Ｄセル（搬送波））より時間領域上で先行する場合も拡張適用が可能である。
【０２１７】
以下、説明の便宜のために、セル＃Ａのサブフレームインデックス‘Ｑ（／（Ｑ＋１））’は‘Ｋ（または、（Ｋ＋１））（／（Ｋ＋１））’と仮定されることができ、セル＃Ｂのサブフレームインデックス‘Ｐ（／（Ｐ＋１））’は‘Ｋ（または、（Ｋ＋１））（／（Ｋ＋１））’と仮定されることもできる。
【０２１８】
また、本発明の提案方式は、実際に発見信号が送信される時点そして／またはＤ２Ｄ通信（Ｄ２Ｄ  ＣＯＭＭＵＮＩＣＡＴＩＯＮ）による信号送信時点でのみ限定的に適用されることもできる。
【０２１９】
［提案方法＃１］セル＃Ｃのサブフレーム＃ＮでＤ２Ｄ動作を実行しようとする端末が発見信号の送信動作を実行する時、セル＃Ｃと関連した‘ｄｉｓｃＭａｘＴｘＰｏｗｅｒ−ｒ１２’により指示される最大送信電力（ＭＡＸＩＭＵＭ（ＤＩＳＣＯＶＥＲＹ）ＴＸ  ＰＯＷＥＲ）値をＰＥＭＡＸ、Ｃパラメータに代入し、発見信号送信電力決定時に利用されるＰＣＭＡＸ、Ｃ（Ｎ）（そして／またはＰＣＭＡＸ（Ｎ））値を計算することができる。
【０２２０】
ここで、前記‘ｄｉｓｃＭａｘＴｘＰｏｗｅｒ−ｒ１２’は、特定レンジ（ｒａｎｇｅ）クラスで設定された端末が発見信号（ＰｒｏＳｅ  ｄｉｒｅｃｔ  ｄｉｓｃｏｖｅｒｙ）を送信する時に最大送信電力を計算するために使われるパラメータであり、該当セルのカバレッジ内で発見信号を送信する時に特定レンジ（ｒａｎｇｅ）クラスで設定された端末が超えてはならない最大送信電力を示すことができる。
【０２２１】
図１０は、本発明の一実施例に係る端末の発見信号送信方法を示す。
【０２２２】
図１０を参照すると、端末＃１は、ネットワークから発見信号送信のための電力情報（‘ｄｉｓｃＭａｘＴｘＰｏｗｅｒ’）を受信する（Ｓ１０１）。ネットワークは、例えば、端末＃１のサービングセルであり、端末＃１は、前記サービングセルのカバレッジ内にある。前記電力情報（ｄｉｓｃＭａｘＴｘＰｏｗｅｒ）は、Ｄ２Ｄ通信（ｃｏｍｍｕｎｉｃａｔｉｏｎ）のための電力情報を受信するシステム情報ブロック（ｓｙｓｔｅｍ  ｉｎｆｏｒｍａｔｉｏｎ  ｂｌｏｃｋ）でない他のシステム情報ブロックを介して受信されることができる。例えば、Ｄ２Ｄ通信のための電力情報（Ｐ−Ｍａｘ）は、ＳＩＢ  １を介して受信され、前記電力情報（ｄｉｓｃＭａｘＴｘＰｏｗｅｒ）は、ＳＩＢ  １９を介して受信されることができる。
【０２２３】
以下の表は、発見信号送信のための電力情報（‘ｄｉｓｃＭａｘＴｘＰｏｗｅｒ’）の一例である。
【０２２４】
【表４】
0006392462.tif 000019
【０２２５】
前記表において、ｄｉｓｃＭａｘＴｘＰｏｗｅｒ−ｒ１２は、複数個提供されることができ、このとき、１番目のものは、レンジクラスが短い（ｓｈｏｒｔ）端末に対するものであり、２番目のものは、レンジクラスが中間（ｍｅｄｉｕｍ）である端末に対するものであり、３番目のものは、レンジクラスが長い（ｌｏｎｇ）端末に対するものである。端末は、レンジクラス（ｒａｎｇｅ  ｃｌａｓｓ）が設定され、前記レンジクラスは、短距離（ｓｈｏｒｔ）、中間距離（ｍｅｄｉｕｍ）、長い距離（ｌｏｎｇ）のうちいずれか一つを指示することができる。このとき、前記電力情報（ｄｉｓｃＭａｘＴｘＰｏｗｅｒ）は、前記端末に設定されたレンジクラスによってＤ２Ｄ発見信号を送信する時に超過してはならない最大送信電力（ｍａｘｉｍｕｍ  ｔｒａｎｓｍｉｔ  ｐｏｗｅｒ）を指示することができる。
【０２２６】
端末＃１は、発見信号送信のための電力情報に基づいて発見信号送信のための送信電力を決定する（Ｓ１０２）。
【０２２７】
例えば、以下の数式のようにサービングセルｃでの発見信号送信のための最大出力電力（ＰＣＭＡＸ、ｃ）を決定することができる。
【０２２８】
【数１５】
0006392462.tif 000020
【０２２９】
前記数式において、ＰＣＭＡＸ＿Ｌ、ｃ及びＰＣＭＡＸ＿Ｈ、ｃは、下記のように与えられる。
【０２３０】
【数１６】
0006392462.tif 000021
【０２３１】
前記数式において、ＰＥＭＡＸ、ｃは、サービングセルｃに対する情報要素（Ｉｎｆｏｒｍａｔｉｏｎ  Ｅｌｅｍｅｎｔ）であるＩＥ  Ｐ−Ｍａｘでなく、前述した発見信号送信のための電力情報（‘ｄｉｓｃＭａｘＴｘＰｏｗｅｒ’）により提供される値である。前記‘ｄｉｓｃＭａｘＴｘＰｏｗｅｒ’は、ＲＲＣ信号として提供されることができる。ＰＰｏｗｅｒＣｌａｓｓは、許容誤差（ｔｏｌｅｒａｎｃｅ）を考慮しない最大端末電力（Ｍａｘｉｍｕｍ  ＵＥ  ｐｏｗｅｒ）である。ＭＰＲｃは、サービングセルｃに対する最大電力減少（Ｍａｘｉｍｕｍ  Ｐｏｗｅｒ  Ｒｅｄｕｃｔｉｏｎ）値を示し、Ａ−ＭＰＲｃは、サービングセルｃに対する追加的な最大電力減少（Ａｄｄｉｔｉｏｎａｌ  Ｍａｘｉｍｕｍ  Ｐｏｗｅｒ  Ｒｅｄｕｃｔｉｏｎ）値を示す。ΔＴＩＢ、ｃは、サービングセルｃに対する追加的な許容誤差を示す。ΔＴＣ、ｃは、１．５ｄＢまたは０ｄＢである。ΔＴＰｒｏＳｅは、０．１ｄＢである。Ｐ−ＭＰＲｃは、許容された最大出力電力減少（ａｌｌｏｗｅｄ  ｍａｘｉｍｕｍ  ｏｕｔｐｕｔ  ｐｏｗｅｒ  ｒｅｄｕｃｔｉｏｎ）である。
【０２３２】
数式１６により決定された最大出力電力（ＰＣＭＡＸ、ｃ）に基づいて、発見信号送信に使われる送信電力ＰＰＳＤＣＨは、以下の数式のように決定されることができる。
【０２３３】
【数１７】
0006392462.tif 000022
【０２３４】
前記数式において、ＰＣＭＡＸ、ＰＳＤＣＨは、ＰＳＤＣＨが送信されるサイドリンクサブフレームに対応するアップリンクサブフレームに対して端末により決定されるＰＣＭＡＸ、ｃ値であり、このとき、ＰＣＭＡＸ、ｃ値が前記数式１５及び数式１６により決定されることができる。ＭＰＳＤＣＨは２であり、ＰＬは経路損失値を示す。ＰＯ＿ＰＳＤＣＨ、１及びαＰＳＤＣＨ、１は、上位階層パラメータにより提供される値である。
【０２３５】
端末＃１は、決定された送信電力（ＰＰＳＤＣＨ）で発見信号を送信する（Ｓ１０３）。例えば、端末＃２が端末＃１に隣接した場合、端末＃１が送信した発見信号を受信することができる。
【０２３６】
前記方法によると、サービングセルは、端末＃１が発見信号を送信するのに使用する送信電力とサービングセルにアップリンク送信を実行するのに使用する送信電力とを互いに異なるように設定することができる。その理由は、既存情報要素（ＩＥ）Ｐ−Ｍａｘの代わりに‘ｄｉｓｃＭａｘＴｘＰｏｗｅｒ’を利用してＰＥＭＡＸ、ｃを知らせることができるためである。したがって、セルカバレッジ内で発見信号を送信する端末の送信電力を適切に調節してセルカバレッジ内の干渉を調整することができる。また、端末のレンジクラスを考慮して発見信号送信のための送信電力を決定することができるため、不要な電力浪費も防止できる。
【０２３７】
または、セル＃Ｃのサブフレーム＃ＮでＤ２Ｄ動作を実行しようとする端末が発見信号の送信動作を実行する時、事前に定義されたシグナル（例えば、ＳＩＢ  １）を介して受信されるＷＡＮアップリンク通信関連セル＃ＣのＰ−Ｍａｘパラメータに該当する最大送信電力（ＭＡＸＩＭＵＭ（ＣＯＭＭＵＮＩＣＡＴＩＯＮ）ＴＸ  ＰＯＷＥＲ値）をＰＥＭＡＸ、Ｃパラメータに代入し、発見信号送信電力決定時に利用されるＰＣＭＡＸ、Ｃ（Ｎ）（そして／またはＰＣＭＡＸ（Ｎ））値を計算することもできる。
【０２３８】
即ち、Ｄ２Ｄ発見信号送信のための送信電力（ＰＰＳＤＣＨ）は、サービングセルｃでの最大出力電力（ＰＣＭＡＸ、ｃ）またはＰＣＭＡＸに基づいて決定されることができる。このとき、サービングセルｃでの最大出力電力（ＰＣＭＡＸ、ｃ）またはＰＣＭＡＸは、ネットワークにより設定される電力値（ＰＥＭＡＸ、Ｃ）に基づいて決定され、前記ネットワークにより設定される電力値（ＰＥＭＡＸ、Ｃ）は、前記Ｄ２Ｄ発見信号送信のための電力情報（ｄｉｓｃＭａｘＴｘＰｏｗｅｒ）またはＤ２Ｄ通信（ｃｏｍｍｕｎｉｃａｔｉｏｎ）のための電力情報（Ｐ−Ｍａｘ）により決定されることができる。
【０２３９】
他の一例として、特定セル＃Ｃのサブフレーム＃Ｎ時点上で、セルカバレッジ内（これをＩＮ−ＣＯＶＥＲＡＧＥ：“ＩＮＣ”ということができる）にある端末がＤ２Ｄ通信による信号送信動作を実行する時、ＰＥＭＡＸ、Ｃパラメータに（事前に定義されたシグナル（ＳＩＢ  １）を介して受信される）ＷＡＮアップリンク通信関連セル＃ＣのＰ−Ｍａｘパラメータに該当する最大送信電力（ＭＡＸＩＭＵＭ（ＣＯＭＭＵＮＩＣＡＴＩＯＮ）ＴＸ  ＰＯＷＥＲ）値を代入し、Ｄ２Ｄ通信による信号の送信電力決定時に利用されるＰＣＭＡＸ、Ｃ（Ｎ）（そして／またはＰＣＭＡＸ（Ｎ））値を計算することができる。
【０２４０】
他の一例として、搬送波＃Ｃ上でセルカバレッジの外側（これをＯＵＴ−ＯＦ−ＣＯＶＥＲＡＧＥ：“ＯＯＣ”ということができる）にある端末がＤ２Ｄ通信の送信動作を実行する時、ＰＥＭＡＸ、Ｃパラメータに（事前に定義されたシグナルを介して受信される）搬送波＃Ｃ関連あらかじめ設定されたＰ−Ｍａｘパラメータに該当する最大送信電力（ＭＡＸＩＭＵＭ（ＣＯＭＭＵＮＩＣＡＴＩＯＮ）ＴＸ  ＰＯＷＥＲ）値を代入し、Ｄ２Ｄ通信送信電力決定時に利用されるＰＣＭＡＸ、Ｃ（Ｎ）（そして／またはＰＣＭＡＸ（Ｎ））値を計算することができる。
【０２４１】
他の一例として、特定セル＃Ｃのサブフレーム＃Ｎ（ＳＦ＃Ｎ）時点上で、端末が発見信号送信動作を実行する時、ＰＥＭＡＸ、Ｃパラメータに事前に定義された関数を介して導出される値を代入し、発見信号送信電力決定時に利用されるＰＣＭＡＸ、Ｃ（Ｎ）（そして／またはＰＣＭＡＸ（Ｎ））値を計算することができる。
【０２４２】
前記関数は、ＭＩＮ｛（事前に定義されたシグナル（ＳＩＢ  １）を介して受信される）ＷＡＮアップリンク通信関連セル＃ＣのＰ−Ｍａｘパラメータに該当する（Ｄ２Ｄ通信に使われる）最大送信電力（ＭＡＸＩＭＵＭ（ＣＯＭＭＵＮＩＣＡＴＩＯＮ）ＴＸ  ＰＯＷＥＲ）値、ＰＰｏｗｅｒＣｌａｓｓ値、ｄｉｓｃＭａｘＴｘＰｏｗｅｒ−ｒ１２パラメータに該当する（発見信号送信に使われる）最大送信電力（ＭＡＸＩＭＵＭ（ＤＩＳＣＯＶＥＲＹ）ＴＸ  ＰＯＷＥＲ）値｝である。または、前記関数は、ＭＩＮ｛（事前に定義されたシグナル（ＳＩＢ  １）を介して受信される）ＷＡＮアップリンク通信関連セル＃ＣのＰ−Ｍａｘパラメータに該当する（Ｄ２Ｄ通信に使われる）最大送信電力（ＭＡＸＩＭＵＭ（ＣＯＭＭＵＮＩＣＡＴＩＯＮ）ＴＸ  ＰＯＷＥＲ）値、ＰＰｏｗｅｒＣｌａｓｓ値｝に定義されることもできる。
【０２４３】
一例として、特定セル＃Ｃのサブフレーム＃Ｎ時点上で、セルカバレッジ内の端末がＤ２Ｄ通信送信動作（または、セルカバレッジの外側の端末がＤ２Ｄ通信送信動作）を実行する時、ＰＥＭＡＸ、Ｃパラメータに前記関数の結果値（または、（事前に定義されたシグナル（ＳＩＢ  １９）を介して受信される）セル＃Ｃ関連ｄｉｓｃＭａｘＴｘＰｏｗｅｒ−ｒ１２パラメータに該当する最大送信電力値）を代入し、Ｄ２Ｄ通信送信電力決定時に利用されるＰＣＭＡＸ、Ｃ（Ｎ）（そして／またはＰＣＭＡＸ（Ｎ））値を計算することができる。
【０２４４】
前記［提案方法＃１］は、発見（ｄｉｓｃｏｖｅｒｙ）とＤ２Ｄ通信が両方とも可能な端末、または発見信号送信とＤ２Ｄ通信送信を同時に実行しており、または上位階層シグナリングを介して発見とＤ２Ｄ通信が両方とも設定された端末、または発見のみが可能な（発見送信のみを実行しており、または上位階層シグナリングを介して発見のみが設定された）端末、またはＤ２Ｄ通信のみが可能な（または、Ｄ２Ｄ通信送信のみを実行しており、または上位階層シグナリングを介してＤ２Ｄ通信のみが設定された）端末にのみ限定的に適用されることもできる。
【０２４５】
［提案方法＃２］提案方法＃２は、Ｄ２Ｄ発見（Ｄ２Ｄ  ｄｉｓｃｏｖｅｒｙ、以下、単純に発見という）関連してＰＳＳＳ（そして／またはＰＳＢＣＨ）を送信する時に送信電力を決定する方法、そして／またはＤ２Ｄ通信（Ｄ２Ｄ  ＣＯＭＭＵＮＩＣＡＴＩＯＮ）関連してＰＳＳＳ（そして／またはＰＳＢＣＨ）を送信する時に送信電力を決定する方法に対することである。下記の一部または全ての規則に基づいてＤ２Ｄ発見そして／またはＤ２Ｄ通信と関連した（または、Ｄ２Ｄ発見そして／またはＤ２Ｄ通信により（同時）トリガリングされた）ＰＳＳＳ及び／またはＰＳＢＣＨ送信時、送信電力を決定することができる。
【０２４６】
下記の規則は、発見（ｄｉｓｃｏｖｅｒｙ）とＤ２Ｄ通信が両方とも可能な端末、または発見信号送信とＤ２Ｄ通信送信を同時に実行しており、または上位階層シグナリングを介して発見とＤ２Ｄ通信が両方とも設定された端末、または発見のみが可能な（または、発見送信のみを実行しており、または上位階層シグナリングを介して発見のみが設定された）端末、またはＤ２Ｄ通信のみが可能な（または、Ｄ２Ｄ通信送信のみを実行しており、または上位階層シグナリングを介してＤ２Ｄ通信のみが設定された）端末にのみ限定的に適用されることもできる。
【０２４７】
また、下記の規則は、発見とＤ２Ｄ通信を両方とも設定し（または、サポート可能な）、ネットワーク（または、セル）上のＤ２Ｄをサポートする端末にのみ限定的に適用されることもできる。
【０２４８】
また、一例として、下記の規則で発見とＤ２Ｄ通信が両方とも可能な（または、発見送信とＤ２Ｄ通信送信を同時に実行しており、または上位階層シグナリングを介して発見とＤ２Ｄ通信が設定された）端末（または、発見のみがサポート可能な（または、発見送信のみを実行しており、または上位階層シグナリングを介して発見のみが設定された）端末またはＤ２Ｄ通信のみが可能な（または、Ｄ２Ｄ通信送信のみを実行しており、または上位階層シグナリングを介してＤ２Ｄ通信のみが設定された）端末）が送信する（発見そして／またはＤ２Ｄ通信関連または発見そして／またはＤ２Ｄ通信により（同時に）トリガリングされた）ＰＳＳＳ（そして／またはＰＳＢＣＨ）の送信電力は、１）ＳＩＢ  １９そして／またはＳＩＢ  １８の存在（または、デコーディング可能）可否、２）Ｄ２Ｄ通信の‘ｓｙｎｃＣｏｎｆｉｇ’そして／または発見の‘ｓｙｎｃＣｏｎｆｉｇ’の存在（または、デコーディング可能）可否によって、ＭＩＮ｛最大Ｄ２Ｄ通信送信電力値、最大発見送信電力値｝（または、ＭＡＸ｛最大Ｄ２Ｄ通信送信電力値、最大発見送信電力値｝または最大Ｄ２Ｄ通信送信電力値または最大発見送信電力値）をＰＥＭＡＸ、Ｃパラメータに代入し、（発見そして／またはＤ２Ｄ通信送信関連または発見そして／またはＤ２Ｄ通信により（同時に）トリガリングされた）ＰＳＳＳ（そして／またはＰＳＢＣＨ）の送信電力決定時に利用されるＰＣＭＡＸ、Ｃ（Ｎ）（そして／またはＰＣＭＡＸ（Ｎ））値を計算することができる。
【０２４９】
（例示＃２−１）発見とＤ２Ｄ通信が両方とも可能な（または、発見送信とＤ２Ｄ通信送信を同時に実行しており、または上位階層シグナリングを介して発見とＤ２Ｄ通信が設定された）端末（または、発見のみがサポート可能な（または、発見送信のみを実行しており、または上位階層シグナリングを介して発見のみが設定された）端末またはＤ２Ｄ通信のみが可能な（または、Ｄ２Ｄ通信送信のみを実行しており、または上位階層シグナリングを介してＤ２Ｄ通信のみが設定された）端末）がセルカバレッジ内にあると仮定する。前記端末は、ＭＩＮ｛最大Ｄ２Ｄ通信送信電力値、最大発見送信電力値｝またはＭＡＸ｛最大Ｄ２Ｄ通信送信電力値、最大発見送信電力値｝の結果値をＰＥＭＡＸ、Ｃパラメータに代入し、発見とＤ２Ｄ通信送信関連（または、発見そして／またはＤ２Ｄ通信により（同時に）トリガリングされた）ＰＳＳＳ（そして／またはＰＳＢＣＨ）の送信電力決定時に利用されるＰＣＭＡＸ、Ｃ（Ｎ）（そして／またはＰＣＭＡＸ（Ｎ））値を計算することができる。
【０２５０】
ここで、一例として、最大Ｄ２Ｄ通信送信電力値は、事前に定義されたシグナル（例えば、ＳＩＢ  １）を介して受信されるＷＡＮアップリンク通信関連セル＃ＣのＰ−Ｍａｘパラメータに該当する最大（Ｄ２Ｄ通信）送信電力値に定義されることができる。
【０２５１】
また、最大発見送信電力値は、事前に定義されたシグナル（例えば、ＳＩＢ  １９）を介して受信されるセル＃Ｃ関連‘ｄｉｓｃＭａｘＴｘＰｏｗｅｒ−ｒ１２’パラメータに該当する最大（発見）送信電力値に定義されることができる。
【０２５２】
また、一例として、セルカバレッジ内にある発見とＤ２Ｄ通信が両方とも可能な（または、発見送信とＤ２Ｄ通信送信を同時に実行しており、または上位階層シグナリングを介して発見とＤ２Ｄ通信が設定された）端末（または、発見のみがサポート可能な（または、発見送信のみを実行しており、または上位階層シグナリングを介して発見のみが設定された）端末またはＤ２Ｄ通信のみが可能な（または、Ｄ２Ｄ通信送信のみを実行しており、または上位階層シグナリングを介してＤ２Ｄ通信のみが設定された）端末）は、（前記説明した）最大Ｄ２Ｄ通信送信電力値（または、最大発見送信電力値）をＰＥＭＡＸ、Ｃパラメータに代入し、発見とＤ２Ｄ通信送信関連（または、発見そして／またはＤ２Ｄ通信により（同時に）トリガリングされた）ＰＳＳＳ（そして／またはＰＳＢＣＨ）の送信電力を決定する時に利用されるＰＣＭＡＸ、Ｃ（Ｎ）（そして／またはＰＣＭＡＸ（Ｎ））値を計算することができる。
【０２５３】
また、一例として、発見のみがサポート（／実行）可能な（または、発見送信のみを実行しており、または上位階層シグナリングを介して発見のみが設定された）端末がセルカバレッジ内にある場合、前記端末は、最大発見送信電力値（または、最大Ｄ２Ｄ通信送信電力値）をＰＥＭＡＸ、Ｃパラメータに代入し、発見送信関連（または、発見によりトリガリングされた）ＰＳＳＳ（そして／またはＰＳＢＣＨ）の送信電力決定時に利用されるＰＣＭＡＸ、Ｃ（Ｎ）（そして／またはＰＣＭＡＸ（Ｎ））値を計算することができる。
【０２５４】
また、一例として、発見とＤ２Ｄ通信が両方とも可能な（または、発見送信とＤ２Ｄ通信送信を同時に実行しており、または上位階層シグナリングを介して発見とＤ２Ｄ通信が設定された）端末（または、発見のみがサポート可能な（または、発見送信のみを実行しており、または上位階層シグナリングを介して発見のみが設定された）端末またはＤ２Ｄ通信のみが可能な（または、Ｄ２Ｄ通信送信のみを実行しており、または上位階層シグナリングを介してＤ２Ｄ通信のみが設定された）端末）がセルカバレッジの外側にある場合、前記端末は、最大Ｄ２Ｄ通信送信電力値（または、最大発見送信電力値またはＭＩＮ｛最大Ｄ２Ｄ通信送信電力値、最大発見送信電力値｝またはＭＡＸ｛最大Ｄ２Ｄ通信送信電力値、最大発見送信電力値｝）をＰＥＭＡＸ、Ｃパラメータに代入し、Ｄ２Ｄ通信送信関連（または、Ｄ２Ｄ通信によりトリガリングされた）ＰＳＳＳ（そして／またはＰＳＢＣＨ）の送信電力決定時に利用されるＰＣＭＡＸ、Ｃ（Ｎ）（そして／またはＰＣＭＡＸ（Ｎ））値を計算することができる。
【０２５５】
一例として、（例示＃２−１）は、発見とＤ２Ｄ通信が両方とも可能な（または、発見送信とＤ２Ｄ通信送信を同時に実行しており、または上位階層シグナリングを介して発見とＤ２Ｄ通信が設定された）端末（または、発見のみが可能な（または、発見送信のみを実行しており、または上位階層シグナリングを介して発見のみが設定された）端末またはＤ２Ｄ通信のみが可能な（または、Ｄ２Ｄ通信送信のみを実行しており、または上位階層シグナリングを介してＤ２Ｄ通信のみが設定された）端末）にのみ限定的に適用されるように設定されることもできる。
【０２５６】
また、一例として、（例示＃２−１）は、発見そして／またはＤ２Ｄ通信可能可否に関わらず、ＳＩＢ  １９（そして／またはＳＩＢ  １８）を受信（または、デコーディング）するようにすることによってサポートされることができる。
【０２５７】
また、一例として、（例示＃２−１）で発見とＤ２Ｄ通信が両方とも可能な（または、発見送信とＤ２Ｄ通信送信を同時に実行しており、または上位階層シグナリングを介して発見とＤ２Ｄ通信が設定された）端末がセルカバレッジ内にあるとしても、もし、発見動作（または、発見送信）のみが実行される場合（または、（上位階層シグナルを介して）設定される場合）、最大発見送信電力値（または、最大Ｄ２Ｄ通信送信電力値）をＰＥＭＡＸ、Ｃに代入し、発見送信関連（または、発見によりトリガリングされた）ＰＳＳＳ（そして／またはＰＳＢＣＨ）の送信電力決定時に利用されるＰＣＭＡＸ、Ｃ（Ｎ）（そして／またはＰＣＭＡＸ（Ｎ））値を計算することができる。
【０２５８】
図１１は、前述した‘例示＃２−１’による端末のＤ２Ｄ信号に対する送信電力決定方法を示す。
【０２５９】
図１１を参照すると、サービングセルに関連された端末に対して、Ｄ２Ｄ通信のためにＳＳＳ／ＰＳＢＣＨがトリガリング（ｔｒｉｇｇｅｒｉｎｇ）されたかどうかを判断する（Ｓ１１０）。
【０２６０】
もし、Ｄ２Ｄ通信のためにＳＳＳ／ＰＳＢＣＨがトリガリングされた場合（これはＤ２Ｄ通信のみのためにＳＳＳ／ＰＳＢＣＨがトリガリングされた場合と、Ｄ２Ｄ通信とＤ２Ｄ発見の両方とものためにＳＳＳ／ＰＳＢＣＨがトリガリングされた場合とを含むことができる）、Ｄ２Ｄ通信に適用される送信電力パラメータ（Ｐ−Ｍａｘ）に基づいてＳＳＳ／ＰＳＢＣＨに対する送信電力を決定する（Ｓ１１１）。ＳＳＳ、即ち、サイドリンク同期化信号にはＰＳＳＳそして／またはＳＳＳＳがある。ＰＳＳＳ、ＳＳＳＳに対する送信電力は、同じように決定されることもでき、互いに異なるように決定されることもできる。ＰＳＳＳに対する送信電力とＰＳＢＣＨに対する送信電力は、同じように決定されることができる。一例として、前記Ｐ−Ｍａｘは、ＳＩＢ  １に含まれて端末に提供されることができる。一例として、端末は、Ｐ−Ｍａｘにより提供される値をＰＥＭＡＸ、ｃとして使用してＰＣＭＡＸ、ＰＳＢＣＨを計算することができる。
【０２６１】
端末は、前記決定されたＳＳＳ／ＰＳＢＣＨに対する送信電力でＳＳＳ／ＰＳＢＣＨを送信する（Ｓ１１２）。
【０２６２】
一方、サービングセルに関連された端末に対して、Ｄ２Ｄ通信のためにＳＳＳ／ＰＳＢＣＨがトリガリングされない場合（これは、Ｄ２Ｄ発見（送信）によって（のみ）（または、Ｄ２Ｄ発見（送信）のために（のみ））ＳＳＳ／ＰＳＢＣＨがトリガリングされた場合）、端末は、Ｄ２Ｄ発見に適用される送信電力パラメータ（ｄｉｓｃＭａｘＴｘＰｏｗｅｒ）に基づいてＳＳＳ／ＰＳＢＣＨに対する送信電力を決定する（Ｓ１１３）。ＳＳＳ、即ち、サイドリンク同期化信号にはＰＳＳＳそして／またはＳＳＳＳがある。ＰＳＳＳ、ＳＳＳＳに対する送信電力は、同じように決定されることもでき、互いに異なるように決定されることもできる。ＰＳＳＳに対する送信電力とＰＳＢＣＨに対する送信電力は、同じように決定されることができる。一例として、前記ｄｉｓｃＭａｘＴｘＰｏｗｅｒは、ＳＩＢ  １９を介して提供されることもできる。
【０２６３】
端末は、決定されたＳＳＳ／ＰＳＢＣＨに対する送信電力でＳＳＳ／ＰＳＢＣＨを送信する（Ｓ１１４）。
【０２６４】
ＳＳＳ（ＳＬＳＳ）及びＰＳＢＣＨのための送信電力は、（ＳＳＳ（ＳＬＳＳ）及びＰＳＢＣＨが）Ｄ２Ｄ発見（のみ）のためにトリガリングされたか（または、Ｄ２Ｄ発見送信によって（のみ）トリガリングされたか）、またはＤ２Ｄ通信のためにトリガリングされたか（例えば、ＳＳＳ（ＳＬＳＳ）及びＰＳＢＣＨ送信がＤ２Ｄ通信とＤ２Ｄ発見により同時にトリガリングされた場合も含むことができる）によってその値が各々決定されることができる。即ち、ＳＳＳ及びＰＳＢＣＨのための送信電力（例えば、ＰＰＳＳＳ、ＰＰＳＢＣＨ）は、サービングセルｃでの最大出力電力（ＰＣＭＡＸ、ｃ）またはＰＣＭＡＸに基づいて決定されることができる。このとき、サービングセルｃでの最大出力電力（ＰＣＭＡＸ、ｃ）またはＰＣＭＡＸは、ネットワークにより設定される電力値（ＰＥＭＡＸ、Ｃ）に基づいて決定されることができ、前記ネットワークにより設定される電力値（ＰＥＭＡＸ、Ｃ）は、前記Ｄ２Ｄ発見信号送信のための電力情報（ｄｉｓｃＭａｘＴｘＰｏｗｅｒ）またはＤ２Ｄ通信（ｃｏｍｍｕｎｉｃａｔｉｏｎ）のための電力情報（Ｐ−Ｍａｘ）により決定されることができる。
【０２６５】
前述したように、ＳＳＳ／ＰＳＢＣＨは、Ｄ２Ｄ発見のために（または、Ｄ２Ｄ発見（送信）により）トリガリングされることもでき、Ｄ２Ｄ通信のために（または、Ｄ２Ｄ通信（送信）により）トリガリングされることもできる。しかし、もし、（事前にＳＳＳ／ＰＳＢＣＨ送信用途で設定された（／シグナリングされた））同じサブフレーム上でＤ２Ｄ発見とＤ２Ｄ通信の両方とものために（または、Ｄ２Ｄ発見（送信）とＤ２Ｄ通信（送信）により同時に）トリガリングされる場合、ＳＳＳ／ＰＳＢＣＨの送信のための送信電力をどのように決定するかが問題になることができる。
【０２６６】
図１２は、同じサブフレームでＤ２Ｄ発見とＤ２Ｄ通信の両方とものために（または、Ｄ２Ｄ発見（送信）とＤ２Ｄ通信（送信）により同時に）ＳＳＳ／ＰＳＢＣＨがトリガリングされた場合、送信電力決定方法を例示する。
【０２６７】
図１２を参照すると、最初サブフレーム１２１ではＤ２Ｄ発見（のみ）のために（または、Ｄ２Ｄ発見（送信）（のみ）により）トリガリングされたＳＳＳ／ＰＳＢＣＨが送信されており、このとき、ｄｉｓｃＭａｘＴｘＰｏｗｅｒに基づいて決定された送信電力でＳＳＳ／ＰＳＢＣＨが送信される。２番目のサブフレーム１２２ではＤ２Ｄ通信（のみ）のために（または、Ｄ２Ｄ通信（送信）（のみ）により）トリガリングされたＳＳＳ／ＰＳＢＣＨが送信されており、このとき、Ｐ−Ｍａｘに基づいて決定された送信電力でＳＳＳ／ＰＳＢＣＨが送信される。
【０２６８】
しかし、（事前にＳＳＳ／ＰＳＢＣＨ送信用途で設定された（／シグナリングされた））特定サブフレーム１２３上ではＤ２Ｄ発見とＤ２Ｄ通信の両方とものために（または、Ｄ２Ｄ発見（送信）とＤ２Ｄ通信（送信）により同時に）ＳＳＳ／ＰＳＢＣＨがトリガリングされることができる。このとき、ＳＳＳ／ＰＳＢＣＨは、Ｐ−Ｍａｘに基づいて決定された送信電力で送信される。即ち、Ｄ２Ｄ通信（のみ）のために（または、Ｄ２Ｄ通信（送信）（のみ）により）トリガリングされたＳＳＳ／ＰＳＢＣＨ送信電力決定時１２２に利用されるＰ−Ｍａｘに基づいて最終送信電力値を導出するようになる。このような結論は、図１１によっても導出されるが、図１２にさらに明確に示している。図１２において、各サブフレーム１２１、１２２、１２３の相互間の時間関係は単に例示に過ぎない。
【０２６９】
（例示＃２−２）特定セル＃Ｃのサブフレーム＃Ｎ（ＳＦ＃Ｎ）時点上で、端末が発見送信動作を実行する時、以下の数式１８〜２５のうち一部または全ての数式によって導出された送信電力値を発見動作のＰＳＳＳ（そして／またはＰＳＢＣＨ）送信に適用することができる。
【０２７０】
ここで、事前に定義されたシグナル（ＳＩＢ  １）を介して受信されるＷＡＮアップリンク通信関連セル＃ＣのＰ−Ｍａｘパラメータに該当する最大（通信）送信電力値をＰＥＭＡＸ、Ｃパラメータに代入して計算された、発見動作のＰＳＳＳ（そして／またはＰＳＢＣＨ）送信関連ＰＣＭＡＸ、Ｃ（Ｎ）（そして／またはＰＣＭＡＸ（Ｎ））値を各々“ＰＣＭＡＸＣ＿ＤＩＳ”、“ＰＣＭＡＸ＿ＤＩＳ”という。
【０２７１】
また、事前に定義されたシグナル（ＳＩＢ  １９）を介して受信されるセル＃Ｃ関連ｄｉｓｃＭａｘＴｘＰｏｗｅｒ−ｒ１２パラメータに該当する最大（発見）送信電力値を“ＭＡＸ＿ＤＩＳ”と命名する。
【０２７２】
また、（例示＃２−２）は、発見とＤ２Ｄ通信が両方とも可能な（または、発見送信とＤ２Ｄ通信送信を同時に実行しており、または上位階層シグナリングを介して発見とＤ２Ｄ通信が設定された）端末（または、発見のみが可能な（または、発見送信のみを実行しており、または上位階層シグナリングを介して発見のみが設定された）端末またはＤ２Ｄ通信のみが可能な（または、Ｄ２Ｄ通信送信のみを実行しており、または上位階層シグナリングを介してＤ２Ｄ通信のみが設定された）端末）にのみ限定的に適用されるように設定されることもできる。
【０２７３】
【数１８】
0006392462.tif 000023
【０２７４】
【数１９】
0006392462.tif 000024
【０２７５】
【数２０】
0006392462.tif 000025
【０２７６】
【数２１】
0006392462.tif 000026
【０２７７】
【数２２】
0006392462.tif 000027
【０２７８】
【数２３】
0006392462.tif 000028
【０２７９】
【数２４】
0006392462.tif 000029
【０２８０】
【数２５】
0006392462.tif 000030
【０２８１】
［提案方法＃３］特定セル＃Ｃのサブフレーム＃Ｎ時点上で送信されるＤ２Ｄ信号の送信電力決定時に利用されるＰＣＭＡＸ、Ｃ（Ｎ）（そして／またはＰＣＭＡＸ（Ｎ））パラメータは、事前に定義され（または、シグナリングされた）広域ネットワーク（ＷＡＮ）のアップリンク信号がＤ２Ｄ信号の送信関連リソース割当個数／位置そして／または変調方式（ＭＯＤＵＬＡＴＩＯＮ）によって（同じように）送信される場合を仮定して計算されることができる。
【０２８２】
ここで、一例として、該当ＷＡＮアップリンク信号は、ＰＵＳＣＨで設定されることができる。このような方法の適用は、Ｄ２Ｄ信号送信関連ＭＰＲＣ（または、ＭＰＲ）そして／またはＡ−ＭＰＲＣ（または、Ａ−ＭＰＲ）が（追加的に）定義されると解釈することも可能である。
【０２８３】
また、一例として、［提案方法＃３］は、単一アップリンクセルが設定された場合そして／または多重アップリンクセルがキャリアアグリゲーション（ＣＡ）技法で設定され、セル＃ＣのＤ２Ｄ信号を送信するサブフレーム＃Ｎと（一部または全て）重なる他のセル上でＷＡＮアップリンク送信が存在しない（または、実行されない）場合にのみ限定的に適用されることができる。
【０２８４】
［提案方法＃４］特定セル＃Ｃのサブフレーム＃Ｎ（ＳＦ＃Ｎ）で送信されるＷＡＮアップリンク信号に対する送信電力決定時に利用されるＰＣＭＡＸ（Ｎ）（そして／またはＰＣＭＡＸ、Ｃ（Ｎ））パラメータは、前記サブフレーム＃Ｎと重なる他のセル上の（一部または全て）サブフレームにＤ２Ｄ信号送信が存在しないという仮定下に計算されるように規則が定義されることができる。
【０２８５】
具体的な一例として、前述した‘場合（１）’に該当規則が適用される場合、たとえ、セル＃Ａのサブフレーム＃Ｑとセル＃Ｂのサブフレーム＃Ｐで各々Ｄ２Ｄ信号送信、ＷＡＮアップリンク信号送信が実行されなければならないと（または、スケジューリングされたと）しても、セル＃Ｂのサブフレーム＃Ｐ上で送信されるＷＡＮアップリンク信号の送信電力決定時に利用されるＰＣＭＡＸ（Ｐ）（そして／またはＰＣＭＡＸ、Ｂ（Ｐ））パラメータは、セル＃Ａのサブフレーム＃ＱでＤ２Ｄ信号送信が存在しないという仮定下で計算されることができる。
【０２８６】
他の一例として、前述した‘場合（２）’に該当規則が適用される場合、たとえ、セル＃Ａのサブフレーム＃Ｑとセル＃Ｂのサブフレーム＃Ｐ、セル＃Ｂのサブフレーム＃（Ｐ＋１）で各々Ｄ２Ｄ信号送信、ＷＡＮアップリンク信号送信、ＷＡＮアップリンク信号送信が実行されなければならないと（または、スケジューリングされたと）しても、セル＃Ｂのサブフレーム＃Ｐとセル＃Ｂのサブフレーム＃（Ｐ＋１）上で各々送信されるＷＡＮアップリンク信号の送信電力決定時に利用されるＰＣＭＡＸ（Ｐ）（そして／またはＰＣＭＡＸ、Ｂ（Ｐ））、ＰＣＭＡＸ（Ｐ＋１）（そして／またはＰＣＭＡＸ、Ｂ（Ｐ＋１））パラメータは、セル＃Ａのサブフレーム＃ＱでＤ２Ｄ信号送信が存在しないという仮定下で計算されることができる。
【０２８７】
このような方法の適用を介して、Ｄ２Ｄ信号の送信電力がＷＡＮアップリンク信号の送信電力決定に影響を及ぼさないようになる。
【０２８８】
他の一例として、特定セル＃Ｃのサブフレーム＃Ｎで送信されるＷＡＮアップリンク信号の送信電力決定時に利用されるＰＣＭＡＸ（Ｎ）（そして／またはＰＣＭＡＸ、Ｃ（Ｎ））パラメータは、もし、前記サブフレーム＃Ｎと一部または全てが重なる他のセル上のサブフレームでＤ２Ｄ信号送信が存在する場合、（セル＃Ｃサブフレーム＃ＮでのＷＡＮアップリンク信号送信だけでなく）事前に定義された（または、シグナリングされた）ＷＡＮアップリンク信号がＤ２Ｄ信号送信関連したリソース割当個数／位置そして／または変調方式によって（共に）送信されると仮定した後に計算されることができる。
【０２８９】
ここで、ＷＡＮアップリンク信号が送信されるセル＃Ｃサブフレーム＃Ｎと（一部または全て）重なる他のセル＃Ｘ上のサブフレームでＤ２Ｄ信号が送信される時、前記Ｄ２Ｄ信号に対する送信電力決定時に利用されるＰＣＭＡＸ（Ｎ）（そして／またはＰＣＭＡＸ、Ｘ（Ｎ））パラメータは、セル＃Ｃサブフレーム＃ＮでのＷＡＮアップリンク信号送信と事前に定義された（または、シグナリングされた）ＷＡＮアップリンク信号がＤ２Ｄ信号送信と関連したリソース割当個数／位置そして／または変調方式によって（セル＃Ｘで）（共に）送信されると仮定した後に計算されることもできる。
【０２９０】
具体的な一例として、‘場合（１）’に該当規則が適用される場合、もし、セル＃Ａのサブフレーム＃Ｑとセル＃Ｂのサブフレーム＃Ｐで各々Ｄ２Ｄ信号送信、ＷＡＮアップリンク信号送信が実行されなければならない（または、スケジューリングされた）場合、セル＃Ｂのサブフレーム＃ＰでのＷＡＮアップリンク信号の送信電力決定時に利用されるＰＣＭＡＸ（Ｐ）（そして／またはＰＣＭＡＸ、Ｂ（Ｐ））パラメータは、（セル＃Ｂのサブフレーム＃ＰでのＷＡＮアップリンク信号送信だけでなく）事前に定義された（または、シグナリングされた）ＷＡＮアップリンク信号がＤ２Ｄ信号送信に関連したリソース割当個数／位置／変調方式によってセル＃Ａのサブフレーム＃Ｑで（共に）送信されると仮定された後に計算されることができる。
【０２９１】
このような方法が適用される場合、Ｄ２Ｄ信号の送信電力は、ＷＡＮアップリンク信号の送信電力決定に影響を及ぼすようになる。
【０２９２】
また、一例として、［提案方法＃４］は、帯域内（ＩＮＴＲＡ−ＢＡＮＤ）連続的なキャリアアグリゲーション（連続的なリソース割当方式及び／または非連続的なリソース割当方式を使用することができる）及び／または帯域内の非連続的なキャリアアグリゲーション（２個のアップリンク搬送波を使用することができる）にのみ限定的に適用されることができる。
【０２９３】
［提案方法＃５］特定セル＃Ｃのサブフレーム＃Ｎで送信されるＤ２Ｄ信号の送信電力は、下記の一部または全ての規則によって計算されることができる。
【０２９４】
下記の規則を介して導出されるＤ２Ｄ＿ＴＸＰ（Ｑ）そして／またはＤ２Ｄ＿ＴＸＰ（Ｑ＋１）は、ＭＩＮ｛Ｄ２Ｄ＿ＴＸＰ（Ｑ）、ｄｉｓｃＭａｘＴｘＰｏｗｅｒ−ｒ１２パラメータに該当する最大（発見）送信電力値｝（または、ＭＡＸ｛Ｄ２Ｄ＿ＴＸＰ（Ｑ）、ｄｉｓｃＭａｘＴｘＰｏｗｅｒ−ｒ１２パラメータに該当する最大（発見）送信電力値｝）そして／またはＭＩＮ｛Ｄ２Ｄ＿ＴＸＰ（Ｑ＋１）、ｄｉｓｃＭａｘＴｘＰｏｗｅｒ−ｒ１２パラメータに該当する最大（発見）送信電力値｝（または、ＭＡＸ｛Ｄ２Ｄ＿ＴＸＰ（Ｑ＋１）、ｄｉｓｃＭａｘＴｘＰｏｗｅｒ−ｒ１２パラメータに該当する最大（発見）送信電力値｝）の演算を介して、最終決定されるように規則が定義されることもできる。
【０２９５】
（例示＃５−１）‘場合（１）’に対して、一例として、もし、セル＃Ａのサブフレーム＃Ｑとセル＃Ｂのサブフレーム＃Ｐ上で各々Ｄ２Ｄ信号送信、ＷＡＮアップリンク信号送信が（同時に）実行されなければならない場合、下記の規則によって、セル＃Ａのサブフレーム＃ＱでのＤ２Ｄ信号の送信電力が決定されることができる。
【０２９６】
１）他のセル上の（一部または全て）重なる時点（サブフレーム）で、Ｄ２Ｄ信号送信がないという仮定下で計算された（セル＃Ｂのサブフレーム＃Ｐでの）ＷＡＮアップリンク信号送信関連したＰＣＭＡＸ（Ｐ）（“ＰＣＭＡＸ＿ＷＯ（Ｐ）”）（または、ＰＣＭＡＸ＿Ｌ（Ｐ）（“ＰＣＭＡＸＬ＿ＷＯ（Ｐ）”））またはＰＣＭＡＸ、Ｂ（Ｐ）に基づいてセル＃Ａのサブフレーム＃ＱでのＤ２Ｄ信号の送信電力が決定されることができる。
【０２９７】
もし、開ループ（ＯＰＥＮ−ＬＯＯＰ）／閉ループ（ＣＬＯＳＥＤ−ＬＯＯＰ）電力制御（ＯＬＰＣ／ＣＬＰＣ）パラメータにより決定されたセル＃Ｂのサブフレーム＃ＰでのＷＡＮアップリンク信号送信電力を“ＷＡＮ＿ＣＯＮＰ（Ｐ）”と仮定する場合、該当時点での最終的なＷＡＮアップリンク信号送信電力（これを“ＷＡＮ＿ＴＸＰ（Ｐ）”という）は、ＭＩＮ｛ＰＣＭＡＸ＿ＷＯ（Ｐ）、ＭＩＮ｛ＰＣＭＡＸ、Ｂ（Ｐ）、ＷＡＮ＿ＣＯＮＰ（Ｐ）｝｝に決定されることができる。
【０２９８】
２）セル＃Ｂのサブフレーム＃ＰでのＷＡＮアップリンク信号送信だけでなく、事前に定義された（または、シグナリングされた）ＷＡＮアップリンク信号がＤ２Ｄ信号送信に関連したリソース割当個数／位置／変調方式によって共に送信されると仮定した後に、計算された（セル＃Ａのサブフレーム＃Ｑでの）Ｄ２Ｄ信号送信関連ＰＣＭＡＸ（Ｑ（／Ｐ））（これを“ＰＣＭＡＸ＿ＤＷ（Ｑ（／Ｐ））”という）（または、ＰＣＭＡＸ＿Ｌ（Ｑ（／Ｐ））（“ＰＣＭＡＸＬ＿ＤＷ（Ｑ（／Ｐ））”））またはＰＣＭＡＸ、Ａ（Ｑ（／Ｐ））に基づいてセル＃Ａのサブフレーム＃ＱでのＤ２Ｄ信号の送信電力が決定されることができる。
【０２９９】
ここで、このような規則は、（セル＃Ｂのサブフレーム＃Ｐでの）ＷＡＮアップリンク信号送信が（セル＃Ａのサブフレーム＃Ｑでの）Ｄ２Ｄ信号の送信電力（例えば、ＰＣＭＡＸ＿ＤＷ（Ｐ（／Ｑ））（または、ＰＣＭＡＸＬ＿ＤＷ（Ｐ（／Ｑ））））計算のための基準で解釈されることもできる。
【０３００】
一例として、もし、開ループ電力制御（ＯＬＰＣ）パラメータにより決定されたセル＃Ａのサブフレーム＃ＱでのＤ２Ｄ信号の送信電力を“Ｄ２Ｄ＿ＣＯＮＰ（Ｑ）”と仮定する場合、該当時点での最終的なＤ２Ｄ信号の送信電力（これを“Ｄ２Ｄ＿ＴＸＰ（Ｑ）”という）は、ＭＩＮ｛（ＰＣＭＡＸ＿ＤＷ（Ｑ（／Ｐ））−ＷＡＮ＿ＴＸＰ（Ｐ））、ＭＩＮ｛ＰＣＭＡＸ、Ａ（Ｑ）、Ｄ２Ｄ＿ＣＯＮＰ（Ｑ）｝｝に決定されることができる。このような方式が適用される場合、一例として、ＷＡＮ＿ＴＸＰ（Ｐ）は、Ｄ２Ｄ＿ＴＸＰ（Ｑ）に影響を受けないと解釈されることができる。また、一例として、前記数式において、Ｄ２Ｄ＿ＴＸＰ（Ｑ）決定関連ＰＣＭＡＸ＿ＤＷ（Ｑ（／Ｐ））は、ＰＰｏｗｅｒＣｌａｓｓまたはＭＩＮ｛ＰＥＭＡＸ、Ａ、ＰＰｏｗｅｒＣｌａｓｓ｝に代替されることができる。
【０３０１】
一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件（ＥＭＩＳＳＩＯＮ  ＲＥＱＵＩＲＥＭＥＮＴ）を満たさない場合、前記放射要件が満たされる時まで、Ｄ２Ｄ＿ＴＸＰ（Ｑ）を優先的に低めるように規則が定義されることができる。
【０３０２】
他の一例として、このような問題を解決するために、事前に定義された（または、シグナリングされた）電力オフセット値が（最終）Ｄ２Ｄ＿ＴＸＰ（Ｑ）に追加的に適用されるように規則が定義されることもできる。他の一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件（ＥＭＩＳＳＩＯＮ  ＲＥＱＵＩＲＥＭＥＮＴ）を満たさない場合、該当Ｄ２Ｄ信号送信が省略されるように規則が定義されることもできる。
【０３０３】
（例示＃５−２）‘場合（１）’の場合、一例として、もし、セル＃Ａのサブフレーム＃ＱでＤ２Ｄ信号送信が実行され、セル＃Ｂのサブフレーム＃ＰでＷＡＮアップリンク信号送信が実行されない場合、下記の規則によって、セル＃Ａのサブフレーム＃ＱでのＤ２Ｄ信号の送信電力が決定されるように規則が定義されることができる。
【０３０４】
１）事前に定義された（または、シグナリングされた）ＷＡＮアップリンク信号がＤ２Ｄ信号送信に関連したリソース割当個数／位置／変調方式によって送信されると仮定した後に、計算された（セル＃Ａのサブフレーム＃Ｑでの）Ｄ２Ｄ信号送信関連ＰＣＭＡＸ（Ｑ）（“ＰＣＭＡＸ＿ＯＤ（Ｑ）”）（または、ＰＣＭＡＸ＿Ｌ（Ｑ）（“ＰＣＭＡＸＬ＿ＯＤ（Ｑ）”））またはＰＣＭＡＸ、Ａ（Ｑ）に基づいてセル＃Ａのサブフレーム＃ＱでのＤ２Ｄ信号の送信電力が決定されることができる。
【０３０５】
一例として、もし、開ループ電力制御（ＯＬＰＣ）パラメータにより決定されたセル＃Ａのサブフレーム＃ＱでのＤ２Ｄ信号の送信電力を“Ｄ２Ｄ＿ＣＯＮＰ（Ｑ）”と仮定する場合、該当時点での最終的なＤ２Ｄ信号の送信電力（これを“Ｄ２Ｄ＿ＴＸＰ（Ｑ）”という）は、ＭＩＮ｛ＰＣＭＡＸ＿ＯＤ（Ｑ）、ＭＩＮ｛ＰＣＭＡＸ、Ａ（Ｑ）、Ｄ２Ｄ＿ＣＯＮＰ（Ｑ）｝｝に決定されることができる。
【０３０６】
また、一例として、前記数式において、Ｄ２Ｄ＿ＴＸＰ（Ｑ）決定関連ＰＣＭＡＸ＿ＯＤ（Ｑ）は、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３０７】
（例示＃５−３）‘場合（１）’に対して、もし、セル＃Ａのサブフレーム＃Ｑとセル＃Ｂのサブフレーム＃Ｐ上で各々Ｄ２Ｄ信号送信、ＷＡＮアップリンク信号送信が（同時に）実行されなければならない場合、下記の規則によって、セル＃Ａのサブフレーム＃ＱでのＤ２Ｄ信号の送信電力を決定することができる。
【０３０８】
セル＃Ｂのサブフレーム＃ＰでのＷＡＮアップリンク信号送信だけでなく、事前に定義された（または、シグナリングされた）ＷＡＮアップリンク信号がＤ２Ｄ信号送信に関連したリソース割当個数／位置／変調方式によって共に送信されると仮定した後に、計算された（セル＃Ａのサブフレーム＃Ｑでの）Ｄ２Ｄ信号送信関連ＰＣＭＡＸ、Ａ（Ｑ）、（セル＃Ｂのサブフレーム＃Ｐでの）ＷＡＮアップリンク信号送信関連ＰＣＭＡＸ、Ｂ（Ｐ）、Ｄ２Ｄ信号送信／ＷＡＮアップリンク信号送信関連ＰＣＭＡＸ（Ｑ（／Ｐ））（“ＰＣＭＡＸ＿ＤＷ（Ｑ（／Ｐ））”）（または、ＰＣＭＡＸ＿Ｌ（Ｑ（／Ｐ））（“ＰＣＭＡＸＬ＿ＤＷ（Ｑ（／Ｐ））”））に基づいてセル＃Ａのサブフレーム＃ＱでのＤ２Ｄ信号の送信電力を決定することができる。
【０３０９】
ここで、一例として、このような規則は、（セル＃Ｂのサブフレーム＃Ｐでの）ＷＡＮアップリンク信号送信が（セル＃Ａのサブフレーム＃Ｑでの）Ｄ２Ｄ信号の送信電力（例えば、ＰＣＭＡＸ＿ＤＷ（Ｐ（／Ｑ））（または、ＰＣＭＡＸＬ＿ＤＷ（Ｐ（／Ｑ））））計算のための基準で解釈されることもできる。
【０３１０】
一例として、もし、開ループ電力制御（ＯＬＰＣ）パラメータにより決定されたセル＃Ａのサブフレーム＃ＱでのＤ２Ｄ信号の送信電力を“Ｄ２Ｄ＿ＣＯＮＰ（Ｑ）”と仮定し、開ループ電力制御（ＯＬＰＣ）／閉ループ電力制御（ＣＬＰＣ）パラメータにより決定されたセル＃Ｂのサブフレーム＃ＰでのＷＡＮアップリンク信号の送信電力を“ＷＡＮ＿ＣＯＮＰ（Ｐ）”と仮定する場合、セル＃Ｂのサブフレーム＃Ｐでの最終的なＷＡＮアップリンク信号の送信電力（“ＷＡＮ＿ＴＸＰ（Ｐ）”）は、ＭＩＮ｛ＰＣＭＡＸ＿ＤＷ（Ｐ（／Ｑ））、ＭＩＮ｛ＰＣＭＡＸ、Ｂ（Ｐ）、ＷＡＮ＿ＣＯＮＰ（Ｐ）｝｝に決定され、セル＃Ａのサブフレーム＃Ｑでの最終的なＤ２Ｄ信号の送信電力（“Ｄ２Ｄ＿ＴＸＰ（Ｑ）”）は、ＭＩＮ｛（ＰＣＭＡＸ＿ＤＷ（Ｑ（／Ｐ））−ＷＡＮ＿ＴＸＰ（Ｐ））、ＭＩＮ｛ＰＣＭＡＸ、Ａ（Ｑ）、Ｄ２Ｄ＿ＣＯＮＰ（Ｑ）｝｝に決定されることができる。
【０３１１】
このような方式が適用される場合、一例として、ＷＡＮ＿ＴＸＰ（Ｐ）がＤ２Ｄ＿ＴＸＰ（Ｑ）から影響を受けると解釈されることができる。また、一例として、前記数式において、Ｄ２Ｄ＿ＴＸＰ（Ｑ）決定関連ＰＣＭＡＸ＿ＤＷ（Ｑ（／Ｐ））は、ＰＰｏｗｅｒＣｌａｓｓまたはＭＩＮ｛ＰＥＭＡＸ、Ａ、ＰＰｏｗｅｒＣｌａｓｓ｝に代替されることができる。
【０３１２】
一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件（ＥＭＩＳＳＩＯＮ  ＲＥＱＵＩＲＥＭＥＮＴ）を満たさない場合、放射要件が満たされる時まで、Ｄ２Ｄ＿ＴＸＰ（Ｑ）を優先的に低めることができる。他の一例として、このような問題を解決するために、事前に定義された（または、シグナリングされた）電力オフセット値が（最終）Ｄ２Ｄ＿ＴＸＰ（Ｑ）に追加的に適用されることができる。他の一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件を満たさない場合、該当Ｄ２Ｄ信号送信が省略されるように規則が定義されることができる。
【０３１３】
（例示＃５−４）場合（１）の場合、一例として、もし、セル＃Ａのサブフレーム＃Ｑとセル＃Ｂのサブフレーム＃Ｐ上で各々Ｄ２Ｄ信号送信、ＷＡＮアップリンク信号送信が（同時に）実行されなければならない場合、下記の規則によって、セル＃Ａのサブフレーム＃ＱでのＤ２Ｄ信号の送信電力を決定することができる。
【０３１４】
他のＣＥＬＬ（Ｓ）上の（一部または全て）重なるサブフレーム（時点）で、Ｄ２Ｄ信号送信がないという仮定下で計算された（セル＃Ｂのサブフレーム＃Ｐでの）ＷＡＮアップリンク信号送信に関連したＰＣＭＡＸ（Ｐ）（“ＰＣＭＡＸ＿ＷＯ（Ｐ）”）（または、ＰＣＭＡＸ＿Ｌ（Ｐ）（“ＰＣＭＡＸＬ＿ＷＯ（Ｐ）”））またはＰＣＭＡＸ、Ｂ（Ｐ）に基づいてセル＃Ａのサブフレーム＃ＱでのＤ２Ｄ信号の送信電力を決定することができる。
【０３１５】
一例として、もし、開ループ電力制御／閉ループ電力制御パラメータにより決定されたセル＃Ｂのサブフレーム＃ＰでのＷＡＮアップリンク信号の送信電力を“ＷＡＮ＿ＣＯＮＰ（Ｐ）”と仮定する場合、該当時点での最終的なＷＡＮアップリンク信号の送信電力（“ＷＡＮ＿ＴＸＰ（Ｐ）”）は、ＭＩＮ｛ＰＣＭＡＸ＿ＷＯ（Ｐ）、ＭＩＮ｛ＰＣＭＡＸ、Ｂ（Ｐ）、ＷＡＮ＿ＣＯＮＰ（Ｐ）｝｝に決定されることができる。
【０３１６】
セル＃Ｂのサブフレーム＃ＰでのＷＡＮアップリンク信号送信だけでなく、事前に定義された（または、シグナリングされた）ＷＡＮアップリンク信号がＤ２Ｄ信号の送信に関連したリソース割当個数／位置／変調方式によって共に送信されると仮定した後に、計算された（セル＃Ａのサブフレーム＃Ｑでの）Ｄ２Ｄ信号送信に関連したＰＣＭＡＸ（Ｑ（／Ｐ））（“ＰＣＭＡＸ＿ＤＷ（Ｑ（／Ｐ））”）（または、ＰＣＭＡＸ＿Ｌ（Ｑ（／Ｐ））（“ＰＣＭＡＸＬ＿ＤＷ（Ｑ（／Ｐ））”））またはＰＣＭＡＸ、Ａ（Ｑ（／Ｐ））に基づいてセル＃Ａのサブフレーム＃ＱでのＤ２Ｄ信号の送信電力を決定することができる。
【０３１７】
このような規則は、（セル＃Ｂのサブフレーム＃Ｐでの）ＷＡＮアップリンク信号送信が（セル＃Ａのサブフレーム＃Ｑでの）Ｄ２Ｄ信号の送信電力（例えば、ＰＣＭＡＸ＿ＤＷ（Ｐ（／Ｑ））（または、ＰＣＭＡＸＬ＿ＤＷ（Ｐ（／Ｑ））））計算のための基準で解釈されることもできる。
【０３１８】
もし、開ループ電力制御パラメータにより決定されたセル＃Ａのサブフレーム＃ＱでのＤ２Ｄ信号の送信電力を“Ｄ２Ｄ＿ＣＯＮＰ（Ｑ）”と仮定する場合、該当時点での最終的なＤ２Ｄ信号の送信電力（“Ｄ２Ｄ＿ＴＸＰ（Ｑ）”）は、ＭＩＮ｛（ＮＥＷ＿ＶＡＬ−ＷＡＮ＿ＴＸＰ（Ｐ））、ＭＩＮ｛ＰＣＭＡＸ、Ａ（Ｑ）、Ｄ２Ｄ＿ＣＯＮＰ（Ｑ）｝｝に決定されることができる。ここで、一例として、ＮＥＷ  ＶＡＬは、ＭＩＮ｛ＰＣＭＡＸＬ＿ＷＯ（Ｐ）、ＰＣＭＡＸＬ＿ＤＷ（Ｑ（／Ｐ））｝（または、ＭＡＸ｛ＰＣＭＡＸＬ＿ＷＯ（Ｐ）、ＰＣＭＡＸＬ＿ＤＷ（Ｑ（／Ｐ））｝またはＭＩＮ｛ＰＣＭＡＸ＿ＷＯ（Ｐ）、ＰＣＭＡＸ＿ＤＷ（Ｑ（／Ｐ））｝またはＭＡＸ｛ＰＣＭＡＸ＿ＷＯ（Ｐ）、ＰＣＭＡＸ＿ＤＷ（Ｑ（／Ｐ））｝またはＰＣＭＡＸＬ＿ＷＯ（Ｐ）またはＰＣＭＡＸＬ＿ＤＷ（Ｑ（／Ｐ）））に決定されることができる。また、一例として、前記数式において、Ｄ２Ｄ＿ＴＸＰ（Ｑ）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３１９】
一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件（ＥＭＩＳＳＩＯＮ  ＲＥＱＵＩＲＥＭＥＮＴ）を満たさない場合、放射要件が満たされる時まで、Ｄ２Ｄ＿ＴＸＰ（Ｑ）を優先的に低めるように規則を定義することができる。他の一例として、このような問題を解決するために、事前に定義された（または、シグナリングされた）電力オフセット値が（最終）Ｄ２Ｄ＿ＴＸＰ（Ｑ）に追加的に適用されるように規則が定義されることもできる。他の一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件を満たさない場合、該当Ｄ２Ｄ信号送信が省略されるように規則が定義されることもできる。
【０３２０】
図１３は、場合（２）の一例である。
【０３２１】
図１３を参照すると、セル＃Ａのサブフレーム＃Ｑとセル＃Ｂのサブフレーム＃Ｐは、時間的同期が合わない状態であり、Ｄ２Ｄ信号を送信するセル＃Ａのサブフレーム＃ＱがＷＡＮアップリンク信号を送信するセル＃Ｂのサブフレーム＃Ｐ、（Ｐ＋１）と一部ずつ重なる状況である。
【０３２２】
（例示＃５−５）前述した‘場合（２）’または図１３のような‘場合（２）’に対する変形例のような状況を前提として、もし、セル＃Ａのサブフレーム＃Ｑ、セル＃Ｂのサブフレーム＃Ｐ、セル＃Ｂのサブフレーム＃（Ｐ＋１）上で各々Ｄ２Ｄ信号送信、ＷＡＮアップリンク信号送信、ＷＡＮアップリンク信号送信が（同時に）実行されなければならない場合、下記の規則によって、セル＃Ａのサブフレーム＃ＱでのＤ２Ｄ信号に対する送信電力を決定することができる。
【０３２３】
ここで、一例として、（例示＃５−５）は、ＷＡＮアップリンクセル（搬送波）がＤ２Ｄセル（搬送波）より先行（ＬＥＡＤ）する場合と解釈されることができる。また、一例として、図１３において、セル＃Ａのサブフレームインデックス‘Ｑ’は‘Ｋ’と仮定され、セル＃Ｂのサブフレームインデックス‘Ｐ（／（Ｐ＋１））’は‘Ｋ（／（Ｋ＋１））’と仮定されることもできる。
【０３２４】
他のＣＥＬＬ（Ｓ）上の（一部または全て）重なる時点（ら）で、Ｄ２Ｄ信号送信がないという仮定下で計算された、セル＃Ｂのサブフレーム＃ＰでのＷＡＮアップリンク信号送信関連ＰＣＭＡＸ（Ｐ）（“ＰＣＭＡＸ＿ＷＯ（Ｐ）”）（または、ＰＣＭＡＸ＿Ｌ（Ｐ）（“ＰＣＭＡＸＬ＿ＷＯ（Ｐ）”））またはＰＣＭＡＸ、Ｂ（Ｐ）、セル＃Ｂのサブフレーム＃（Ｐ＋１）でのＷＡＮアップリンク信号送信関連ＰＣＭＡＸ（Ｐ＋１）（“ＰＣＭＡＸ＿ＷＯ（Ｐ＋１）”）（または、ＰＣＭＡＸ＿Ｌ（Ｐ＋１）（“ＰＣＭＡＸＬ＿ＷＯ（Ｐ＋１）”））またはＰＣＭＡＸ、Ｂ（Ｐ＋１）に基づいてセル＃Ａのサブフレーム＃ＱでのＤ２Ｄ信号に対する送信電力を決定することができる。
【０３２５】
一例として、もし、開ループ電力制御／閉ループ電力制御パラメータにより決定されたセル＃Ｂのサブフレーム＃ＰでのＷＡＮアップリンク信号の送信電力を“ＷＡＮ＿ＣＯＮＰ（Ｐ）”と仮定し、セル＃Ｂのサブフレーム＃（Ｐ＋１）でのＷＡＮアップリンク信号の送信電力を“ＷＡＮ＿ＣＯＮＰ（Ｐ＋１）”と仮定する場合、セル＃Ｂのサブフレーム＃Ｐでの最終的なＷＡＮアップリンク信号の送信電力（“ＷＡＮ＿ＴＸＰ（Ｐ）”）は、ＭＩＮ｛ＰＣＭＡＸ＿ＷＯ（Ｐ）、ＭＩＮ｛ＰＣＭＡＸ、Ｂ（Ｐ）、ＷＡＮ＿ＣＯＮＰ（Ｐ）｝｝に決定され、セル＃Ｂのサブフレーム＃（Ｐ＋１）での最終的なＷＡＮアップリンク信号の送信電力（“ＷＡＮ＿ＴＸＰ（Ｐ＋１）”）は、ＭＩＮ｛ＰＣＭＡＸ＿ＷＯ（Ｐ＋１）、ＭＩＮ｛ＰＣＭＡＸ、Ｂ（Ｐ＋１）、ＷＡＮ＿ＣＯＮＰ（Ｐ＋１）｝｝に決定されることができる。
【０３２６】
セル＃Ｂのサブフレーム＃ＰでのＷＡＮアップリンク信号送信がＤ２Ｄ信号送信に関連したリソース割当個数／位置／変調方式によってセル＃Ａのサブフレーム＃Ｑで送信される事前に定義された（または、シグナリングされた）ＷＡＮアップリンク信号と一部重なる状況を仮定した後に、計算された（セル＃Ａのサブフレーム＃Ｑでの）Ｄ２Ｄ信号送信関連ＰＣＭＡＸ（Ｐ、Ｑ）（“ＰＣＭＡＸ＿ＤＷ（Ｐ、Ｑ）”）（または、ＰＣＭＡＸ＿Ｌ（Ｐ、Ｑ）（“ＰＣＭＡＸＬ＿ＤＷ（Ｐ、Ｑ）”））またはＰＣＭＡＸ、Ａ（Ｐ、Ｑ）に基づいてセル＃Ａのサブフレーム＃ＱでのＤ２Ｄ信号に対する送信電力を決定することができる。
【０３２７】
ここで、一例として、このような規則は、（セル＃Ｂのサブフレーム＃Ｐでの）ＷＡＮアップリンク信号送信が（セル＃Ａのサブフレーム＃Ｑでの）Ｄ２Ｄ信号の送信電力（例えば、ＰＣＭＡＸ＿ＤＷ（Ｐ、Ｑ）（または、ＰＣＭＡＸＬ＿ＤＷ（Ｐ、Ｑ）））計算のための基準で解釈されることができる。
【０３２８】
セル＃Ｂのサブフレーム＃（Ｐ＋１）でのＷＡＮアップリンク信号送信がＤ２Ｄ信号送信に関連したリソース割当個数／位置／変調方式によってセル＃Ａのサブフレーム＃Ｑで送信される事前に定義された（または、シグナリングされた）ＷＡＮアップリンク信号と一部重なる状況を仮定した後に、計算された（セル＃Ａのサブフレーム＃Ｑでの）Ｄ２Ｄ信号送信に関連したＰＣＭＡＸ（Ｑ、（Ｐ＋１））（“ＰＣＭＡＸ＿ＤＷ（Ｑ、（Ｐ＋１））”）（または、ＰＣＭＡＸ＿Ｌ（Ｑ、（Ｐ＋１））（“ＰＣＭＡＸＬ＿ＤＷ（Ｑ、（Ｐ＋１））”））またはＰＣＭＡＸ、Ａ（Ｑ、（Ｐ＋１））に基づいてセル＃Ａのサブフレーム＃ＱでのＤ２Ｄ信号に対する送信電力を決定することができる。
【０３２９】
ここで、一例として、このような規則は、（セル＃Ｂのサブフレーム＃（Ｐ＋１）での）ＷＡＮアップリンク信号送信が（セル＃Ａのサブフレーム＃Ｑでの）Ｄ２Ｄ信号の送信電力（例えば、ＰＣＭＡＸ＿ＤＷ（Ｑ、（Ｐ＋１））（または、ＰＣＭＡＸＬ＿ＤＷ（Ｑ、（Ｐ＋１））））計算のための基準で解釈されることもできる。
【０３３０】
一例として、ＰＣＭＡＸ、Ａ（Ｐ、Ｑ）とＰＣＭＡＸ、Ａ（Ｑ、（Ｐ＋１））は、同じ値を有することができる。
【０３３１】
一例として、もし、開ループ電力制御パラメータにより決定されたセル＃Ａのサブフレーム＃ＱでのＤ２Ｄ信号の送信電力を“Ｄ２Ｄ＿ＣＯＮＰ（Ｑ）”と仮定する場合、該当時点での最終的なＤ２Ｄ信号の送信電力（“Ｄ２Ｄ＿ＴＸＰ（Ｑ）”）は、ＭＩＮ｛（ＮＥＷ＿ＶＡＬ−ＭＡＸ＿ＷＡＮＶＡＬ）、ＭＩＮ｛ＰＣＭＡＸ、Ａ（Ｑ、Ｑ）、Ｄ２Ｄ＿ＣＯＮＰ（Ｑ）｝｝に決定されることもできる。
【０３３２】
ここで、一例として、ＮＥＷ  ＶＡＬは、ＭＩＮ｛ＰＣＭＡＸＬ＿ＤＷ（Ｐ、Ｑ）、ＰＣＭＡＸＬ＿ＤＷ（Ｑ、（Ｐ＋１））｝（または、ＭＡＸ｛ＰＣＭＡＸＬ＿ＤＷ（Ｐ、Ｑ）、ＰＣＭＡＸＬ＿ＤＷ（Ｑ、（Ｐ＋１））｝またはＭＩＮ｛ＰＣＭＡＸ＿ＤＷ（Ｐ、Ｑ）、ＰＣＭＡＸ＿ＤＷ（Ｑ、（Ｐ＋１））｝またはＭＡＸ｛ＰＣＭＡＸ＿ＤＷ（Ｐ、Ｑ）、ＰＣＭＡＸ＿ＤＷ（Ｑ、（Ｐ＋１））｝またはＰＣＭＡＸＬ＿ＤＷ（Ｐ、Ｑ）またはＰＣＭＡＸＬ＿ＤＷ（Ｑ、（Ｐ＋１））またはＰＣＭＡＸ＿ＤＷ（Ｐ、Ｑ）またはＰＣＭＡＸ＿ＤＷ（Ｑ、（Ｐ＋１）））に決定されることができる。
【０３３３】
また、一例として、ＭＡＸ＿ＷＡＮＶＡＬは、ＭＡＸ｛ＷＡＮ＿ＴＸＰ（Ｐ）、ＷＡＮ＿ＴＸＰ（Ｐ＋１）｝に決定されることができる。また、一例として、前記数式において、Ｄ２Ｄ＿ＴＸＰ（Ｑ）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３３４】
一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件（ＥＭＩＳＳＩＯＮ  ＲＥＱＵＩＲＥＭＥＮＴ）を満たさない場合、放射要件が満たされる時まで、Ｄ２Ｄ＿ＴＸＰ（Ｑ）を優先的に低めるように規則が定義されることができる。
【０３３５】
他の一例として、このような問題を解決するために、事前に定義された（または、シグナリングされた）電力オフセット値が（最終）Ｄ２Ｄ＿ＴＸＰ（Ｑ）に追加的に適用されるように規則が定義されることもできる。
【０３３６】
他の一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件を満たさない場合、該当Ｄ２Ｄ信号の送信を省略するように規則が定義されることもできる。
【０３３７】
図１４は、‘場合（２）’に対する他の変形例である。
【０３３８】
図１４を参照すると、セル＃Ａのサブフレーム＃Ｑとセル＃Ｂのサブフレーム＃Ｐは、時間的同期が合わない状態であり、Ｄ２Ｄ信号を送信するセル＃Ａのサブフレーム＃Ｑとセル＃Ｂのサブフレーム＃Ｐが一部重なる状況である。
【０３３９】
（例示＃５−６）前述した‘場合（２）’または図１４で例示した場合（２）に対する変形例に対して、一例として、もし、セル＃Ａのサブフレーム＃Ｑ、セル＃Ｂのサブフレーム＃Ｐ上で各々Ｄ２Ｄ信号送信、ＷＡＮアップリンク信号送信が（同時に）実行されなければならない場合、下記の規則によって、セル＃Ａのサブフレーム＃ＱでのＤ２Ｄ信号に対する送信電力を決定することができる。
【０３４０】
ここで、一例として、（例示＃５−６）は、Ｄ２Ｄセル（搬送波）がＷＡＮアップリンクセル（搬送波）より先行（ＬＥＡＤ）する場合（または、ＷＡＮアップリンクセル（搬送波）がＤ２Ｄセル（搬送波）より先行する場合）と解釈されることもできる。また、一例として、図１４において、セル＃Ａのサブフレームインデックス‘Ｑ’は‘Ｋ’と仮定され、セル＃Ｂのサブフレームインデックス‘Ｐ’は‘（Ｋ＋１）（または、‘Ｋ’）’と仮定されることもできる。
【０３４１】
他のセル上の（一部または全て）重なる時点（サブフレーム）で、Ｄ２Ｄ信号送信がないという仮定下で計算された、セル＃Ｂのサブフレーム＃ＰでのＷＡＮアップリンク信号送信に関連したＰＣＭＡＸ（Ｐ）（“ＰＣＭＡＸ＿ＷＯ（Ｐ）”）（または、ＰＣＭＡＸ＿Ｌ（Ｐ）（“ＰＣＭＡＸＬ＿ＷＯ（Ｐ）”））またはＰＣＭＡＸ、Ｂ（Ｐ）に基づいてセル＃Ａのサブフレーム＃ＱでのＤ２Ｄ信号に対する送信電力を決定することができる。
【０３４２】
一例として、もし、開ループ電力制御／閉ループ電力制御パラメータにより決定されたセル＃Ｂのサブフレーム＃ＰでのＷＡＮアップリンク信号の送信電力を“ＷＡＮ＿ＣＯＮＰ（Ｐ）”と仮定する場合、セル＃Ｂのサブフレーム＃Ｐでの最終的なＷＡＮアップリンク信号の送信電力（“ＷＡＮ＿ＴＸＰ（Ｐ）”）は、ＭＩＮ｛ＰＣＭＡＸ＿ＷＯ（Ｐ）、ＭＩＮ｛ＰＣＭＡＸ、Ｂ（Ｐ）、ＷＡＮ＿ＣＯＮＰ（Ｐ）｝｝に決定されることができる。
【０３４３】
セル＃Ｂのサブフレーム＃ＰでのＷＡＮアップリンク信号送信が、Ｄ２Ｄ信号送信と関連したリソース割当個数／位置／変調方式によってセル＃Ａのサブフレーム＃Ｑで送信される（事前に定義され、またはシグナリングされた）ＷＡＮアップリンク信号と一部重なる状況を仮定した後に、計算された（セル＃Ａのサブフレーム＃Ｑでの）Ｄ２Ｄ信号送信に関連したＰＣＭＡＸ（Ｑ、Ｐ）（“ＰＣＭＡＸ＿ＤＷ（Ｑ、Ｐ）”）（または、ＰＣＭＡＸ＿Ｌ（Ｑ、Ｐ）（“ＰＣＭＡＸＬ＿ＤＷ（Ｑ、Ｐ）”））またはＰＣＭＡＸ、Ａ（Ｑ、Ｐ）に基づいてセル＃Ａのサブフレーム＃ＱでのＤ２Ｄ信号に対する送信電力を決定することができる。
【０３４４】
ここで、一例として、このような規則は、（セル＃Ｂのサブフレーム＃Ｐでの）ＷＡＮアップリンク信号送信が（セル＃Ａのサブフレーム＃Ｑでの）Ｄ２Ｄ信号の送信電力（例えば、ＰＣＭＡＸ＿ＤＷ（Ｑ、Ｐ）（または、ＰＣＭＡＸＬ＿ＤＷ（Ｑ、Ｐ）））計算のための基準で解釈されることもできる。
【０３４５】
一例として、もし、開ループ電力制御パラメータにより決定されたセル＃Ａのサブフレーム＃ＱでのＤ２Ｄ信号の送信電力を“Ｄ２Ｄ＿ＣＯＮＰ（Ｑ）”と仮定する場合、該当時点での最終的なＤ２Ｄ信号の送信電力（“Ｄ２Ｄ＿ＴＸＰ（Ｑ）”）は、ＭＩＮ｛（ＮＥＷ＿ＶＡＬ−ＭＡＸ＿ＷＡＮＶＡＬ）、ＭＩＮ｛ＰＣＭＡＸ、Ａ（Ｑ、Ｐ）、Ｄ２Ｄ＿ＣＯＮＰ（Ｑ）｝｝に決定されることもできる。
【０３４６】
ここで、一例として、ＮＥＷ  ＶＡＬは、ＭＩＮ｛ＰＣＭＡＸＬ＿ＷＯ（Ｐ）、ＰＣＭＡＸＬ＿ＤＷ（Ｑ、Ｐ）｝（または、ＭＡＸ｛ＰＣＭＡＸＬ＿ＷＯ（Ｐ）、ＰＣＭＡＸＬ＿ＤＷ（Ｑ、Ｐ）｝またはＭＩＮ｛ＰＣＭＡＸ＿ＷＯ（Ｐ）、ＰＣＭＡＸ＿ＤＷ（Ｑ、Ｐ）｝またはＭＡＸ｛ＰＣＭＡＸ＿ＷＯ（Ｐ）、ＰＣＭＡＸ＿ＤＷ（Ｑ、Ｐ）｝またはＰＣＭＡＸＬ＿ＷＯ（Ｐ）またはＰＣＭＡＸＬ＿ＤＷ（Ｑ、Ｐ）またはＰＣＭＡＸ＿ＷＯ（Ｐ）またはＰＣＭＡＸ＿ＤＷ（Ｑ、Ｐ））に決定されることができる。
【０３４７】
また、一例として、ＭＡＸ＿ＷＡＮＶＡＬは、ＷＡＮ＿ＴＸＰ（Ｐ）に決定されることができる。また、一例として、前記数式において、Ｄ２Ｄ＿ＴＸＰ（Ｑ）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３４８】
一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件を満たさない場合、放射要件が満たされる時まで、Ｄ２Ｄ＿ＴＸＰ（Ｑ）を優先的に低めるように規則が定義されることができる。他の一例として、このような問題を解決するために、事前に定義された（または、シグナリングされた）電力オフセット値が（最終）Ｄ２Ｄ＿ＴＸＰ（Ｑ）に追加的に適用されるように規則が定義されることもできる。他の一例として、もし、Ｄ２Ｄ＿ＴＸＰ（Ｑ）がＷＡＮアップリンク信号／Ｄ２Ｄ信号の同時送信状況での事前に定義された（または、シグナリングされた）放射要件を満たさない場合、該当Ｄ２Ｄ信号の送信が省略されるように規則が定義されることもできる。
【０３４９】
図１５は、本発明の一実施例に係る電力制御方法を示す。
【０３５０】
図１５を参照すると、端末は、第１のセル（第１の搬送波）の第１のサブフレーム、第２のセル（第２の搬送波）の第２のサブフレームに適用する送信電力を決定する（Ｓ１５１）。
【０３５１】
端末は、第１のセルの第１のサブフレームでＷＡＮ送信を実行し（Ｓ１５２）、第２のセルの第２のサブフレームでＤ２Ｄ動作による送信を実行する（Ｓ１５３）。
【０３５２】
このとき、前記第１のサブフレームと前記第２のサブフレームが時間的に一部のみが重なる場合、前記第１のセルの前記第１のサブフレームに対して決定される最大出力電力（ＰＣＭＡＸ）に基づいて、前記第１のサブフレームでの前記ＷＡＮ送信及び前記第２のサブフレームでの前記Ｄ２Ｄ動作による送信に対する送信電力を決定することができる。即ち、ＷＡＮアップリンクセル（搬送波）（または、ＷＡＮアップリンク信号を送信するサブフレーム）が（他のセル（搬送波）で実行される）Ｄ２Ｄ動作による送信及びＷＡＮアップリンク送信に関連したＰＣＭＡＸ（そして／またはＰＣＭＡＸ＿Ｌそして／またはＰＣＭＡＸ＿Ｈ）を計算するのに基準（ＲＥＦＥＲＥＮＣＥ）になることができる。
【０３５３】
前記方法において、図１３のように第１のサブフレームが第２のサブフレームに比べて時間的に先行し、または図１４のように第１のサブフレームが第２のサブフレームに比べて時間的に遅れる状態である。前記第１のセル及び第２のセルは、互いに異なる周波数のセルである。第１及び第２のセルは、順に第１及び第２の搬送波で表現されることもできる。
【０３５４】
図１６は、便宜上、図９の副図面（ｂ）を再び示す。
【０３５５】
図１６を参照すると、セル＃Ａのサブフレーム＃Ｑ（ＳＦ＃Ｑ）、サブフレーム＃Ｑ＋１（ＳＦ＃Ｑ＋１）と、セル＃Ｂのサブフレーム＃Ｐ（ＳＦ＃Ｐ）、サブフレーム＃Ｐ＋１（ＳＦ＃Ｐ＋１）とが時間的に整列されていない。セル＃Ａのサブフレーム＃Ｑ（ＳＦ＃Ｑ）とセル＃Ｂのサブフレーム＃Ｐ＋１（ＳＦ＃Ｐ＋１）が一部重なっており、セル＃Ｂのサブフレームがセル＃Ａのサブフレームに比べて時間的に先行する状況である。図１６は‘場合（２）’を示す。
【０３５６】
（例示＃５−７）図１６の‘場合（２）’に対して、一例として、もし、セル＃Ａのサブフレーム＃Ｑ、セル＃Ａのサブフレーム＃（Ｑ＋１）、セル＃Ｂのサブフレーム＃Ｐ、セル＃Ｂのサブフレーム＃（Ｐ＋１）上で各々Ｄ２Ｄ信号送信、Ｄ２Ｄ信号送信、ＷＡＮアップリンク信号送信、ＷＡＮアップリンク信号送信が（同時に）実行されなければならない場合、下記の規則によって、セル＃Ａのサブフレーム＃ＱでのＤ２Ｄ信号の送信電力、セル＃Ａのサブフレーム＃（Ｑ＋１）でのＤ２Ｄ信号の送信電力が決定されるように規則が定義されることができる。
【０３５７】
ここで、一例として、（例示＃５−７）は、ＷＡＮアップリンクセル（搬送波）がＤ２Ｄセル（搬送波）より先行（ＬＥＡＤ）する場合と解釈されることもできる。また、一例として、図１６において、セル＃Ａのサブフレームインデックス‘Ｑ（／（Ｑ＋１））’は‘Ｋ（／（Ｋ＋１））’と仮定され、セル＃Ｂのサブフレームインデックス‘Ｐ（／（Ｐ＋１））’は‘Ｋ（／（Ｋ＋１））’と仮定されることもできる。
【０３５８】
他のセル上の（一部または全て）重なる時点（サブフレーム）で、Ｄ２Ｄ信号送信がないという仮定下で計算された、セル＃Ｂのサブフレーム＃ＰでのＷＡＮアップリンク信号送信に関連したＰＣＭＡＸ（Ｐ）（“ＰＣＭＡＸ＿ＷＯ（Ｐ）”）（または、ＰＣＭＡＸ＿Ｌ（Ｐ）（“ＰＣＭＡＸＬ＿ＷＯ（Ｐ）”））またはＰＣＭＡＸ、Ｂ（Ｐ）、セル＃Ｂのサブフレーム＃（Ｐ＋１）でのＷＡＮアップリンク信号送信関連ＰＣＭＡＸ（Ｐ＋１）（“ＰＣＭＡＸ＿ＷＯ（Ｐ＋１）”）（または、ＰＣＭＡＸ＿Ｌ（Ｐ＋１）（“ＰＣＭＡＸＬ＿ＷＯ（Ｐ＋１）”））またはＰＣＭＡＸ、Ｂ（Ｐ＋１）に基づいてセル＃Ａのサブフレーム＃ＱでのＤ２Ｄ信号の送信電力、セル＃Ａのサブフレーム＃（Ｑ＋１）でのＤ２Ｄ信号の送信電力が決定されることができる。
【０３５９】
一例として、もし、開ループ電力制御／閉ループ電力制御パラメータにより決定されたセル＃Ｂのサブフレーム＃ＰでのＷＡＮアップリンク信号の送信電力を“ＷＡＮ＿ＣＯＮＰ（Ｐ）”と仮定し、セル＃Ｂのサブフレーム＃（Ｐ＋１）でのＷＡＮアップリンク信号の送信電力を“ＷＡＮ＿ＣＯＮＰ（Ｐ＋１）”と仮定する場合、セル＃Ｂのサブフレーム＃Ｐでの最終的なＷＡＮアップリンク信号の送信電力（“ＷＡＮ＿ＴＸＰ（Ｐ）”）は、ＭＩＮ｛ＰＣＭＡＸ＿ＷＯ（Ｐ）、ＭＩＮ｛ＰＣＭＡＸ、Ｂ（Ｐ）、ＷＡＮ＿ＣＯＮＰ（Ｐ）｝｝に決定され、セル＃Ｂのサブフレーム＃（Ｐ＋１）での最終的なＷＡＮアップリンク信号の送信電力（“ＷＡＮ＿ＴＸＰ（Ｐ＋１）”）は、ＭＩＮ｛ＰＣＭＡＸ＿ＷＯ（Ｐ＋１）、ＭＩＮ｛ＰＣＭＡＸ、Ｂ（Ｐ＋１）、ＷＡＮ＿ＣＯＮＰ（Ｐ＋１）｝｝に決定されることができる。
【０３６０】
セル＃Ｂのサブフレーム＃ＰでのＷＡＮアップリンク信号の送信がＤ２Ｄ信号送信に関連したリソース割当個数／位置／変調方式によってセル＃Ａのサブフレーム＃Ｑで送信される事前に定義された（または、シグナリングされた）ＷＡＮアップリンク信号と一部重なる状況を仮定した後に、計算された（セル＃Ａのサブフレーム＃Ｑでの）Ｄ２Ｄ信号送信に関連したＰＣＭＡＸ（Ｐ、Ｑ）（“ＰＣＭＡＸ＿ＤＷ（Ｐ、Ｑ）”）（または、ＰＣＭＡＸ＿Ｌ（Ｐ、Ｑ）（“ＰＣＭＡＸＬ＿ＤＷ（Ｐ、Ｑ）”））またはＰＣＭＡＸ、Ａ（Ｐ、Ｑ）に基づいてセル＃Ａのサブフレーム＃ＱでのＤ２Ｄ信号の送信電力、セル＃Ａのサブフレーム＃（Ｑ＋１）でのＤ２Ｄ信号送信電力が決定されるように規則が決まることができる。
【０３６１】
ここで、一例として、このような規則は、（セル＃Ｂのサブフレーム＃Ｐでの）ＷＡＮアップリンク信号送信が（セル＃Ａのサブフレーム＃Ｑでの）Ｄ２Ｄ信号の送信電力（例えば、ＰＣＭＡＸ＿ＤＷ（Ｐ、Ｑ）（または、ＰＣＭＡＸＬ＿ＤＷ（Ｐ、Ｑ）））計算のための基準で解釈されることもできる。
【０３６２】
セル＃Ｂのサブフレーム＃（Ｐ＋１）でのＷＡＮアップリンク信号送信が（Ｄ２Ｄ信号送信に関連したリソース割当個数／位置／変調方式によって）セル＃Ａのサブフレーム＃Ｑで送信される事前に定義された（または、シグナリングされた）ＷＡＮアップリンク信号と一部重なる状況を仮定した後に、計算された（セル＃Ａのサブフレーム＃Ｑでの）Ｄ２Ｄ信号送信に関連したＰＣＭＡＸ（Ｑ、（Ｐ＋１））（“ＰＣＭＡＸ＿ＤＷ（Ｑ、（Ｐ＋１））”）（または、ＰＣＭＡＸ＿Ｌ（Ｑ、（Ｐ＋１））（“ＰＣＭＡＸＬ＿ＤＷ（Ｑ、（Ｐ＋１））”））またはＰＣＭＡＸ、Ａ（Ｑ、（Ｐ＋１））に基づいてセル＃Ａのサブフレーム＃ＱでのＤ２Ｄ信号の送信電力、セル＃Ａのサブフレーム＃（Ｑ＋１）でのＤ２Ｄ信号の送信電力を決定するように規則が定義されることができる。
【０３６３】
ここで、一例として、このような規則は、（セル＃Ｂのサブフレーム＃（Ｐ＋１）での）ＷＡＮアップリンク信号送信が（セル＃Ａのサブフレーム＃Ｑでの）Ｄ２Ｄ信号の送信電力（例えば、ＰＣＭＡＸ＿ＤＷ（Ｑ、（Ｐ＋１））（または、ＰＣＭＡＸＬ＿ＤＷ（Ｑ、（Ｐ＋１））））計算のための基準で解釈されることもできる。
【０３６４】
セル＃Ｂのサブフレーム＃（Ｐ＋１）でのＷＡＮアップリンク信号送信が（Ｄ２Ｄ信号送信に関連したリソース割当個数／位置／変調方式によって）セル＃Ａのサブフレーム＃（Ｑ＋１）で送信される事前に定義された（または、シグナリングされた）ＷＡＮアップリンク信号と一部重なる状況を仮定した後に、計算された（セル＃Ａのサブフレーム＃（Ｑ＋１）での）Ｄ２Ｄ信号の送信に関連したＰＣＭＡＸ（（Ｐ＋１）、（Ｑ＋１））（“ＰＣＭＡＸ＿ＤＷ（（Ｐ＋１）、（Ｑ＋１））”）（または、ＰＣＭＡＸ＿Ｌ（（Ｐ＋１）、（Ｑ＋１））（“ＰＣＭＡＸＬ＿ＤＷ（（Ｐ＋１）、（Ｑ＋１））”））またはＰＣＭＡＸ、Ａ（（Ｐ＋１）、（Ｑ＋１））に基づいてセル＃Ａのサブフレーム＃ＱでのＤ２Ｄ信号の送信電力、セル＃Ａのサブフレーム＃（Ｑ＋１）でのＤ２Ｄ信号の送信電力が決定されるように規則が定義されることができる。ここで、一例として、このような規則は、（セル＃Ｂのサブフレーム＃（Ｐ＋１）での）ＷＡＮアップリンク信号送信が（セル＃Ａのサブフレーム＃（Ｑ＋１）での）Ｄ２Ｄ信号の送信電力（例えば、ＰＣＭＡＸ＿ＤＷ（（Ｐ＋１）、（Ｑ＋１））（または、ＰＣＭＡＸＬ＿ＤＷ（（Ｐ＋１）、（Ｑ＋１））））計算のための基準で解釈されることもできる。
【０３６５】
一例として、ＰＣＭＡＸ、Ａ（Ｐ、Ｑ）とＰＣＭＡＸ、Ａ（Ｑ、（Ｐ＋１））は、同じ値を有することができる。
【０３６６】
一例として、もし、開ループ電力制御パラメータにより決定されたセル＃Ａのサブフレーム＃ＱでのＤ２Ｄ信号送信電力を“Ｄ２Ｄ＿ＣＯＮＰ（Ｑ）”と仮定する場合、該当時点での最終的なＤ２Ｄ信号送信電力（“Ｄ２Ｄ＿ＴＸＰ（Ｑ）”）は、ＭＩＮ｛（ＮＥＷ＿ＶＡＬ−ＭＡＸ＿ＷＡＮＶＡＬ）、ＭＩＮ｛ＰＣＭＡＸ、Ａ（Ｑ、Ｑ）、Ｄ２Ｄ＿ＣＯＮＰ（Ｑ）｝｝に決定されることもできる。ここで、一例として、ＮＥＷ  ＶＡＬは、ＭＩＮ｛ＰＣＭＡＸＬ＿ＤＷ（Ｐ、Ｑ）、ＰＣＭＡＸＬ＿ＤＷ（Ｑ、（Ｐ＋１））｝（または、ＭＡＸ｛ＰＣＭＡＸＬ＿ＤＷ（Ｐ、Ｑ）、ＰＣＭＡＸＬ＿ＤＷ（Ｑ、（Ｐ＋１））｝またはＭＩＮ｛ＰＣＭＡＸ＿ＤＷ（Ｐ、Ｑ）、ＰＣＭＡＸ＿ＤＷ（Ｑ、（Ｐ＋１））｝またはＭＡＸ｛ＰＣＭＡＸ＿ＤＷ（Ｐ、Ｑ）、ＰＣＭＡＸ＿ＤＷ（Ｑ、（Ｐ＋１））｝またはＰＣＭＡＸＬ＿ＤＷ（Ｐ、Ｑ）またはＰＣＭＡＸＬ＿ＤＷ（Ｑ、（Ｐ＋１））またはＰＣＭＡＸ＿ＤＷ（Ｐ、Ｑ）またはＰＣＭＡＸ＿ＤＷ（Ｑ、（Ｐ＋１）））に決定されることができる。また、一例として、ＭＡＸ＿ＷＡＮＶＡＬは、ＭＡＸ｛ＷＡＮ＿ＴＸＰ（Ｐ）、ＷＡＮ＿ＴＸＰ（Ｐ＋１）｝に決定されることができる。また、一例として、前記数式において、Ｄ２Ｄ＿ＴＸＰ（Ｑ）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３６７】
一例として、もし、開ループ電力制御パラメータにより決定されたセル＃Ａのサブフレーム＃（Ｑ＋１）でのＤ２Ｄ信号送信電力を“Ｄ２Ｄ＿ＣＯＮＰ（Ｑ＋１）”と仮定する場合、該当時点での最終的なＤ２Ｄ信号の送信電力（“Ｄ２Ｄ＿ＴＸＰ（Ｑ＋１）”）は、ＭＩＮ｛（ＮＥＷ＿ＶＡＬ−ＭＡＸ＿ＷＡＮＶＡＬ）、ＭＩＮ｛ＰＣＭＡＸ、Ａ（（Ｑ＋１）、（Ｑ＋１））、Ｄ２Ｄ＿ＣＯＮＰ（Ｑ＋１）｝｝に決定されることができる。ここで、一例として、ＮＥＷ  ＶＡＬは、ＭＩＮ｛ＰＣＭＡＸＬ＿ＷＯ（Ｐ＋１）、ＰＣＭＡＸＬ＿ＤＷ（（Ｐ＋１）、（Ｑ＋１））｝（または、ＭＡＸ｛ＰＣＭＡＸＬ＿ＷＯ（Ｐ＋１）、ＰＣＭＡＸＬ＿ＤＷ（（Ｐ＋１）、（Ｑ＋１））｝またはＭＩＮ｛ＰＣＭＡＸ＿ＷＯ（Ｐ＋１）、ＰＣＭＡＸ＿ＤＷ（（Ｐ＋１）、（Ｑ＋１））｝またはＭＡＸ｛ＰＣＭＡＸ＿ＷＯ（Ｐ＋１）、ＰＣＭＡＸ＿ＤＷ（（Ｐ＋１）、（Ｑ＋１））｝またはＰＣＭＡＸＬ＿ＷＯ（Ｐ＋１）またはＰＣＭＡＸＬ＿ＤＷ（（Ｐ＋１）、（Ｑ＋１））またはＰＣＭＡＸ＿ＷＯ（Ｐ＋１）またはＰＣＭＡＸ＿ＤＷ（（Ｐ＋１）、（Ｑ＋１）））に決定されることができる。また、一例として、ＭＡＸ＿ＷＡＮＶＡＬは、ＷＡＮ＿ＴＸＰ（Ｐ＋１）に決定されることができる。また、一例として、前記数式において、Ｄ２Ｄ＿ＴＸＰ（Ｑ＋１）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３６８】
他の一例として、もし、開ループ電力制御パラメータにより決定されたセル＃Ａのサブフレーム＃ＱでのＤ２Ｄ信号送信電力を“Ｄ２Ｄ＿ＣＯＮＰ（Ｑ）”と仮定する場合、該当時点での最終的なＤ２Ｄ信号送信電力（“Ｄ２Ｄ＿ＴＸＰ（Ｑ）”）は、ＭＩＮ｛（ＮＥＷ＿ＶＡＬ−ＭＡＸ＿ＷＡＮＶＡＬ）、ＭＩＮ｛ＰＣＭＡＸ、Ａ（Ｑ、Ｑ）、Ｄ２Ｄ＿ＣＯＮＰ（Ｑ）｝｝に決定されることができる。ここで、一例として、ＮＥＷ  ＶＡＬは、ＭＩＮ｛ＰＣＭＡＸＬ＿ＤＷ（Ｐ、Ｑ）、ＭＩＮ｛ＰＣＭＡＸＬ＿ＤＷ（Ｑ、（Ｐ＋１））、ＰＣＭＡＸＬ＿ＤＷ（（Ｐ＋１）、（Ｑ＋１））｝｝（または、ＭＡＸ｛ＰＣＭＡＸＬ＿ＤＷ（Ｐ、Ｑ）、ＭＩＮ｛ＰＣＭＡＸＬ＿ＤＷ（Ｑ、（Ｐ＋１））、ＰＣＭＡＸＬ＿ＤＷ（（Ｐ＋１）、（Ｑ＋１））｝｝またはＭＩＮ｛ＰＣＭＡＸ＿ＤＷ（Ｐ、Ｑ）、ＭＩＮ｛ＰＣＭＡＸ＿ＤＷ（Ｑ、（Ｐ＋１））、ＰＣＭＡＸ＿ＤＷ（（Ｐ＋１）、（Ｑ＋１））｝｝またはＭＡＸ｛ＰＣＭＡＸ＿ＤＷ（Ｐ、Ｑ）、ＭＩＮ｛ＰＣＭＡＸ＿ＤＷ（Ｑ、（Ｐ＋１））、ＰＣＭＡＸ＿ＤＷ（（Ｐ＋１）、（Ｑ＋１））｝｝またはＰＣＭＡＸＬ＿ＤＷ（Ｐ、Ｑ）またはＭＩＮ｛ＰＣＭＡＸＬ＿ＤＷ（Ｑ、（Ｐ＋１））、ＰＣＭＡＸＬ＿ＤＷ（（Ｐ＋１）、（Ｑ＋１））｝またはＰＣＭＡＸ＿ＤＷ（Ｐ、Ｑ）またはＭＩＮ｛ＰＣＭＡＸ＿ＤＷ（Ｑ、（Ｐ＋１））、ＰＣＭＡＸ＿ＤＷ（（Ｐ＋１）、（Ｑ＋１））｝に決定されることができる。また、一例として、ＭＡＸ＿ＷＡＮＶＡＬは、ＭＡＸ｛ＷＡＮ＿ＴＸＰ（Ｐ）、ＷＡＮ＿ＴＸＰ（Ｐ＋１）｝に決定されることができる。また、一例として、前記数式において、Ｄ２Ｄ＿ＴＸＰ（Ｑ）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３６９】
他の一例として、もし、開ループ電力制御パラメータにより決定されたセル＃Ａのサブフレーム＃（Ｑ＋１）でのＤ２Ｄ信号の送信電力を“Ｄ２Ｄ＿ＣＯＮＰ（Ｑ＋１）”と仮定する場合、該当時点での最終的なＤ２Ｄ信号の送信電力（“Ｄ２Ｄ＿ＴＸＰ（Ｑ＋１）”）は、ＭＩＮ｛（ＮＥＷ＿ＶＡＬ−ＭＡＸ＿ＷＡＮＶＡＬ）、ＭＩＮ｛ＰＣＭＡＸ、Ａ（（Ｑ＋１）、（Ｑ＋１））、Ｄ２Ｄ＿ＣＯＮＰ（Ｑ＋１）｝｝に決定されることができる。ここで、一例として、ＮＥＷ  ＶＡＬは、ＭＩＮ｛ＭＩＮ｛ＰＣＭＡＸＬ＿ＷＯ（Ｐ＋１）、ＰＣＭＡＸＬ＿ＤＷ（Ｑ、（Ｐ＋１））｝、ＰＣＭＡＸＬ＿ＤＷ（（Ｐ＋１）、（Ｑ＋１））｝（または、ＭＡＸ｛ＭＩＮ｛ＰＣＭＡＸＬ＿ＷＯ（Ｐ＋１）、ＰＣＭＡＸＬ＿ＤＷ（Ｑ、（Ｐ＋１））｝、ＰＣＭＡＸＬ＿ＤＷ（（Ｐ＋１）、（Ｑ＋１））｝またはＭＩＮ｛ＭＩＮ｛ＰＣＭＡＸ＿ＷＯ（Ｐ＋１）、ＰＣＭＡＸ＿ＤＷ（Ｑ、（Ｐ＋１））｝、ＰＣＭＡＸ＿ＤＷ（（Ｐ＋１）、（Ｑ＋１））｝またはＭＡＸ｛ＭＩＮ｛ＰＣＭＡＸ＿ＷＯ（Ｐ＋１）、ＰＣＭＡＸ＿ＤＷ（Ｑ、（Ｐ＋１））｝、ＰＣＭＡＸ＿ＤＷ（（Ｐ＋１）、（Ｑ＋１））｝またはＭＩＮ｛ＰＣＭＡＸＬ＿ＷＯ（Ｐ＋１）、ＰＣＭＡＸＬ＿ＤＷ（Ｑ、（Ｐ＋１））｝またはＰＣＭＡＸＬ＿ＤＷ（（Ｐ＋１）、（Ｑ＋１））またはＭＩＮ｛ＰＣＭＡＸ＿ＷＯ（Ｐ＋１）、ＰＣＭＡＸ＿ＤＷ（Ｑ、（Ｐ＋１））｝またはＰＣＭＡＸ＿ＤＷ（（Ｐ＋１）、（Ｑ＋１））に決定されることができる。また、一例として、ＭＡＸ＿ＷＡＮＶＡＬは、ＷＡＮ＿ＴＸＰ（Ｐ＋１）に決定されることができる。また、一例として、前記数式において、Ｄ２Ｄ＿ＴＸＰ（Ｑ＋１）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３７０】
一例として、もし、Ｄ２Ｄ＿ＴＸＰ（Ｑ）、Ｄ２Ｄ＿ＴＸＰ（Ｑ＋１）がＷＡＮアップリンク信号／Ｄ２Ｄ信号の同時送信状況での事前に定義された（または、シグナリングされた）放射要件を満たさない場合、放射要件が満たされる時まで、Ｄ２Ｄ＿ＴＸＰ（Ｑ）、Ｄ２Ｄ＿ＴＸＰ（Ｑ＋１）を優先的に低めるように規則が定義されることができる。他の一例として、このような問題を解決するために、事前に定義された（または、シグナリングされた）電力オフセット値が（最終）Ｄ２Ｄ＿ＴＸＰ（Ｑ）そして／またはＤ２Ｄ＿ＴＸＰ（Ｑ＋１）に追加的に適用されるように規則が定義されることもできる。他の一例として、もし、Ｄ２Ｄ＿ＴＸＰ（Ｑ）、Ｄ２Ｄ＿ＴＸＰ（Ｑ＋１）がＷＡＮアップリンク信号／Ｄ２Ｄ信号の同時送信状況での事前に定義された（または、シグナリングされた）放射要件を満たさない場合、該当Ｄ２Ｄ信号送信が省略されるように規則が定義されることもできる。
【０３７１】
図１７は、Ｄ２Ｄ信号の送信とＷＡＮアップリンク信号を送信するタイミングを示す例である。
【０３７２】
図１７を参照すると、セル＃ＡのサブフレームＱ＋１（ＳＦ＃Ｑ＋１）とセル＃Ｂのサブフレーム＃Ｐ＋１（ＳＦ＃Ｐ＋１）が時間的に整列されていない。セル＃Ａのサブフレーム＃Ｑ（ＳＦ＃Ｑ）、サブフレーム＃Ｑ＋１ではＤ２Ｄ信号送信が実行され、セル＃Ｂのサブフレーム＃Ｐ＋１（ＳＦ＃Ｐ＋１）ではＷＡＮアップリンク信号の送信が実行される状況である。
【０３７３】
（例示＃５−８）‘場合（２）’または図１７のようなタイミングにおいて、一例として、もし、セル＃Ａのサブフレーム＃Ｑ、セル＃Ａのサブフレーム＃（Ｑ＋１）、セル＃Ｂのサブフレーム＃（Ｐ＋１）上で順にＤ２Ｄ信号送信、Ｄ２Ｄ信号送信、ＷＡＮアップリンク信号送信が実行されなければならない場合、下記の規則によって、セル＃Ａのサブフレーム＃ＱでのＤ２Ｄ信号の送信電力、セル＃Ａのサブフレーム＃（Ｑ＋１）でのＤ２Ｄ信号の送信電力が決定されるように定義することができる。
【０３７４】
ここで、一例として、（例示＃５−８）は、ＷＡＮアップリンクセル（搬送波）がＤ２Ｄセル（搬送波）より先行（ＬＥＡＤ）する場合と解釈されることもできる。また、一例として、図１７において、セル＃ＡのＳＦインデックス‘Ｑ（／（Ｑ＋１））’は‘Ｋ（／（Ｋ＋１））’と仮定され、セル＃ＢのＳＦインデックス‘（Ｐ＋１）’は‘（Ｋ＋１）’と仮定されることもできる。
【０３７５】
他のセル上の（一部または全て）重なる時点（サブフレーム）で、Ｄ２Ｄ信号送信がないという仮定下で計算された、セル＃Ｂのサブフレーム＃（Ｐ＋１）でのＷＡＮアップリンク信号送信に関連したＰＣＭＡＸ（Ｐ＋１）（“ＰＣＭＡＸ＿ＷＯ（Ｐ＋１）”）（または、ＰＣＭＡＸ＿Ｌ（Ｐ＋１）（“ＰＣＭＡＸＬ＿ＷＯ（Ｐ＋１）”））またはＰＣＭＡＸ、Ｂ（Ｐ＋１）に基づいてセル＃Ａのサブフレーム＃ＱでのＤ２Ｄ信号の送信電力、セル＃Ａのサブフレーム＃（Ｑ＋１）でのＤ２Ｄ信号の送信電力を決定することができる。
【０３７６】
一例として、もし、開ループ電力制御／閉ループ電力制御パラメータにより決定されたセル＃Ｂのサブフレーム＃（Ｐ＋１）でのＷＡＮアップリンク信号の送信電力を“ＷＡＮ＿ＣＯＮＰ（Ｐ＋１）”と仮定する場合、セル＃Ｂのサブフレーム＃（Ｐ＋１）での最終的なＷＡＮアップリンク信号の送信電力（“ＷＡＮ＿ＴＸＰ（Ｐ＋１）”）は、ＭＩＮ｛ＰＣＭＡＸ＿ＷＯ（Ｐ＋１）、ＭＩＮ｛ＰＣＭＡＸ、Ｂ（Ｐ＋１）、ＷＡＮ＿ＣＯＮＰ（Ｐ＋１）｝｝に決定されることができる。
【０３７７】
セル＃Ｂのサブフレーム＃（Ｐ＋１）でのＷＡＮアップリンク信号送信が（Ｄ２Ｄ信号送信に関連したリソース割当個数／位置／変調方式によって）セル＃Ａのサブフレーム＃Ｑで送信される事前に定義された（または、シグナリングされた）ＷＡＮアップリンク信号と一部重なる状況を仮定した後に、計算された（セル＃Ａのサブフレーム＃Ｑでの）Ｄ２Ｄ信号送信に関連したＰＣＭＡＸ（Ｑ、（Ｐ＋１））（“ＰＣＭＡＸ＿ＤＷ（Ｑ、（Ｐ＋１））”）（または、ＰＣＭＡＸ＿Ｌ（Ｑ、（Ｐ＋１））（“ＰＣＭＡＸＬ＿ＤＷ（Ｑ、（Ｐ＋１））”））またはＰＣＭＡＸ、Ａ（Ｑ、（Ｐ＋１））に基づいてセル＃Ａのサブフレーム＃ＱでのＤ２Ｄ信号の送信電力、セル＃Ａのサブフレーム＃（Ｑ＋１）でのＤ２Ｄ信号の送信電力を決定することができる。このような規則は、（セル＃Ｂのサブフレーム＃（Ｐ＋１）での）ＷＡＮアップリンク信号送信が（セル＃Ａのサブフレーム＃Ｑでの）Ｄ２Ｄ信号の送信電力（例えば、ＰＣＭＡＸ＿ＤＷ（Ｑ、（Ｐ＋１））（または、ＰＣＭＡＸＬ＿ＤＷ（Ｑ、（Ｐ＋１））））計算のための基準で解釈されることもできる。
【０３７８】
セル＃Ｂのサブフレーム＃（Ｐ＋１）でのＷＡＮアップリンク信号送信がＤ２Ｄ信号送信に関連したリソース割当個数／位置／変調方式によってセル＃Ａのサブフレーム＃（Ｑ＋１）で送信される事前に定義された（または、シグナリングされた）ＷＡＮアップリンク信号と一部重なる状況を仮定した後に、計算された（セル＃Ａのサブフレーム＃（Ｑ＋１）での）Ｄ２Ｄ信号送信に関連したＰＣＭＡＸ（（Ｐ＋１）、（Ｑ＋１））（“ＰＣＭＡＸ＿ＤＷ（（Ｐ＋１）、（Ｑ＋１））”）（または、ＰＣＭＡＸ＿Ｌ（（Ｐ＋１）、（Ｑ＋１））（“ＰＣＭＡＸＬ＿ＤＷ（（Ｐ＋１）、（Ｑ＋１））”））またはＰＣＭＡＸ、Ａ（（Ｐ＋１）、（Ｑ＋１））に基づいてセル＃Ａのサブフレーム＃ＱでのＤ２Ｄ信号の送信電力、セル＃Ａのサブフレーム＃（Ｑ＋１）でのＤ２Ｄ信号の送信電力を決定することができる。ここで、一例として、このような規則は、（セル＃Ｂのサブフレーム＃（Ｐ＋１）での）ＷＡＮアップリンク信号送信が（セル＃Ａのサブフレーム＃（Ｑ＋１）での）Ｄ２Ｄ信号の送信電力（例えば、ＰＣＭＡＸ＿ＤＷ（（Ｐ＋１）、（Ｑ＋１））（または、ＰＣＭＡＸＬ＿ＤＷ（（Ｐ＋１）、（Ｑ＋１））））計算のための基準で解釈されることができる。
【０３７９】
一例として、もし、開ループ電力制御パラメータにより決定されたセル＃Ａのサブフレーム＃ＱでのＤ２Ｄ信号の送信電力を“Ｄ２Ｄ＿ＣＯＮＰ（Ｑ）”と仮定する場合、該当時点での最終的なＤ２Ｄ信号の送信電力（“Ｄ２Ｄ＿ＴＸＰ（Ｑ）”）は、ＭＩＮ｛（ＮＥＷ＿ＶＡＬ−ＭＡＸ＿ＷＡＮＶＡＬ）、ＭＩＮ｛ＰＣＭＡＸ、Ａ（Ｑ、（Ｐ＋１））、Ｄ２Ｄ＿ＣＯＮＰ（Ｑ）｝｝に決定されることができる。ここで、一例として、ＮＥＷ  ＶＡＬは、ＭＩＮ｛ＰＣＭＡＸＬ＿ＷＯ（Ｐ＋１）、ＰＣＭＡＸＬ＿ＤＷ（Ｑ、（Ｐ＋１））｝（または、ＭＡＸ｛ＰＣＭＡＸＬ＿ＷＯ（Ｐ＋１）、ＰＣＭＡＸＬ＿ＤＷ（Ｑ、（Ｐ＋１））｝またはＭＩＮ｛ＰＣＭＡＸ＿ＷＯ（Ｐ＋１）、ＰＣＭＡＸ＿ＤＷ（Ｑ、（Ｐ＋１））｝またはＭＡＸ｛ＰＣＭＡＸ＿ＷＯ（Ｐ＋１）、ＰＣＭＡＸ＿ＤＷ（Ｑ、（Ｐ＋１））｝またはＰＣＭＡＸＬ＿ＷＯ（Ｐ＋１）またはＰＣＭＡＸＬ＿ＤＷ（Ｑ、（Ｐ＋１））またはＰＣＭＡＸ＿ＷＯ（Ｐ＋１）またはＰＣＭＡＸ＿ＤＷ（Ｑ、（Ｐ＋１））に決定されることができる。また、一例として、ＭＡＸ＿ＷＡＮＶＡＬは、ＷＡＮ＿ＴＸＰ（Ｐ＋１）に決定されることができる。また、一例として、前記数式において、Ｄ２Ｄ＿ＴＸＰ（Ｑ）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３８０】
一例として、もし、開ループ電力制御パラメータにより決定されたセル＃Ａのサブフレーム＃（Ｑ＋１）でのＤ２Ｄ信号の送信電力を“Ｄ２Ｄ＿ＣＯＮＰ（Ｑ＋１）”と仮定する場合、該当時点での最終的なＤ２Ｄ信号の送信電力（“Ｄ２Ｄ＿ＴＸＰ（Ｑ＋１）”）は、ＭＩＮ｛（ＮＥＷ＿ＶＡＬ−ＭＡＸ＿ＷＡＮＶＡＬ）、ＭＩＮ｛ＰＣＭＡＸ、Ａ（（Ｐ＋１）、（Ｑ＋１））、Ｄ２Ｄ＿ＣＯＮＰ（Ｑ＋１）｝｝に決定されることができる。ここで、一例として、ＮＥＷ  ＶＡＬは、ＭＩＮ｛ＰＣＭＡＸＬ＿ＷＯ（Ｐ＋１）、ＰＣＭＡＸＬ＿ＤＷ（（Ｐ＋１）、（Ｑ＋１））｝（または、ＭＡＸ｛ＰＣＭＡＸＬ＿ＷＯ（Ｐ＋１）、ＰＣＭＡＸＬ＿ＤＷ（（Ｐ＋１）、（Ｑ＋１））｝またはＭＩＮ｛ＰＣＭＡＸ＿ＷＯ（Ｐ＋１）、ＰＣＭＡＸ＿ＤＷ（（Ｐ＋１）、（Ｑ＋１））｝またはＭＡＸ｛ＰＣＭＡＸ＿ＷＯ（Ｐ＋１）、ＰＣＭＡＸ＿ＤＷ（（Ｐ＋１）、（Ｑ＋１））｝またはＰＣＭＡＸＬ＿ＷＯ（Ｐ＋１）またはＰＣＭＡＸＬ＿ＤＷ（（Ｐ＋１）、（Ｑ＋１））またはＰＣＭＡＸ＿ＷＯ（Ｐ＋１）またはＰＣＭＡＸ＿ＤＷ（（Ｐ＋１）、（Ｑ＋１）））に決定されることができる。また、一例として、ＭＡＸ＿ＷＡＮＶＡＬは、ＷＡＮ＿ＴＸＰ（Ｐ＋１）に決定されることができる。また、一例として、前記数式において、Ｄ２Ｄ＿ＴＸＰ（Ｑ＋１）決定関連ＮＥＷ＿ＶＡＬは、ＰＰｏｗｅｒＣｌａｓｓまたはＭＩＮ｛ＰＥＭＡＸ、Ａ、ＰＰｏｗｅｒＣｌａｓｓ｝に代替されることもできる。
【０３８１】
一例として、もし、Ｄ２Ｄ＿ＴＸＰ（Ｑ）、Ｄ２Ｄ＿ＴＸＰ（Ｑ＋１）がＷＡＮアップリンク信号／Ｄ２Ｄ信号の同時送信状況での事前に定義された（または、シグナリングされた）放射条件を満たさない場合、放射条件が満たされる時まで、Ｄ２Ｄ＿ＴＸＰ（Ｑ）、Ｄ２Ｄ＿ＴＸＰ（Ｑ＋１）を優先的に低めるように規則が定義されることができる。他の一例として、このような問題を解決するために、事前に定義された（または、シグナリングされた）電力オフセット値が（最終）Ｄ２Ｄ＿ＴＸＰ（Ｑ）そして／またはＤ２Ｄ＿ＴＸＰ（Ｑ＋１）に追加的に適用されるように規則が定義されることもできる。他の一例として、もし、Ｄ２Ｄ＿ＴＸＰ（Ｑ）、Ｄ２Ｄ＿ＴＸＰ（Ｑ＋１）がＷＡＮアップリンク信号／Ｄ２Ｄ信号の同時送信状況での事前に定義された（または、シグナリングされた）放射条件を満たさない場合、該当Ｄ２Ｄ信号送信が省略されるように規則が定義されることもできる。
【０３８２】
一例として、下記の一部または全ての方法の適用を介して、Ｄ２Ｄ信号の送信電力が導出／決定されるように規則が定義されることができる。
【０３８３】
下記の規則は、発見（ｄｉｓｃｏｖｅｒｙ）とＤ２Ｄ通信が両方とも可能な端末、または発見信号送信とＤ２Ｄ通信送信を同時に実行しており、または上位階層シグナリングを介して発見とＤ２Ｄ通信が両方とも設定された端末、または発見のみが可能な（発見送信のみを実行しており、または上位階層シグナリングを介して発見のみが設定された）端末、またはＤ２Ｄ通信のみが可能な（または、Ｄ２Ｄ通信送信のみを実行しており、または上位階層シグナリングを介してＤ２Ｄ通信のみが設定された）端末にのみ限定的に適用されることもできる。
【０３８４】
また、一例として、下記の規則で発見とＤ２Ｄ通信が両方とも可能な（または、発見送信とＤ２Ｄ通信送信を同時に実行しており、または上位階層シグナリングを介して発見とＤ２Ｄ通信が設定された）端末（または、発見のみがサポート可能な（または、発見送信のみを実行しており、または上位階層シグナリングを介して発見のみが設定された）端末またはＤ２Ｄ通信のみが可能な（または、Ｄ２Ｄ通信送信のみを実行しており、または上位階層シグナリングを介してＤ２Ｄ通信のみが設定された端末）が送信する（発見そして／またはＤ２Ｄ通信関連）ＰＳＳＳ（そして／またはＰＳＢＣＨ）の送信電力は、１）ＳＩＢ  １９そして／またはＳＩＢ  １８の存在（または、デコーディング可能）可否、２）Ｄ２Ｄ通信の‘ｓｙｎｃＣｏｎｆｉｇ’そして／または発見の‘ｓｙｎｃＣｏｎｆｉｇ’の存在（または、デコーディング可能）可否によって、ＭＩＮ｛最大Ｄ２Ｄ通信送信電力値、最大発見送信電力値｝（または、ＭＡＸ｛最大Ｄ２Ｄ通信送信電力値、最大発見送信電力値｝または最大Ｄ２Ｄ通信送信電力値または最大発見送信電力値）をＰＥＭＡＸ、Ｃパラメータに代入し、（発見そして／またはＤ２Ｄ通信送信関連）ＰＳＳＳ（そして／またはＰＳＢＣＨ）の送信電力決定時に利用されるＰＣＭＡＸ、Ｃ（Ｎ）（そして／またはＰＣＭＡＸ（Ｎ））値を計算することができる。
【０３８５】
以下、互いに異なる搬送波でＷＡＮによるアップリンク送信とＤ２Ｄ送信（サイドリンク送信）を実行する場合、Ｄ２Ｄ送信電力によりＷＡＮによるアップリンク送信の送信電力に影響を及ぼすことを防止するための方法に対して説明する。
【０３８６】
現在、サイドリンク（ｓｉｄｅｌｉｎｋ）チャネル及びサイドリンク信号の送信電力（ｔｒａｎｓｍｉｓｓｉｏｎ  ｐｏｗｅｒ）は、開ループ電力制御に基づく出力値と最大電力間のうち小さい値に決定される。例えば、モード２によるＰＳＳＣＨに対する送信電力は、以下の数式のように決定されることができる。
【０３８７】
【数２６】
0006392462.tif 000031
【０３８８】
前記数式において、ＰＣＭＡＸ、ＰＳＳＣＨは、ＰＳＳＣＨが送信されるサイドリンクサブフレームに対応するアップリンクサブフレームに対して端末により決定されるＰＣＭＡＸ、ｃ値である。ＭＰＳＳＣＨは、リソースブロックの個数で表現されたＰＳＳＣＨリソース割当の帯域であり、ＰＬは経路損失値を示す。
【０３８９】
ここで、ＰＣＭＡＸ、ｃは、多様なパラメータを利用して決定され、前記パラメータのうち一つがＰＥＭＡＸである。ＰＥＭＡＸは、ＳＩＢ  １で定義している情報要素であるＰ−Ｍａｘにより与えられる値である。
【０３９０】
一方、Ｄ２Ｄ送信のための最大電力の設定のためのパラメータが論議されている。例えば、前記パラメータには‘ｄｉｓｃＭａｘＴｘＰｏｗｅｒ’、‘ｍａｘＴｘＰｏｗｅｒ’などがある。‘ｄｉｓｃＭａｘＴｘＰｏｗｅｒ’は、発見のための‘ＰｒｏｓｅＤｉｓｃＴｘＰｏｗｅｒＩｎｆｏ’という情報要素（ＩＥ）に含まれることができ、‘ｍａｘＴｘＰｏｗｅｒ’は、セルカバレッジの外側でのＤ２Ｄ通信のための‘ＰｒｏｓｅＰｒｅｃｏｎｆｉｇｕｒａｔｉｏｎ’という情報要素に含まれることができる。
【０３９１】
端末がサイドリンク送信電力を決定する過程を完結するためには各サイドリンクチャネル／信号に対するＰＣＭＡＸ、ｃを定義することが必要である。
【０３９２】
そのための一つの方法は、設定可能なパラメータであるＰＥＭＡＸを該当サイドリンク送信に関連したパラメータ値として与えることである。
【０３９３】
前述したように、ＰＳＤＣＨのためのＰＣＭＡＸ、ｃを計算する時、‘ｄｉｓｃＭａｘＴｘＰｏｗｅｒ’により指示される値がＰＥＭＡＸ値に設定される。また、セルカバレッジの外側のＰＳＣＣＨ、ＰＳＳＣＨのためのＰＣＭＡＸ、ｃを計算する時、‘ｍａｘＴｘＰｏｗｅｒ’により指示される値がＰＥＭＡＸ値に設定される。セルカバレッジ内のＤ２Ｄ通信のための設定はない状態であり、現存するパラメータであるＰ−Ｍａｘが再使用される。
【０３９４】
一方、ＳＬＳＳ、ＰＳＢＣＨの最大電力をどのように決定するかが問題になる。この用途のために設定されることができる特定パラメータがないため、他のサイドリンクチャネルに使われるパラメータが再使用されることが必要である。
【０３９５】
ここで、ＳＬＳＳ／ＰＳＢＣＨの送信を誘発したサイドリンクチャネルに使われるパラメータと前記ＳＬＳＳ／ＰＳＢＣＨ送信に対するパラメータは、同じように使用することが好ましい。その理由は、ＳＬＳＳ／ＰＳＢＣＨのカバレッジは、ＳＬＳＳ／ＰＳＢＣＨを誘発したサイドリンクチャネルのカバレッジと類似するためである。
【０３９６】
同じパラメータを使用しない場合、ＳＬＳＳ／ＰＳＢＣＨとこれを誘発したサイドリンクチャネルのカバレッジが互いに変わるようになる。例えば、ＳＬＳＳ／ＰＳＢＣＨが常にＳＩＢ  １に含まれたＰ−Ｍａｘを利用する場合、発見のみをサポートするネットワークがセル間干渉を考慮してＰＵＳＣＨの最大電力を制限することを所望する場合、ＳＬＳＳのカバレッジが発見の制限要素（ｂｏｔｔｌｅｎｅｃｋ）になる。
【０３９７】
一方、サブフレーム内でのＳＬＳＳ／ＰＳＢＣＨ送信は、セルカバレッジ内の端末がＤ２Ｄ通信及び発見を両方とも送信する場合、Ｄ２Ｄ通信及び発見により同時に誘発（ｔｒｉｇｇｅｒｉｎｇ）されることができる。このとき、下記の二つの方法が考慮されることができる。
【０３９８】
１．第１の方法は、‘ｄｉｓｃＭａｘＴｘＰｏｗｅｒ’と‘Ｐ−Ｍａｘ’との間で最大値を取ることである。この方法は、ＳＬＳＳ／ＰＳＢＣＨがＤ２Ｄ発見及びＤ２Ｄ通信の両方とものカバレッジをカバー（ｃｏｖｅｒ）することができるという長所がある。しかし、この方法は、特定端末が発見信号を送信する発見リソースプールに関連したＳＬＳＳサブフレームでＰＳＢＣＨのための最大電力パラメータを変更させることができるため、Ｓ−ＲＳＲＰが変動する問題がある。
【０３９９】
以下の議論は、サブフレーム単位でＳＬＳＳトリガリング条件が変更されることを仮定する。例えば、第１のサブフレームではＤ２Ｄ通信及び発見の両方ともによりＳＬＳＳ送信がトリガリングされ、第２のサブフレームではＤ２Ｄ通信によってのみＳＬＳＳ送信がトリガリングされることができる。例えば、発見信号送信のためのリソースプール（ｒｅｓｏｕｒｃｅ  ｐｏｏｌ）の１番目のサブフレームであり、またＤ２Ｄ通信送信のためのＰＳＣＣＨ（Ｐｈｙｓｉｃａｌ  Ｓｉｄｅｌｉｎｋ  Ｃｏｎｔｒｏｌ  Ｃｈａｎｎｅｌ）周期に含まれるサブフレームが前記第１のサブフレームになることができる。そして、Ｄ２Ｄ通信のみにより（Ｄ２Ｄ通信のみのために）４０ｍｓ後にＳＬＳＳがトリガリングされることができ、このときのサブフレームが前記第２のサブフレームになることができる。
【０４００】
２．２番目の方法は、Ｐ−Ｍａｘ値を取ることである。この方法によると、Ｓ−ＲＳＲＰ変動を避けることができるという長所がある。
【０４０１】
３．３番目の方法は、‘ｄｉｓｃＭａｘＴｘＰｏｗｅｒ’値を取ることである。
【０４０２】
ＰＳＤＣＨとＳＬＳＳ／ＰＳＢＣＨのカバレッジとの間の相違点が発生する問題を解決するために、ネットワークは、Ｄ２Ｄ通信のカバレッジ及びＰＵＳＣＨの最大電力を考慮してＰ−Ｍａｘ値を増加させることによって問題を解決することができる。
【０４０３】
サイドリンク送信の最大電力をＰＣＭＡＸ、ｃとすると、ＰＥＭＡＸを下記のように設定することによって得ることができる。
【０４０４】
【表５】
0006392462.tif 000032
【０４０５】
ここで、Ｄ２Ｄ通信のためにトリガリングされたということは、特定サブフレームでのＳＬＳＳ／ＰＳＢＣＨ送信が下記の場合によりトリガリングされたことを意味する。
【０４０６】
１）端末がＤ２Ｄ通信をすることができ、基地局が専用信号を介して前記端末にＳＬＳＳ／ＰＳＢＣＨ送信を指示した場合、２）サービングセルのＲＳＲＰがＳＬＳＳ／ＰＳＢＣＨ送信のために設定された閾値より低く、ＳＬＳＳ／ＰＳＢＣＨ送信のためのサブフレームに含まれたＰＳＣＣＨ周期でＰＳＣＣＨまたはＰＳＳＣＨを送信する場合。
【０４０７】
一方、多重搬送波運用で電力制限が発生すると、サイドリンクサブフレームでＤ２Ｄ送信電力は、一定の電力水準に減らしてＷＡＮアップリンク送信電力に影響を及ぼさないようにすることができる。端末は、各チャネルの送信電力を計算して加えた結果がサポートできる最大電力を超過する場合、Ｄ２Ｄ送信電力を減らすことができる。
【０４０８】
Ｄ２Ｄ送信が一つの搬送波でのみ発生する場合を考慮する。
【０４０９】
以下で、
【化１】
0006392462.tif 000033
は、搬送波ｃを除外した搬送波でアップリンクサブフレームｉでのアップリンク送信電力の和（ｓｕｍ）である。前記アップリンク送信電力和は、既存ＷＡＮアップリンク電力制御によって実行することができる。これは搬送波ｃでのサイドリンク送信を考慮せずに計算される。
【０４１０】
ここで、一例として、搬送波＃Ｃ（即ち、サイドリンク送信が実行される搬送波）を除外した（ＷＡＮアップリンク送信が実行される）残りの搬送波のうち、特定搬送波＃Ｘのサブフレームｉ上でＰＵＳＣＨ送信（即ち、Ｐ＿ＰＵＳＣＨの送信電力で実行される）とＳＲＳ送信（即ち、Ｐ＿ＳＲＳの送信電力で実行される）が同時に実行される（または、設定される）場合、
【化２】
0006392462.tif 000034
を計算する時、該当搬送波＃ＸのサブフレームｉでのＷＡＮアップリンク送信電力は、Ｐ＿ＰＵＳＣＨとＰ＿ＳＲＳのうち最大値（または、最小値）と見なされる（または、仮定される）ように規則が定義されることもできる。
【０４１１】
他の一例として、搬送波＃Ｃ（即ち、サイドリンク送信が実行される搬送波）を除外した（ＷＡＮアップリンク送信が実行される）残りの搬送波のうち、特定搬送波＃Ｙのサブフレームｉ上でＰＵＣＣＨ送信（即ち、Ｐ＿ＰＵＣＣＨの送信電力で実行される）とＳＲＳ送信（即ち、Ｐ＿ＳＲＳの送信電力で実行される）が同時に実行される（または、設定される）場合、
【化３】
0006392462.tif 000035
を計算する時、該当搬送波＃ＹのサブフレームｉでのＷＡＮアップリンク送信電力は、Ｐ＿ＰＵＣＣＨとＰ＿ＳＲＳのうち最大値（または、最小値）と見なされる（または、仮定される）ように規則が定義されることもできる。
【０４１２】
ここで、一例として、搬送波＃Ｙのサブフレームｉ上でＰＵＣＣＨとＳＲＳの同時送信は、（搬送波＃Ｙに）ＨＡＲＱ−ＡＣＫとＳＲＳの同時送信が設定された場合（または、短いＰＵＣＣＨフォーマット（ＳＨＯＲＴＥＮＥＤ  ＰＵＣＣＨ  ＦＯＲＭＡＴ）が設定された場合）と解釈されることもできる。
【０４１３】
【化４】
0006392462.tif 000036
は、搬送波ｃを除外した残りの搬送波で時間的に重なるアップリンク送信がないという仮定下で、搬送波ｃでのサブフレームｋに対するサイドリンク送信電力制御の結果値である。
【０４１４】
【化５】
0006392462.tif 000037
は、搬送波ｃのサブフレームｋでのサイドリンク送信に使用することができる電力を示す。このとき、他の搬送波のアップリンクサブフレームｉが前記サブフレームｋと時間的に重なるということを前提とする。
【０４１５】
図１８は、搬送波ｃのサブフレームｋと搬送波ｘのサブフレームｉが重なる場合を示す。
【０４１６】
図１８を参照すると、互いに異なる搬送波である搬送波ｃ、搬送波ｘのサブフレームｋとサブフレームｉが時間的に重なっている。サブフレームｋではサイドリンク送信、即ち、Ｄ２Ｄ動作による信号送信が実行され、サブフレームｉではＷＡＮアップリンク送信が実行される。
【０４１７】
図１８のような状況で、端末がサポートできる最大電力である
【化６】
0006392462.tif 000038
小さい場合、各搬送波での送信が互いに影響を及ぼさずに追加的な電力減少は不要である。ここで、
【化７】
0006392462.tif 000039
は、ＷＡＮアップリンク送信とサイドリンク送信が同時に実行されるということを考慮して計算されなければならず、このとき、サイドリンク送信は、帯域組み合わせ／変調／リソースなどのパラメータがＰＵＳＣＨ送信と同じであることを前提とすべきである。
【０４１８】
もし、
【化８】
0006392462.tif 000040
大きい場合、サイドリンク送信電力は、以下の数式のように減らさなければならない。
【０４１９】
【数２７】
0006392462.tif 000041
【０４２０】
前記数式において、ｗ（ｋ、ｉ）は、スケーリングファクタ（ｓｃａｌｉｎｇ  ｆａｃｔｏｒ）であり、０から１までの値の中から選択されることができる。
【０４２１】
図１９は、サイドリンクサブフレームが複数のアップリンクサブフレームと重なる場合を例示する。
【０４２２】
図１９を参照すると、搬送波ｃのサブフレームｋは、搬送波ｘのサブフレームｉ、ｉ＋１と一部分ずつ時間的に重なっている。サブフレームｋではサイドリンク送信が実行され、サブフレームｉ、ｉ＋１ではＷＡＮアップリンク送信が実行される。
【０４２３】
このような場合、一定のサイドリンク送信電力を実現するために、端末は、サイドリンクサブフレームｋと重なる全てのアップリンクサブフレーム（即ち、サブフレームｉ、ｉ＋１）に対する
【化９】
0006392462.tif 000042
を計算した後、そのうち最も小さいものを取る。即ち、最終的なサイドリンク送信電力は、下記のように与えられる。
【０４２４】
【数２８】
0006392462.tif 000043
【０４２５】
以下、図１８及び図１９のように互いに異なる搬送波でサイドリンク送信（Ｄ２Ｄ動作による送信）とＷＡＮアップリンク送信この時間的に互いに重なる場合に送信電力決定方法に対して説明する。
【０４２６】
図２０は、本発明の一実施例に係るアップリンク送信電力決定方法を示す。
【０４２７】
図２０を参照すると、端末は、各搬送波での送信電力を独立的に計算する（Ｓ１９１）。例えば、サイドリンク送信を実行する搬送波Ｃに対して送信電力を計算し、ＷＡＮアップリンク送信を実行する搬送波Ｘに対して送信電力を計算する。
【０４２８】
端末は、独立的に計算された各搬送波の送信電力の和がサポート可能な最大電力より大きい場合、サイドリンク送信電力を減少させる（Ｓ１９２）。ここで、サイドリンク送信を、他の搬送波でのＷＡＮアップリンク送信のように取り扱って（例えば、サイドリンク送信に関連したパラメータがＷＡＮアップリンク送信に適用されたと仮定）前記サポート可能な最大電力を計算（例えば、搬送波Ｃと搬送波Ｘ上にＷＡＮアップリンク送信が同時に発生された既存状況と同じように見なす（／解釈する））ことができる。即ち、前記サポート可能な最大電力は、サイドリンク送信をＷＡＮアップリンク送信と見なして計算され、このとき、前記ＷＡＮアップリンク送信には前記サイドリンク送信と同じパラメータが使われることを仮定する。
【０４２９】
例えば、第１の搬送波で実行されるＷＡＮ送信のための送信電力を第１の送信電力とし、第２の搬送波で実行されるＤ２Ｄ動作による送信のための送信電力を第２の送信電力とすると、前記第１及び第２の送信電力を独立的に計算し、第１の送信電力及び第２の送信電力の和が前記端末のサポート可能な最大電力より大きい場合、前記第２の送信電力を減少させる。
【０４３０】
このとき、前記ＷＡＮ送信と前記Ｄ２Ｄ動作による送信は、同時に実行され、前記第１の搬送波と前記第２の搬送波は、互いに異なる周波数の搬送波である。
【０４３１】
また、前記端末がサポート可能な最大電力は、前記Ｄ２Ｄ動作による送信を前記ＷＡＮ送信のように取り扱って計算（例えば、第１の搬送波と第２の搬送波上にＷＡＮアップリンク送信が同時に発生された既存状況と同じように見なす（／解釈する）ことができる）されることができる。
【０４３２】
例えば、サイドリンク送信関連パラメータが同じようにＷＡＮアップリンク送信に適用されたと仮定して第２の送信電力を計算した後、該当第２の送信電力と第１の送信電力に基づいて（または、利用して）前記端末がサポート可能な最大電力を計算することができる。
【０４３３】
即ち、図２０の方法によると、サイドリンク送信に割り当てられる送信電力は、サポート可能な最大電力でＷＡＮアップリンク送信に電力を割り当てた後の残りより大きくない。このような方法によると、一例として、サイドリンク送信電力の割当は、ＷＡＮアップリンク送信に影響を及ぼさないようになる。
【０４３４】
以下、（非サービング搬送波／周波数での）Ｄ２Ｄ通信のための（非サービング搬送波／周波数上での）セル選択とセル再選択動作そして／またはＰＬＭＮ内（ＩＮＴＲＡ−ＰＬＭＮ）／ＰＬＭＮ間（ＩＮＴＥＲ−ＰＬＭＮ）状況下での交差プール設定（ＣＲＯＳＳ−ＰＯＯＬ  ＣＯＮＦＩＧＵＲＡＴＩＯＮ）動作に対して説明する。
【０４３５】
次に説明する要件は、ＲＲＣアイドル状態及びＲＲＣ接続状態である端末に適用されることができる。端末が非サービング周波数でＤ２Ｄ通信を実行しようとする場合、セル選択及び周波数内（ｉｎｔｒａ−ｆｒｅｑｕｅｎｃｙ）の再選択目的のために前記非サービング周波数に対する測定を実行する。もし、端末がＤ２Ｄ通信を実行するように設定された前記周波数でＳ−基準（ｃｒｉｔｅｒｉｏｎ）を満たす少なくとも一つのセルを検出した場合、前記端末は、Ｄ２Ｄ通信と関連して前記周波数でセルカバレッジ内にあると見なす。もし、前記周波数でＳ−基準を満たすセルを検出することができない場合、Ｄ２Ｄ通信と関連してセルカバレッジの外側にあると見なす。
【０４３６】
Ｄ２Ｄ通信のための非サービング周波数でセルを選択すると、端末は、前記周波数でＤ２Ｄ通信のためのより良いセルを選択するための周波数内の再選択過程を実行することができる。このとき、Ｄ２Ｄ通信のために選択されたセルでブロードキャストする再選択関連パラメータによって前記再選択過程を実行することができる。
【０４３７】
Ｄ２Ｄ通信のためにあらかじめ設定された搬送波が最も高いセル再選択優先順位を有すると見なすことができる。
【０４３８】
もし、Ｄ２Ｄ通信のために設定された周波数がサービング周波数の場合、端末は、Ｄ２Ｄ通信のための前記周波数のサービングセルを利用する。
【０４３９】
ＰＬＭＮ内では、ＲＲＣ信号を介して他の搬送波で発見信号を送信するように設定することが許容されることができる。ＲＲＤ信号は、プライマリ周波数でない周波数に対してタイプ１またはタイプ２発見設定を設定するのに使われることができる。
【０４４０】
ＰＬＭＮ間では、上位階層により発見信号送信のためのＰＬＭＮ間認証が制御されるかどうかに対するＳＡ２指針が必要である。
【０４４１】
もし、ネットワークがＰＬＭＮ間情報を有している場合、前記ネットワークは、ＰＬＭＮ内の場合と類似するように端末を設定することができる。ＰＬＭＮ間協力が常に可能ではない。協力されないＰＬＭＮ間において、端末は、使用した送信／受信リソースを知るために該当搬送波周波数のＳＩＢ  １９を読むことができる。
【０４４２】
Ｄ２Ｄ動作を実行する周波数に基地局が全くない場合にはセルカバレッジの外側でのＤ２Ｄ発見動作がサポートされることができる。
【０４４３】
以下で、特定Ｄ２Ｄ信号を送信する端末のプライマリ周波数でない周波数／搬送波（非プライマリ周波数／搬送波という）（そして／または非サービング搬送波／周波数）を“ＮＰ＿ＦＲＱ”と命名する。“ＮＰ＿ＦＲＱ”上でＤ２Ｄチャネル／信号送信動作を実行する時、Ｄ２Ｄ送信電力を効率的に設定する方法を提案する。
【０４４４】
ここで、Ｄ２Ｄ信号を送信する端末のプライマリ搬送波／周波数（そして／またはサービング搬送波／周波数）を“ＰＲ＿ＦＲＱ”と命名する。ＮＰ＿ＦＲＱは、ＰＲ＿ＦＲＱとＰＬＭＮとの間（または、ＰＬＭＮ内）そして／または周波数間（または、周波数内）（そして／または隣接した周波数（または、同じ周波数）の関係を有することができる。
【０４４５】
［提案方法＃６］ＮＰ＿ＦＲＱ上の非サービングセル関連経路損失（ＰＬ）推定は、多様な理由でＰＲ＿ＦＲＱ上のサービングセル関連経路損失推定に比べて不正確である。その理由は、（１）特定時間区間内に得ることができるＮＰ＿ＦＲＱ上の非サービングセル関連測定サンプル数がＰＲ＿ＦＲＱ上のサービングセル関連測定サンプル数に比べて相対的に少ない場合があるためである。ここで、一例として、急速に移動する端末のＤ２Ｄ信号送信の場合、相対的に少なく得たＮＰ＿ＦＲＱ非サービングセル関連測定サンプルすら不正確な場合があるため、事前に定義された（または、シグナリングされた）測定要件を満たすためにはより多くの時間（及び測定サンプル）が要求されることができる。また、（２）ＮＰ＿ＦＲＱでのＤ２Ｄチャネル／信号送信動作関連電力を決定する経路損失推定がＮＰ＿ＦＲＱ非サービングセルでない事前に定義された（または、シグナリングされた）他の（搬送波／周波数上の）セルに定義されることができるためである。
【０４４６】
一例として、不正確なＮＰ＿ＦＲＱ非サービングセル関連経路損失推定は、正確でないＮＰ＿ＦＲＱ上のＤ２Ｄチャネル／信号送信電力決定につながるようになり、これは非サービングセル（そして／またはサービングセル（例えば、ＮＰ＿ＦＲＱとＰＲ＿ＦＲＱが隣接周波数の関係を有する場合））のＷＡＮ（ＵＬ（／ＤＬ））通信（そして／またはＤ２Ｄ通信）に好ましくない干渉を与えるようになり（例えば、ＮＰ＿ＦＲＱ  Ｄ２Ｄ送信電力が過度に高く決定された場合）、またはＮＰ＿ＦＲＱ上のＤ２Ｄチャネル／信号送信性能を低下（例えば、ＮＰ＿ＦＲＱ  Ｄ２Ｄ送信電力が過度に低く決定された場合）させることができる。
【０４４７】
このような問題を緩和させるために、ＮＰ＿ＦＲＱ  Ｄ２Ｄチャネル／信号送信動作を実行する端末が、下記の（一部または全ての）規則に従うように設定できる。
【０４４８】
ここで、Ｄ２Ｄチャネル／信号送信関連電力制御パラメータは、開ループ／閉ループ電力制御パラメータそして／または最大（許容）Ｄ２Ｄ送信電力と解釈されることができる。
【０４４９】
（規則＃６−１）ＰＲ＿ＦＲＱ上のサービングセルがＮＰ＿ＦＲＱ  Ｄ２Ｄチャネル／信号送信関連電力制御パラメータ（即ち、“ＮＰＰＣＰＡＲＡ＿ＳＶ”と命名）をシグナリング（または、設定）した場合、Ｄ２Ｄ信号を送信する端末は、ＮＰ＿ＦＲＱ非サービングセルから（事前に定義されたシグナル受信（例えば、ＳＩＢ）を介して）取得した（ＮＰ＿ＦＲＱ  Ｄ２Ｄチャネル／信号送信関連）電力制御パラメータ（即ち、“ＮＰＰＣＰＡＲＡ＿ＮＳ”と命名）を無視し、ＮＰＰＣＰＡＲＡ＿ＳＶに基づいてＮＰ＿ＦＲＱ  Ｄ２Ｄチャネル／信号送信電力を決定することができる。
【０４５０】
ここで、一例として、ＰＲ＿ＦＲＱ上のサービングセルがＮＰＰＣＰＡＲＡ＿ＳＶをシグナリング（または、設定）しない場合、前記端末が、（ＮＰ＿ＦＲＱ非サービングセルから（事前に定義されたシグナル受信を介して）取得した）ＮＰＰＣＰＡＲＡ＿ＮＳに基づいてＮＰ＿ＦＲＱ  Ｄ２Ｄチャネル／信号送信電力を決定することができる。
【０４５１】
ＰＲ＿ＦＲＱ関連Ｄ２Ｄチャネル／信号リソースプール情報そして／またはＤ２Ｄチャネル／信号送信電力情報（または、ＰＲ＿ＦＲＱと周波数内（または、ＰＬＭＮ内）関係にある搬送波（または、周波数）上のＤ２Ｄチャネル／信号リソースプール情報そして／またはＤ２Ｄチャネル／信号送信電力情報）を知らせるチャネル（例えば、ＳＩＢ）と、ＮＰ＿ＦＲＱ関連Ｄ２Ｄチャネル／信号リソースプール情報そして／またはＤ２Ｄチャネル／信号送信電力情報（または、ＰＲ＿ＦＲＱと周波数間（または、ＰＬＭＮ間）関係にある搬送波（または、周波数）上のＤ２Ｄチャネル／信号リソースプール情報そして／またはＤ２Ｄチャネル／信号送信電力情報）を知らせるチャネル（例えば、ＳＩＢ）とは、独立的に（または、異なるように）定義されることもできる。
【０４５２】
（規則＃６−２）ＮＰ＿ＦＲＱ非サービングセルが事前に定義されたチャネル（／シグナル）（例えば、ＳＩＢ）を介して二つ（用途）の電力制御パラメータをシグナリングし、一つ（即ち、“ＳＶ＿ＰＡＲＡ”と命名）は、自分をサービングセル（または、周波数内）として経路損失測定する端末が使用するようにし、他の一つ（即ち、“ＮＳ＿ＰＡＲＡ”と命名）は、自分を非サービングセル（または、周波数間）として経路測定する端末が使用するようにすることができる。
【０４５３】
ここで、他の一例として、ＮＰ＿ＦＲＱ非サービングセルは、事前に定義されたチャネル（／シグナル）（例えば、ＳＩＢ）を介して、ＳＶ＿ＰＡＲＡと（電力制御パラメータ）オフセット（即ち、自分を非サービングセル（または、周波数間）として経路損失測定する端末は、ＳＶ＿ＰＡＲＡに該当（電力制御パラメータ）オフセットを適用して最終ＮＰ＿ＦＲＱ  Ｄ２Ｄ送信電力を決定するようになる）をシグナル（または、ＮＳ＿ＰＡＲＡと（電力制御パラメータ）オフセット（即ち、自分をサービングセル（または、周波数内）として経路損失測定する端末は、ＮＳ＿ＰＡＲＡに該当（電力制御パラメータ）オフセットを適用して最終ＮＰ＿ＦＲＱ  Ｄ２Ｄ送信電力を決定するようになる）をシグナル）することもできる。
【０４５４】
他の一例として、ＰＲ＿ＦＲＱ上のサービングセル（または、ＮＰ＿ＦＲＱ上の非サービングセル）は、自分と連結を有している（または、自分のカバレッジ内にある）端末に、ＰＬＭＮ間搬送波（周波数）（または、周波数間）上のＤ２Ｄチャネル／信号送信実行時、相対的に少ない送信電力（そして／またはＤ２Ｄ送信可能性）を適用するように、（事前に定義されたシグナリングを介して）設定することができる。これは一種のペナルティと解釈できる。
【０４５５】
また、一例として、ＰＲ＿ＦＲＱ上のサービングセル（または、ＮＰ＿ＦＲＱ上の非サービングセル）は、ＰＬＭＮ間（または、周波数間）セルと連結を有している（または、ＰＬＭＮ間（または、周波数間）セルのカバレッジ内にある）端末が自分の（ＰＬＭＮ内）搬送波／周波数（または、周波数内／搬送波上でＤ２Ｄチャネル／信号送信動作を実行しようとする時、（事前に定義されたシグナリングを介して）相対的に少ない送信電力（そして／またはＤ２Ｄ送信確率）を適用するように設定することもできる。これは一種のペナルティと解釈できる。
【０４５６】
以下、セルカバレッジに部分的に含まれる場合またはセルカバレッジの外側の場合でＰＳＤＣＨ送信及びＰＳＤＣＨ関連ＳＬＳＳ送信方法に対して説明する。
【０４５７】
ＬＴＥ−Ａ  Ｒｅｌ−１３により動作する端末をＲｅｌ−１３端末と仮定する。Ｒｅｌ−１３端末は、ＳＬＳＳを送信する時、下記の二つの動作（動作１、動作２）のうちいずれか一つによってタイプ１発見信号を送信する。
【０４５８】
動作１：Ｒｅｌ−１２と同じ動作で、端末は、各発見周期でＲｅｌ−１２動作によって決定されるサブフレームｎでＳＬＳＳを送信する。
【０４５９】
動作２：端末は、各発見周期で４０ｍｓ毎にＳＬＳＳを送信する。実際的なＳＬＳＳ送信は、ＷＡＮ優先順位のようなＲｅｌ−１２条件による。端末は、ＳＬＳＳを送信するサブフレームでＰＳＢＣＨも送信する。このとき、Ｒｅｌ−１３によるＤ２Ｄ通信を実行する端末のためのＰＳＢＣＨと同じ内容（ｃｏｎｔｅｎｔ）を使用することができる。
【０４６０】
セルカバレッジの外側のＲｅｌ−１３端末がタイプ１公共安全（ｐｕｂｌｉｃ  ｓａｆｅｔｙ：ＰＳ）発見信号を送信するにあたって、ＳＬＳＳを送信する時、前述する動作２に従う。
【０４６１】
セルカバレッジ内のＲｅｌ−１３端末が発見信号を送信するにあたって、ＳＬＳＳを送信する時、公共安全でない用途の発見信号を送信する場合は動作１に従う。それに対して、公共安全用途の発見信号を送信する場合、基地局は、動作１または動作２を設定することができ、端末はこれに従う。
【０４６２】
公共安全用途の発見信号送信に参加して動作２を使用する端末は、ＳＬＳＳを４０ｍｓ毎に送信する。このとき、端末は、上位階層から与えられた搬送波で送信する発見メッセージがある限り続けてＳＬＳＳを送信することができる。
【０４６３】
公共安全用途の発見信号送信に参加して動作２を使用する端末は、Ｒｅｌ−１２によるＤ２Ｄ通信で使われるＰＳＢＣＨを再使用することができる。即ち、同じ内容を含むことができる。動作１を使用する端末は、ＰＳＢＣＨを送信しない。
【０４６４】
セルカバレッジの外側の端末に対するＰＳＣＣＨ／ＰＳＳＣＨ送信及びＰＳＣＣＨ／ＰＳＳＣＨ関連ＳＬＳＳ送信に対するパラメータは、事前に定義されたシグナル（例えば、ＳＩＢ）を介して設定されることができる。
【０４６５】
以下の表は、サイドリンクに対するあらかじめ設定されたパラメータの例を示す。
【０４６６】
【表６】
0006392462.tif 000044
【０４６７】
前記表において、‘ｃａｒｒｉｅｒＦｒｅｑ’は、サイドリンク動作のための搬送波周波数を指示する。ＦＤＤの場合、これはアップリンク周波数を示し、対応するダウンリンク周波数は、デフォルト（ｄｅｆａｕｌｔ）送信−受信周波数区分（ＴＸ−ＲＸ  ｆｒｅｑｕｅｎｃｙ  ｓｅｐａｒａｔｉｏｎ）により決まることができる。
【０４６８】
‘ｐｒｅｃｏｎｆｉｇＣｏｍｍ’は、個別的なリソースプールの個数のリストを指示する。Ｄ２Ｄ通信のための信号送受信に使われることができる。
【０４６９】
‘ｓｙｎｃＲｅｆＤｉｆｆＨｙｓｔ’は、相対的な比較を利用して同期化のための基準端末を評価する時に使われる履歴（ｈｙｓｔｅｒｅｓｉｓ）である。‘ｓｙｎｃＲｅｆＭｉｎＨｙｓｔ’は、絶対的な比較を利用して同期化のための基準端末を評価する時に使われる履歴である。
【０４７０】
一例として、セルカバレッジの外側にある端末のＰＳＤＣＨ送信と関連した最大送信電力値（例えば、ＰＣＭＡＸ、ＰＳＤＣＨ）（そして／または該当ＰＳＤＣＨと連動されたＳＬＳＳ送信関連最大送信電力値（例えば、ＰＣＭＡＸ、ＰＳＢＣＨ、ＰＣＭＡＸ、ＳＳＳＳ））は、セルカバレッジの外側にある端末のＰＳＣＣＨ（そして／またはＰＳＳＣＨ）送信と関連した最大送信電力値（例えば、ＰＣＭＡＸ、ＰＳＣＣＨ、ＰＣＭＡＸ、ＰＳＳＣＨ）（そして／または該当ＰＳＣＣＨ（そして／またはＰＳＳＣＨ）と連動されたＳＬＳＳ送信関連最大送信電力値（例えば、ＰＣＭＡＸ、ＰＳＢＣＨ、ＰＣＭＡＸ、ＳＳＳＳ））と独立的に（または、異なるように）設定されるように規則が定義されることができる。
【０４７１】
ここで、一例として、このような規則は、セルカバレッジの外側にある端末のＰＳＤＣＨ送信（そして／または該当ＰＳＤＣＨと連動されたＳＬＳＳ送信）に対するパラメータが、前記端末のＰＳＣＣＨ（そして／またはＰＳＳＣＨ）送信（そして／または該当ＰＳＣＣＨ（そして／またはＰＳＳＣＨ）と連動されたＳＬＳＳ送信）に対するパラメータと独立的な（または、異なる）シグナリング（例えば、ＳＩＢ）を介して設定される場合にのみ限定的に適用されることもできる。
【０４７２】
ここで、一例として、前記提案規則で“最大送信電力値”は、“開ループ電力制御パラメータ（ＯＰＥＮ−ＬＯＯＰ  ＰＯＷＥＲ  ＣＯＮＴＲＯＬ  ＰＡＲＡＭＥＴＥＲ）値（例えば、ＰＯ、ａｌｐｈａ）”と拡張解釈されることができる。
【０４７３】
他の一例として、セルカバレッジ内の端末の公共安全（ＰＵＢＬＩＣ  ＳＡＦＴＹ：ＰＳ）ＰＳＤＣＨ送信と関連した最大送信電力値（例えば、ＰＣＭＡＸ、ＰＳＤＣＨ）（そして／または該当公共安全ＰＳＤＣＨと連動されたＳＬＳＳの送信と関連した最大送信電力値（例えば、ＰＣＭＡＸ、ＰＳＢＣＨ、ＰＣＭＡＸ、ＳＳＳＳ））は、セルカバレッジ内の端末の非公共安全（ｎｏｎ−ＰＳ）ＰＳＤＣＨ送信と関連した最大送信電力値（例えば、ＰＣＭＡＸ、ＰＳＤＣＨ）（そして／または該当非公共安全ＰＳＤＣＨと連動されたＳＬＳＳ送信と関連した最大送信電力値（例えば、ＰＣＭＡＸ、ＰＳＢＣＨ、ＰＣＭＡＸ、ＳＳＳＳ））と独立的に（または、異なるように）設定されるように規則が定義されることもできる。即ち、発見種類によって最大送信電力値が変わると解釈することも可能である。
【０４７４】
前記提案規則で“最大送信電力値”は、“開ループ電力制御パラメータ（ＯＰＥＮ−ＬＯＯＰ  ＰＯＷＥＲ  ＣＯＮＴＲＯＬ  ＰＡＲＡＭＥＴＥＲ）値（例えば、ＰＯ、ａｌｐｈａ）”と拡張解釈されることもできる。
【０４７５】
他の一例として、中継ＰＳＤＣＨ送信と関連した最大送信電力値（例えば、ＰＣＭＡＸ、ＰＳＤＣＨ）（そして／または該当中継ＰＳＤＣＨと連動されたＳＬＳＳ送信と関連した最大送信電力値（例えば、ＰＣＭＡＸ、ＰＳＢＣＨ、ＰＣＭＡＸ、ＳＳＳＳ））は、非中継ＰＳＤＣＨ（または、非公共安全ＰＳＤＣＨまたはグループに属するメンバＰＳＤＣＨ）送信と関連した最大送信電力値（例えば、ＰＣＭＡＸ、ＰＳＤＣＨ）（そして／または該当非中継ＰＳＤＣＨ（または、非公共安全ＰＳＤＣＨまたはグループに属するメンバＰＳＤＣＨ）と連動されたＳＬＳＳ送信と関連した最大送信電力値（例えば、ＰＣＭＡＸ、ＰＳＢＣＨ、ＰＣＭＡＸ、ＳＳＳＳ））と独立的に（または、異なるように）設定されるように規則が定義されることもできる。即ち、発見種類によって最大送信電力値が変わると解釈することも可能である。
【０４７６】
前記提案規則で“最大送信電力値”は、“開ループ電力制御パラメータ値（例えば、ＰＯ、ａｌｐｈａ）”と拡張解釈されることができる。
【０４７７】
他の一例として、Ｄ２Ｄ動作を実行する端末が、セルカバレッジ内にある時は基地局からシグナリング（例えば、ＳＩＢまたは専用ＲＲＣ信号）されたＰＳＤＣＨ最大送信電力（そして／または（該当ＰＳＤＣＨと連動された）ＳＬＳＳ最大送信電力）をセルカバレッジ内のＰＳＤＣＨ（そして／または（該当ＰＳＤＣＨと連動された）ＳＬＳＳ）に適用し、セルカバレッジの外側にある時は、事前に定義されたシグナリング（例えば、ＳＩＢ）上に最大送信電力関連フィールドがない場合（事前に定義された（または、シグナリングされた））最も大きいターゲットレンジに該当する最大送信電力値をセルカバレッジの外側のＰＳＤＣＨ（そして／または（該当ＰＳＤＣＨと連動された）ＳＬＳＳ）に適用する。それに対して、事前に定義されたシグナリング（例えば、ＳＩＢ）上に最大送信電力関連フィールドがある場合、該当値をセルカバレッジの外側のＰＳＤＣＨ（そして／または（該当ＰＳＤＣＨと連動された）ＳＬＳＳ）に適用するように規則が定義されることもできる。
【０４７８】
他の一例として、Ｄ２Ｄ動作を実行する端末が、互いに異なる種類の発見（または、ＰＳＤＣＨ）送信からトリガリングされたＳＬＳＳ送信が同じ時点に重なる場合、下記の一部（または、全ての）優先順位規則によって、該当ＳＬＳＳ送信の最大送信電力が決定されるように設定されることもできる。
【０４７９】
ここで、一例として、下記一部（または、全ての）規則は、セルカバレッジ内でＤ２Ｄ動作を実行する端末（そして／またはセルカバレッジの外側でＤ２Ｄ動作を実行する端末そして／または中継役割のためのＤ２Ｄ動作を実行する端末そして／または離隔された端末）にのみ限定的に適用されることもできる。
【０４８０】
また、一例として、互いに異なる種類の発見（または、ＰＳＤＣＨ）送信からトリガリングされたＳＬＳＳ送信が同じ時点に重ならない場合には各々の連動された事前に設定された（または、シグナリングされた）発見最大送信電力値に従うように定義されることができる。
【０４８１】
また、一例として、下記の優先順位規則のうちいずれかを適用するかを基地局が端末に事前に定義されたシグナリング（例えば、ＳＩＢ（ＲＲＣアイドル状態の端末、セルカバレッジの外側の端末）、専用信号（ＲＲＣ接続状態の端末））を介して知らせるように設定されることもできる。本提案方法で“ＳＬＳＳ”は、一例として、ＰＳＢＣＨ（そして／またはＰＳＳＳ（そして／またはＳＳＳＳ））と解釈されることができる。
【０４８２】
（例示＃１）公共安全発見信号の送信のためにトリガリングされたＳＬＳＳの送信と非公共安全発見信号の送信のためにトリガリングされたＳＬＳＳの送信が同じ時点に重なる場合、該当ＳＬＳＳの最大送信電力は、事前に設定され、またはシグナリングされた公共安全発見信号に対する最大送信電力（または、非公共安全発見信号に対する最大送信電力に従うように規則が定義されることができる。
【０４８３】
（例示＃２）中継動作のための発見のためにトリガリングされたＳＬＳＳ送信と非中継動作のための発見のためにトリガリングされたＳＬＳＳ送信が同じ時点に重なる場合、該当ＳＬＳＳの最大送信電力は、事前に設定され、またはシグナリングされた中継動作のための発見に対する最大送信電力（または、非中継動作のための発見に対する最大送信電力）に従うように規則が定義されることができる。他の一例として、中継動作のための発見のためにトリガリングされたＳＬＳＳ送信とグループメンバ（または、非公共安全）発見のためにトリガリングされたＳＬＳＳ送信が同じ時点に重なる場合、該当ＳＬＳＳの最大送信電力は、事前に設定され、またはシグナリングされた中継動作のための発見の最大送信電力（または、グループメンバ（または、非公共安全）発見の最大送信電力）に従うように規則が定義されることができる。
【０４８４】
他の一例として、Ｄ２Ｄ動作を実行する端末が、発見（または、ＰＳＤＣＨ）送信からトリガリングされたＳＬＳＳ送信とＤ２Ｄ通信（または、ＰＳＣＣＨ（そして／またはＰＳＳＣＨ））送信からトリガリングされたＳＬＳＳ送信が同じ時点に重なる場合、下記の一部（または、全ての）優先順位規則によって、該当ＳＬＳＳ送信の最大送信電力が決定されるように設定されることもできる。
【０４８５】
ここで、一例として、下記一部（または、全ての）規則は、セルカバレッジ内でＤ２Ｄ動作を実行する端末（そして／またはセルカバレッジの外側でＤ２Ｄ動作を実行する端末そして／または中継役割のために、Ｄ２Ｄ動作を実行する端末そして／または離隔された端末）にのみ限定的に適用されることもできる。
【０４８６】
また、Ｄ２Ｄ動作を実行する端末が、発見（または、ＰＳＤＣＨ）送信からトリガリングされたＳＬＳＳ送信とＤ２Ｄ通信（または、ＰＳＣＣＨ（そして／またはＰＳＳＣＨ））送信からトリガリングされたＳＬＳＳ送信が同じ時点に重ならない場合には、各々の連動された事前に設定された（または、シグナリングされた）（発見／Ｄ２Ｄ通信）最大送信電力値に従うように定義されることができる。
【０４８７】
また、一例として、下記の優先順位規則のうちいずれかを適用するかを基地局が端末に設定できる。このとき、基地局は、定義されたシグナリングを使用することができ、ＲＲＣアイドル端末及びセルカバレッジの外側の端末のためにはＳＩＢを使用し、ＲＲＣ接続状態である端末に対しては専用信号を使用することができる。本提案方法で“ＳＬＳＳ”単語は、一例として、ＰＳＢＣＨ（そして／またはＰＳＳＳ（そして／またはＳＳＳＳ））と解釈されることができる。
【０４８８】
（例示＃３）（公共安全（または、非公共安全）または中継またはグループメンバ）発見によりトリガリングされたＳＬＳＳ送信とＤ２Ｄ通信のためにトリガリングされたＳＬＳＳ送信が同じ時点に重なる場合、該当ＳＬＳＳの最大送信電力は、事前に設定された（または、シグナリングされた）（公共安全（または、非公共安全）または中継またはグループメンバ）発見最大送信電力（または、Ｄ２Ｄ通信最大送信電力）に従うように規則が定義されることができる。
【０４８９】
前記説明した提案方式に対する一例も本発明の具現方法のうち一つとして含まれることができるため、一種の提案方式と見なされることができることは明白である。また、前記説明した提案方式は、独立的に具現されることもできるが、一部提案方式の組み合わせ（または、併合）形態で具現されることができる。
【０４９０】
前記説明した提案方式は、ＦＤＤシステム（そして／またはＴＤＤシステム）環境下でのみ限定的に適用されるように規則が定義されることもできる。前記説明した提案方式は、モード２  Ｄ２Ｄ通信そして／またはタイプ１発見（そして／またはモード１  Ｄ２Ｄ通信そして／またはタイプ２発見）にのみ限定的に適用されるように規則が定義されることもできる。
【０４９１】
また、前記説明した提案方式は、セルカバレッジ内でＤ２Ｄ動作を実行する端末（そして／またはセルカバレッジの外側でＤ２Ｄ動作を実行する端末）（そして／またはＲＲＣ接続状態でＤ２Ｄ動作を実行する端末（そして／またはＲＲＣアイドル状態でＤ２Ｄ動作を実行する端末））にのみ限定的に適用されるように規則が定義されることもできる。前記説明した提案方式は、Ｄ２Ｄ発見（送信（／受信））動作のみを実行するＤ２Ｄ端末（そして／またはＤ２Ｄ通信（送信（／受信））動作のみを実行するＤ２Ｄ端末）にのみ限定的に適用されるように規則が定義されることもできる。
【０４９２】
前記説明した提案方式は、Ｄ２Ｄ発見のみがサポート（設定）されたシナリオ（そして／またはＤ２Ｄ通信のみがサポート（設定）されたシナリオ）でのみ限定的に適用されるように規則が定義されることもできる。
【０４９３】
前記説明した提案方式は、周波数間（ＩＮＴＥＲ−ＦＲＥＱＵＥＮＣＹ）上の他の（アップリンク）搬送波でのＤ２Ｄ発見信号受信動作を実行する場合（そして／またはＰＬＭＮ間（ＩＮＴＥＲ−ＰＬＭＮ）ベースの他のＰＬＭＮの（アップリンク）搬送波でのＤ２Ｄ発見信号受信動作を実行する場合）でのみ限定的に適用されるように規則が定義されることもできる。
【０４９４】
また、一例として、前記説明した提案方式は、端末がＤ２Ｄ通信及びＤ２Ｄ発見信号を両方とも送信する時、一つのサブフレームで送信されるＳＬＳＳ／ＰＳＢＣＨがＤ２Ｄ通信及びＤ２Ｄ発見により同時にトリガリングされる場合（または、時点）にのみ限定的に適用されるように規則が定義されることもできる。
【０４９５】
図２１は、本発明の実施例が具現される端末を示すブロック図である。
【０４９６】
図２１を参照すると、端末１１００は、プロセッサ１１１０、メモリ１１２０及びＲＦ部（ｒａｄｉｏ  ｆｒｅｑｕｅｎｃｙ  ｕｎｉｔ）１１３０を含む。プロセッサ１１１０は、提案された機能、過程及び／または方法を具現する。例えば、プロセッサ１１１０は、Ｄ２Ｄ発見信号送信のための電力情報（ｄｉｓｃＭａｘＴｘＰｏｗｅｒ）を受信し、前記電力情報（ｄｉｓｃＭａｘＴｘＰｏｗｅｒ）に基づいてＤ２Ｄ発見信号送信のための送信電力を決定することができる。また、プロセッサ１１１０は、ＳＬＳＳ及びＰＳＢＣＨのための送信電力を決定し、前記決定された送信電力で前記ＳＬＳＳ及びＰＳＢＣＨを送信し、前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）の両方ともにより同時にトリガ（ｔｒｉｇｇｅｒ）される場合、前記ＳＬＳＳ及びＰＳＢＣＨのための送信電力は、前記Ｄ２Ｄ通信のための電力情報（Ｐ−Ｍａｘ）に基づいて決定できる。
【０４９７】
ＲＦ部１１３０は、プロセッサ１１１０と連結されて無線信号を送信及び受信する。
【０４９８】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【図１】
0006392462.tif 000045
【図２】
0006392462.tif 000046
【図３】
0006392462.tif 000047
【図４】
0006392462.tif 000048
【図５（ａ）】
0006392462.tif 000049
【図５（ｂ）】
0006392462.tif 000050
【図５（ｃ）】
0006392462.tif 000051
【図５（ｄ）】
0006392462.tif 000052
【図６】
0006392462.tif 000053
【図７】
0006392462.tif 000054
【図８】
0006392462.tif 000055
【図９】
0006392462.tif 000056
【図１０】
0006392462.tif 000057
【図１１】
0006392462.tif 000058
【図１２】
0006392462.tif 000059
【図１３】
0006392462.tif 000060
【図１４】
0006392462.tif 000061
【図１５】
0006392462.tif 000062
【図１６】
0006392462.tif 000063
【図１７】
0006392462.tif 000064
【図１８】
0006392462.tif 000065
【図１９】
0006392462.tif 000066
【図２０】
0006392462.tif 000067
【図２１】
0006392462.tif 000068